(57)【要約】  本発明は、体液（例えば、血液、血漿、尿、間質液、唾液）などの流体中の所望の分析物のレベルを測定するためのセンサーデバイス、センサーデバイスを製造する方法、センサーで使用するための試薬膜、センサーで使用するための試薬膜を製造する方法、センサーを使用してアッセイを行う方法、センサーからの測定値を較正する方法、一群のセンサーを較正する方法、センサーとともに使用するためのメーター、および、本発明に従ってメーターとセンサーを含むキットに関する。本発明の第１の態様は、流体中の所望の分析物のレベルを測定するためのセンサーデバイスを提供し、該センサーデバイスは、流体用の流路；第１の予め決められた量の第１の較正分析物を含む内部標準に隣接する所望の分析物のための、流路上の試薬を含み、試薬と予め決められた量の第１の較正分析物は、乾燥した形状である。本発明の第２の態様は、デバイスを提供し、該デバイスは、第１の予め決められた量の第１の較正分析物とその上に配された所望の分析物のための試薬とを含む第１の較正電極、所望の分析物のための試薬をその上に有する第１の作用電極を含み、第１の較正電極は第１の作用電極の上流にある。【選択図】図１
2013500492.tif 000002
【特許請求の範囲】
【請求項１】
流体中の所望の分析物のレベルを測定するためのセンサーデバイスであって、
前記センサーデバイスは、
流体用の流路と、
第１の予め決められた量の第１の較正分析物を含む内部標準に隣接する所望の分析物のための、前記流路上の試薬を含み、
試薬と予め決められた量の第１の較正分析物は、乾燥した形状であることを特徴とするセンサーデバイス。
【請求項２】
第１の較正分析物と所望の分析物は同じ分析物であることを特徴とする請求項１に記載のデバイス。
【請求項３】
試薬は乾燥した形状で予め形成されることを特徴とする請求項１または２に記載のデバイス。
【請求項４】
試薬は乾燥した膜を含むことを特徴とする請求項１乃至３のいずれかに記載のデバイス。
【請求項５】
試薬が水溶性の乾燥した膜を含むことを特徴とする請求項３または４に記載のデバイス。
【請求項６】
試薬と第１の予め決められた較正分析物は付着していないことを特徴とする請求項１乃至５のいずれかに記載のデバイス。
【請求項７】
試薬と第１の予め決められた量の第１の較正分析物が、流路の同じ側にあることを特徴とする請求項１乃至６のいずれかに記載のデバイス。
【請求項８】
流路上において、試薬に隣接するとともに予め決められた量の第１の較正分析物に隣接する測定電極が設けられることを特徴とする請求項１乃至７のいずれかに記載のデバイス。
【請求項９】
測定電極、試薬および第１の予め決められた量の第１の較正分析物が、流路の同じ側にあることを特徴とする請求項８に記載のデバイス。
【請求項１０】
試薬の少なくとも一部と、予め決められた量の第１の較正分析物の少なくとも一部が、測定電極の少なくとも一部と流路との間にあることを特徴とする請求項８または９に記載のデバイス。
【請求項１１】
流路に沿って流れる流体の波面が、所望の分析物のための試薬と、第１の予め決められた量の第１の較正分析物とにほぼ同じ時間に到達するように、試薬が予め決められた量の第１の較正分析物に隣接していることを特徴とする請求項１乃至１０のいずれかに記載のデバイス。
【請求項１２】
流路に沿って流れる流体の波面は、所望の分析物のための試薬と、第１の予め決められた量の第１の較正分析物とに、約０．７５秒、約０．５秒、約０．２５秒、約０．２秒、約０．１秒、約０．０５秒、約０．０２５秒、約０．０２秒、および、約０．０１秒の群から選択される時間内に到達し、および／または、
試薬膜が提供され、膜の半分以上、膜の７５％以上、または、膜の約９０％以上が、決められた領域内で、約２秒、約２秒未満、約１．５秒、約１．５秒未満、約１秒、約１秒未満、約０．５秒、約０．５秒未満、約０．２５秒、約０．２５秒未満、約０．２秒未満、約０．１秒未満の群から選択された時間内に溶けるように、該試薬膜が溶解速度を有することを特徴とする請求項１乃至１１のいずれかに記載のデバイス。
【請求項１３】
試薬は、互いに対して、０μｍ（接触する場合）、または、約数μｍまたは約数十μｍ、または、約５乃至１５μｍ内、または、約１０μｍ内、または、約５μｍ内の距離内で、予め決められた量の第１の較正分析物に隣接した位置に配されることを特徴とする請求項１乃至１２のいずれかに記載のデバイス。
【請求項１４】
流路は毛細管現象によって流体を引くための毛細管チャネルを含むことを特徴とする請求項１乃至１３のいずれかに記載のデバイス。
【請求項１５】
少なくとも１つの測定電極を含む導電層と、
少なくとも第１の予め決められた量の第１の較正分析物を含む較正層とを含み、
第１の予め決められた量の第１の較正分析物は、測定電極の少なくとも一部に配され、
測定電極の少なくとも一部に配された所望の分析物のための試薬は、較正電極を形成するために第１の予め決められた量の較正分析物を有することを特徴とする請求項１乃至１４のいずれかに記載のデバイス。
【請求項１６】
所望の分析物のための試薬は、較正電極上の第１の予め決められた量の第１の較正分析物の少なくとも一部を覆うことを特徴とする請求項１５に記載のデバイス。
【請求項１７】
試薬は水溶性の乾燥した膜の形状をしており、水溶性の乾燥した膜は、試薬層を形成するために、較正層および／または導電層の少なくとも一部を覆うことを特徴とする請求項１５または１６に記載のデバイス。
【請求項１８】
少なくとも２つの電極を含む導電層と、
他方の電極が較正分析物を含まない少なくとも２つの電極のうちの１つに配された、少なくとも第１の予め決められた量の第１の較正分析物を含む較正層と、
所望の分析物のための試薬を含む試薬層とを含み、
試薬層は、試薬を有する較正分析物が含まれない作用電極と、第１の予め決められた量の第１の較正分析物および試薬を有する較正電極とを形成する少なくとも２つの電極の各々の少なくとも一部を覆うことを特徴とする請求項１乃至１７のいずれかに記載のデバイス。
【請求項１９】
試薬層は、第１の予め決められた量の第１の較正分析物の少なくとも一部を覆うことを特徴とする請求項１８に記載のデバイス。
【請求項２０】
３以上の測定電極と、
較正電極を形成するために、予め決められた量の第１の較正分析物と所望の分析物のための試薬を有する少なくとも１つの電極と、
作用電極を形成するために、所望の分析物のための試薬を有する、較正分析物を含まない少なくとも１つの電極と、
対／参照電極を形成するために、所望の分析物のための試薬を有する、較正分析物を含まない少なくとも１つの電極と、を含むことを特徴とする請求項１乃至１９のいずれかに記載のデバイス。
【請求項２１】
さらなる電極は、背景電極を形成するために、較正分析物を含まず、かつ、試薬を含まずに提供されることを特徴とする請求項２０に記載のデバイス。
【請求項２２】
いかなる試薬も存在せず、または、活性成分を含まない試薬が存在することを特徴とする請求項２１に記載のデバイス。
【請求項２３】
第１の予め決められた量の第１の較正分析物とその上に配された所望の分析物のための試薬とを有する第１の較正電極と、
所望の分析物のための試薬を有する第１の作用電極とを含み、
第１の較正電極が第１の作用電極の上流にあることを特徴とする請求項１乃至２２のいずれかに記載のデバイス。
【請求項２４】
単一の流路が提供されるか、または、単一の直線流路が提供されることを特徴とする請求項１乃至２３のいずれかに記載のデバイス。
【請求項２５】
すべての測定電極が同じ流路上にあることを特徴とする請求項１乃至２４のいずれかに記載のデバイス。
【請求項２６】
第１の予め決められた量の第１の較正分析物とその上に配された所望の分析物のための試薬を有する第１の較正電極と、
第２の予め決められた量の第１の較正分析物か、または、第１の予め決められた量の第２の較正分析物のいずれかと、その上に配された所望の分析物のための試薬とを含む第２の較正電極を含むことを特徴とする請求項１乃至２５のいずれかに記載のデバイス。
【請求項２７】
同じ量のまたは異なる量の同じ較正分析物または異なる較正分析物と、その上に配された所望の分析物のための試薬を含む３以上の較正電極を含むことを特徴とする請求項２６に記載のデバイス。
【請求項２８】
較正分析物の少なくとも１つは所望の分析物と同じ分析物であることを特徴とする請求項２６または２７に記載のデバイス。
【請求項２９】
試薬を含む少なくとも２つの作用電極が提供されることを特徴とする請求項１５乃至２８のいずれかに記載のデバイス。
【請求項３０】
以下の、流路の幾何学的形状、流路の高度、流路の幅、流路の長さ、少なくとも第１の較正電極の流路に沿った場所、少なくとも第１の作用電極の流路に沿った場所、第１の較正電極と第１の作用電極の間の距離、試薬の溶解速度、第１の予め決められた量の第１の較正分析物の溶解速度、試薬の厚み、提供される際の試薬膜の厚みの１以上が選択されることによって、第１の較正電極からの較正分析物または反応生成物が、拡散または別の方法によって第１の較正電極から第１の作用電極まで移動することができる前に、所望の分析物の濃度を示す適切な測定値が第１の作用電極で得られるようになることを特徴とする請求項１乃至２９のいずれかに記載のデバイス。
【請求項３１】
少なくとも１つの測定電極での測定のためのアッセイ時間は、別の測定電極からの試薬または反応生成物の拡散にかかる時間よりも短いことを特徴とする請求項１５乃至３０のいずれかに記載のデバイス。
【請求項３２】
少なくとも１つの作用電極でのアッセイ時間は、較正電極上の較正分析物および試薬、または、それらからの反応生成物が、溶けて、拡散または別の方法によってその作用電極に移動するのにかかる時間よりも短いことを特徴とする請求項１５乃至３１のいずれかに記載のデバイス。
【請求項３３】
所望の分析物は、グルコース、コレステロール、トリグリセリド、タンパク質、乳酸、ピルベート、アルコール、尿酸、および、ケトンから選択されることを特徴とする請求項１乃至３２のいずれかに記載のデバイス。
【請求項３４】
試薬は、酵素、媒介物質、および、補助因子の群から選択される１以上を含むことを特徴とする請求項１乃至３３のいずれかに記載のデバイス。
【請求項３５】
内部標準は、第１の予め決められた量の較正分析物、適切な媒介物質、および／または、補助因子を含み、試薬は酵素を含むことを特徴とする請求項１乃至３４のいずれかに記載のデバイス。
【請求項３６】
試薬は乾燥した膜の形状であり、
乾燥した膜は、
第１の膜形成成分と、
所望の分析物に敏感な第１の活性成分とを含むことを特徴とする請求項１乃至３５のいずれかに記載のデバイス。
【請求項３７】
乾燥した膜は、ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第１の膜形成成分を含むことを特徴とする請求項３６に記載のデバイス。
【請求項３８】
乾燥した膜は、ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースから選択される第２の膜形成成分をさらに含むことを特徴とする請求項３７に記載のデバイス。
【請求項３９】
第１の膜形成成分および第２の膜形成成分を含み、
第２の膜形成成分は、第１の膜形成成分よりも溶解しやすく、かつ、疎水性が低いことを特徴とする請求項３６乃至３８のいずれかに記載のデバイス。
【請求項４０】
乾燥した膜はバッファーを含むことを特徴とする請求項１乃至３９のいずれかに記載のデバイス。
【請求項４１】
試薬は所望の分析物に敏感な少なくとも第１と第２の活性成分を含むことを特徴とする請求項１乃至４０のいずれかに記載のデバイス。
【請求項４２】
第２の活性成分は、媒介物質またはフェリシアン化カリウムの媒介物質であることを特徴とする請求項４１に記載のデバイス。
【請求項４３】
第１の活性成分は、酵素またはグルコースオキシダーゼ酵素またはグルコースデヒドロゲナーゼ酵素であることを特徴とする請求項３６乃至４２のいずれかに記載のデバイス。
【請求項４４】
可塑剤、崩壊剤、および、界面活性剤の群から選択される少なくとも１つのさらなる膜形成成分を含むことを特徴とする請求項３６乃至４３のいずれかに記載のデバイス。
【請求項４５】
少なくとも１つのさらなる膜形成成分は、可塑剤：キシリトール、ソルビトール、エリスリトール、ポリエチレングリコールの群から選択されることを特徴とする請求項４４に記載のデバイス。
【請求項４６】
少なくとも１つのさらなる膜形成成分は、崩壊剤：微結晶性セルロース、クロスカルメロースナトリウム、ナトリウムデンプン糖化生成物、および、Ｐｒｏｓｏｌｖ  ＳＭＣＣ（登録商標）の群から選択されることを特徴とする請求項４５に記載のデバイス。
【請求項４７】
少なくとも１つのさらなる膜形成成分は、界面活性剤：フッ素系界面活性剤、Ｚｏｎｙｌ（登録商標）ＦＳＮ−１０（著作権）、シリコーンポリエーテル共重合体、Ｄｏｗ  Ｃｏｒｎｉｎｇ（登録商標）１９３Ｃ、Ｔｒｉｔｏｎ（登録商標）Ｘ−１００の群から選択されることを特徴とする請求項４４乃至４６のいずれかに記載のデバイス。
【請求項４８】
少なくとも１つの壁および／または蓋によって形成される流体チャンバーを含み、流体チャンバーは、流路に沿って流体を引きだすための毛細管として働くように、大きさが決められ、および／または、形状が決められ、および／または、寸法が決められ、および／または、処理されることを特徴とする請求項１乃至４７のいずれかに記載のデバイス。
【請求項４９】
２つの長縁部と２つの短縁部を有する一般的には長方形の基板を含み、流路への流体出入口が以下：長縁部にまたは長縁部に隣接して、短縁部にまたは短縁部に隣接して、デバイスのチャンバー蓋内で、のうちの１つに設けられることを特徴とする請求項４８に記載のデバイス。
【請求項５０】
基板を含み、
基板内で試薬層を形成する試薬膜は基板の縁部にまで及び、露出した試薬膜のシェルフ領域を形成するように前記縁部までは及ばないチャンバー蓋が提供され、流路への入口は試薬膜の露出した部分のシェルフ領域に隣接することを特徴とする請求項１乃至４９のいずれかに記載のデバイス。
【請求項５１】
流体中の所望の分析物のレベルを測定するためのセンサーデバイスであって、
前記センサーデバイスは、
流体用の流路と、
第１の予め決められた量の第１の較正分析物を含む内部標準に隣接する所望の分析物のための、流路上の試薬とを含み、
試薬と予め決められた量の第１の較正分析物は、乾燥した形状であり、
試薬は、乾燥した形状で予め形成されることを特徴とするセンサーデバイス。
【請求項５２】
流体中の所望の分析物のレベルを測定するためのセンサーデバイスであって、
前記センサーデバイスは、
流体用の流路と、
第１の予め決められた量の第１の較正分析物を含む内部標準に隣接する所望の分析物のための、流路上の試薬とを含み、
試薬と予め決められた量の第１の較正分析物は、乾燥した形状であり、
試薬と第１の予め決められた量の第１の較正分析物は、流路の同じ側にあることを特徴とするセンサーデバイス。
【請求項５３】
流体中の所望の分析物のレベルを測定するためのセンサーデバイスであって、
前記センサーデバイスは、
流体用の流路と、
第１の予め決められた量の第１の較正分析物を含む内部標準と所望の分析物のための、流路上の試薬とを含み、
試薬と予め決められた量の第１の較正分析物は乾燥した形状であり、
試薬は水溶性の乾燥した膜を含むことを特徴とするセンサーデバイス。
【請求項５４】
請求項２乃至５０の特徴の任意の１以上を含むことを特徴とする請求項５１乃至５３のいずれかに記載のデバイス。
【請求項５５】
所望の分析物を検出するための請求項１乃至５４に記載のセンサーデバイスを製造する方法であって、
前記方法は、
流路を形成する工程、
第１の予め決められた量の第１の較正分析物に隣接する所望の分析物のための試薬を、流路上に置く工程を含み、
試薬と予め決められた量の第１の較正分析物は、乾燥した形状であることを特徴とする方法。
【請求項５６】
流路に測定電極を置く工程と、
試薬と第１の予め決められた量の第１の較正分析物を測定電極に隣接して置く工程とを含むことを特徴とする請求項５５に記載の方法。
【請求項５７】
第１の較正分析物と所望の分析物は同じ分析物であることを特徴とする請求項５５または５６に記載の方法。
【請求項５８】
試薬は、置く工程の前は乾燥した形状であることを特徴とする請求項５５、５６、または、５７に記載の方法。
【請求項５９】
試薬は乾燥した試薬膜からなることを特徴とする請求項５５乃至５８のいずれかに記載の方法。
【請求項６０】
乾燥した膜は水溶性の乾燥した試薬膜を含むことを特徴とする請求項５９に記載の方法。
【請求項６１】
乾燥した試薬膜を予め形成する工程を含むことを特徴とする請求項５９または６０に記載の方法。
【請求項６２】
前記予め形成する工程は、
第１の膜形成成分を提供する工程、
混合物を形成するために、分析物に敏感な少なくとも１つの活性成分を第１の膜形成成分に加える工程、
膜を形成するために混合物を引き出す工程、
膜を乾燥させる工程を含むことを特徴とする請求項６１に記載の方法。
【請求項６３】
溶液を形成する工程と、膜を形成するために溶液を引き出す工程を含むことを特徴とする請求項６２に記載の方法。
【請求項６４】
膜形成成分はポリマーを含むことを特徴とする請求項６２または６３に記載の方法。
【請求項６５】
加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第１の膜形成成分を提供する工程を含むことを特徴とする請求項６２乃至６４のいずれかに記載の方法。
【請求項６６】
加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシプロピルメチルセルロースの群から選択される第２の膜形成成分を提供する工程を含むことを特徴とする請求項６２乃至６５のいずれかに記載の方法。
【請求項６７】
第１の膜形成成分と第２の膜形成成分を提供する工程を含み、
第２の膜形成成分は、第１の膜形成成分よりも溶解しやすく、かつ、疎水性が低いことを特徴とする請求項５５乃至６６のいずれかに記載の方法。
【請求項６８】
少なくとも第１と第２の活性成分を提供する工程を含むことを特徴とする請求項６２乃至６９のいずれかに記載の方法。
【請求項６９】
第１の活性成分として酵素を提供する工程と、もし提供されるのであれば、第２の活性成分として媒介物質を提供する工程と、もし提供されるのであれば、第３の活性成分として補助因子を提供する工程を含むことを特徴とする請求項６２乃至６８のいずれかに記載の方法。
【請求項７０】
酵素はグルコースオキシダーゼまたはグルコースデヒドロゲナーゼであり、もし提供されるのであれば、媒介物質はフェリシアン化カリウムであることを特徴とする請求項６９に記載の方法。
【請求項７１】
可塑剤、崩壊剤、および、界面活性剤の群から選択される少なくとも１つのさらなる膜形成成分を提供する工程を含むことを特徴とする請求項６２乃至７０のいずれかに記載の方法。
【請求項７２】
可塑剤：キシリトール、ソルビトール、エリスリトール、ポリエチレングリコールの群から選択される少なくとも１つのさらなる膜形成成分を提供する工程を含むことを特徴とする請求項７１に記載の方法。
【請求項７３】
崩壊剤：微結晶性セルロース、クロスカルメロースナトリウム、ナトリウムデンプン糖化生成物、および、Ｐｒｏｓｏｌｖ  ＳＭＣＣ（登録商標）の群からの少なくとも１つのさらなる膜形成成分を選択する工程を含むことを特徴とする請求項７１または７２に記載の方法。
【請求項７４】
界面活性剤：フッ素系界面活性剤、Ｚｏｎｙｌ（登録商標）ＦＳＮ−１０（著作権）、シリコーンポリエーテル共重合体、Ｄｏｗ  Ｃｏｒｎｉｎｇ（登録商標）１９３Ｃ、Ｔｒｉｔｏｎ（登録商標）Ｘ−１００の群から選択される少なくとも１つのさらなる膜形成成分を選択する工程を含むことを特徴とする請求項７１、７２、または、７３に記載の方法。
【請求項７５】
少なくとも１つの測定電極を提供する工程と、
予め決められた量の第１の較正分析物を測定電極上に置く工程と、
較正電極を形成するために、予め決められた量の第１の較正分析物の上に所望の分析物のための試薬を置く工程とを含むことを特徴とする請求項５５乃至７５のいずれかに記載の方法。
【請求項７６】
試薬は水溶性の乾燥した試薬膜を含むことを特徴とする請求項７５に記載の方法。
【請求項７７】
少なくとも１つの測定電極を含む導電層を形成する工程と、
電極層の少なくとも１つの測定電極上の少なくとも１つの予め決められた量の第１の較正分析物を含む第１の較正層を形成する工程と、
所望の分析物のための試薬膜を予め形成する工程と、
較正電極を形成するために、予め決められた量の較正分析物を有する少なくとも１つの電極の少なくとも一部上に試薬膜を置く工程を含むことを特徴とする請求項５５乃至７７のいずれかに記載の方法。
【請求項７８】
予め決められた量の較正分析物上に、試薬膜を少なくとも一部または全体にわたって置く工程を含むことを特徴とする請求項７６または７７に記載の方法。
【請求項７９】
少なくとも２つの測定電極を形成する工程と、
較正分析物を含まない少なくとも１つの測定電極を残す工程と、
作用電極を形成するために、前記少なくとも１つの測定電極の少なくとも一部上に試薬膜を置く工程と、
較正電極を形成するために、較正分析物を有する電極の少なくとも一部上に試薬膜を置く工程とを含むことを特徴とする請求項５５乃至７８のいずれかに記載の方法。
【請求項８０】
背景電極を形成するために、較正分析物を含まず、試薬を含まない少なくとも１つの電極を残す工程を含むことを特徴とする請求項７９に記載の方法。
【請求項８１】
少なくとも１つの較正電極が、流路上の少なくとも１つの作用電極の上流に位置することを特徴とする請求項５５乃至８０のいずれかに記載の方法。
【請求項８２】
単一の流路が提供されるか、または、単一の直線流路が提供されることを特徴とする請求項５５乃至８１のいずれかに記載の方法。
【請求項８３】
第１の予め決められた量の第１の較正分析物と、その上に配された所望の分析物のための試薬を有する第１の較正電極を提供する工程と、
第２の予め決められた量の第１の較正分析物または第１の予め決められた量の第２の較正分析物のいずれかと、その上に配された所望の分析物のための試薬を有する第２の較正電極を提供する工程とを含むことを特徴とする請求項５５乃至８２のいずれかに記載の方法。
【請求項８４】
同じ量のまたは異なる量の同じ較正分析物または異なる較正分析物と、その上に配された所望の分析物のための試薬とを含む３以上の較正電極を提供する工程を含むことを特徴とする請求項５５乃至８３のいずれかに記載の方法。
【請求項８５】
較正分析物の少なくとも１つは所望の分析物と同じ分析物であることを特徴とする請求項８３または８４に記載の方法。
【請求項８６】
下記：流路の幾何学的形状、流路の高度、流路の幅、流路の長さ、少なくとも第１の較正電極の流路に沿った場所、少なくとも第１の作用電極の流路に沿った場所、第１の較正電極と第１の作用電極の間の距離、試薬の溶解速度、第１の予め決められた量の第１の較正分析物の溶解速度、試薬の厚み、もし提供されるのであれば試薬膜の厚み、の１以上が選択されることによって、第１の較正電極からの較正分析物または反応生成物が拡散または別の方法によって、第１の較正電極から第１の作用電極まで移動することができる前に、使用時に、所望の分析物の濃度を示す適切な測定値が第１の作用電極で得られるようになることを特徴とする請求項５５乃至８５のいずれかに記載の方法。
【請求項８７】
所望の分析物は、グルコース、コレステロール、トリグリセリド、乳酸、タンパク質、ピルベート、アルコール、尿酸、および、ケトンから選択されることを特徴とする請求項５５乃至８６のいずれかに記載の方法。
【請求項８８】
試薬は、酵素、媒介物質、および、補助因子の群から選択される１以上を含むことを特徴とする請求項５５乃至８７のいずれかに記載の方法。
【請求項８９】
内部標準は、第１の予め決められた量の較正分析物、適切な媒介物質、および／または、補助因子を含み、試薬は酵素を含むことを特徴とする請求項５５乃至８８のいずれかに記載の方法。
【請求項９０】
内部標準はバッファーを含むことを特徴とする請求項５５乃至８９のいずれかに記載の方法。
【請求項９１】
請求項１乃至５４の任意の１以上の特徴を提供する工程を含むことを特徴とする請求項５５乃至９０のいずれかに記載の方法。
【請求項９２】
第１の膜形成成分と、
所望の分析物に敏感な第１の活性成分を含む試薬とを含む試薬膜。
【請求項９３】
約３０μｍ乃至９０μｍの範囲で、約４０μｍ乃至８０μｍの範囲で、約１００μｍ未満で、約９０μｍ未満で、約９０μｍで、約８０μｍで、約８０μｍ未満で、約６０μｍで、または、約６０μｍ未満で、の群から選択される湿った厚みを有することを特徴とする請求項９２に記載の試薬膜。
【請求項９４】
膜の半分以上、膜の７５％以上、または、膜の約９０％以上が決められた領域内で、約２秒、約２秒未満、約１．５秒、約１．５秒未満、約１秒、約１秒未満、約０．５秒、約０．５秒未満、約０．２５秒、約０．２５秒未満、約０．２秒未満、約０．１秒未満の群から選択された時間内に溶けるような溶解速度を有することを特徴とする請求項９２または９３に記載の試薬膜。
【請求項９５】
乾燥していることを特徴とする請求項９２乃至９４のいずれかに記載の試薬膜。
【請求項９６】
水溶性であることを特徴とする請求項９２乃至９５のいずれかに記載の試薬膜。
【請求項９７】
ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第１の膜形成成分を含むことを特徴とする請求項９２乃至９６のいずれかに記載の試薬膜。
【請求項９８】
ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第２の膜形成成分を含むことを特徴とする請求項９２乃至９７のいずれかに記載の試薬膜。
【請求項９９】
第１の膜形成成分および第２の膜形成成分を含み、
第２の膜形成成分は、第１の膜形成成分よりも溶解しやすく、疎水性が低いことを特徴とする請求項９２乃至９８のいずれかに記載の試薬膜。
【請求項１００】
所望の分析物に敏感な少なくとも第１と第２の活性成分を含むことを特徴とする請求項９２乃至９９のいずれかに記載の試薬膜。
【請求項１０１】
第２の活性成分は媒介物質またはフェリシアン化カリウムの媒介物質であることを特徴とする請求項９２乃至１００のいずれかに記載の試薬膜。
【請求項１０２】
第１の活性成分は、酵素またはグルコースオキシダーゼ酵素またはグルコースデヒドロゲナーゼ酵素であることを特徴とする請求項９２乃至１０１のいずれかに記載の試薬膜。
【請求項１０３】
少なくとも１つのさらなる膜形成成分は、可塑剤、崩壊剤、および、界面活性剤の群から選択されることを特徴とする請求項９２乃至１０２のいずれかに記載の試薬膜。
【請求項１０４】
少なくとも１つのさらなる膜形成成分は、可塑剤：キシリトール、ソルビトール、エリスリトール、ポリエチレングリコールの群から選択されることを特徴とする請求項９２乃至１０３のいずれかに記載の試薬膜。
【請求項１０５】
少なくとも１つのさらなる膜形成成分は、崩壊剤：微結晶性セルロース、クロスカルメロースナトリウム、ナトリウムデンプン糖化生成物、および、Ｐｒｏｓｏｌｖ  ＳＭＣＣ（登録商標）の群から選択されることを特徴とする請求項９２乃至１０４のいずれかに記載の試薬膜。
【請求項１０６】
少なくとも１つのさらなる膜形成成分は界面活性剤：フッ素系界面活性剤、Ｚｏｎｙｌ（登録商標）ＦＳＮ−１０（著作権）、シリコーンポリエーテル共重合体、Ｄｏｗ  Ｃｏｒｎｉｎｇ（登録商標）１９３Ｃ、Ｔｒｉｔｏｎ（登録商標）Ｘ−１００の群から選択されることを特徴とする請求項９２乃至１０５のいずれかに記載の試薬膜。
【請求項１０７】
第１の膜形成成分を提供する工程と、
混合物を形成するために、分析物に敏感な少なくとも１つの活性成分を第１の膜形成成分に加える工程と、
膜を形成するために混合物を引き出す工程と、
膜を乾燥させる工程とを含むことを特徴とする請求項９２乃至１０６のいずれかに記載の試薬膜を製造する方法。
【請求項１０８】
溶液を形成する工程と、膜を形成するために溶液を引き出す工程とを含むことを特徴とする請求項１０７に記載の方法。
【請求項１０９】
湿った膜の厚みを制御する工程を含むことを特徴とする請求項１０７または１０８に記載の方法。
【請求項１１０】
予め決められた湿った厚みを有するよう膜を引き出す工程を含むことを特徴とする請求項１０７、１０８、または、１０９に記載の方法。
【請求項１１１】
約３０μｍ乃至９０μｍの範囲で、約４０μｍ乃至８０μｍの範囲で、約１００μｍ未満で、約９０μｍ未満で、約９０μｍで、約８０μｍで、約８０μｍ未満で、約６０μｍで、または、約６０μｍ未満で、の群から選択される湿った厚みを有する試薬膜を提供する工程を含むことを特徴とする請求項１０７乃至１１０のいずれかに記載の方法。
【請求項１１２】
請求項９２乃至９６の任意の１以上の特徴を有する膜を提供する工程を含むことを特徴とする請求項１０７乃至１１１のいずれかに記載の方法。
【請求項１１３】
第１の較正電極からの較正分析物または反応生成物が拡散または別の方法によって、第１の較正電極から第１の作用電極まで移動することができる前に、第１の作用電極での所望の分析物の濃度を示す測定値を得る工程を含むことを特徴とする、請求項１乃至５４のいずれか１つに記載のセンサーを用いてアッセイを行う方法。
【請求項１１４】
少なくとも１つの測定電極での測定のためのアッセイ時間が、少なくとも１つの測定電極での測定に対して、別の測定電極からの試薬または反応生成物の拡散にかかる時間よりも短いことを特徴とする請求項１１３に記載のアッセイを行う方法。
【請求項１１５】
波面は、所望の分析物のための試薬と、第１の予め決められた量の第１の較正分析物とに、約０．７５秒、約０．５秒、約０．２５秒、約０．２秒、約０．１秒、約０．０５秒、約０．０２５秒、約０．０２秒、および、約０．０１秒の群から選択される時間内に到達し、および／または、
試薬膜が提供され、前記試薬膜は、所定の領域内の膜の半分以上、膜の７５％以上、または、膜の約９０％以上が、約２秒、約２秒未満、約１．５秒、約１．５秒未満、約１秒、約１秒未満、約０．５秒、約０．５秒未満、約０．２５秒、約０．２５秒未満、約０．２秒未満、約０．１秒未満の群から選択された時間内に溶けるような溶解速度を有する、ことを特徴とする請求項１１３または１１４に記載のアッセイを行う方法。
【請求項１１６】
反応が約４秒乃至約１２秒の間、約４秒乃至約１０秒の間、約５秒乃至約１０秒の間、約４秒乃至約６秒の間、約５秒で、約６秒で、約８秒で、約１０秒で、約１２秒で、の群から選択される時間で定常状態に到達する前に、分析物の濃度を示す信号を測定する工程を含むことを特徴とする請求項１１３乃至１１５のいずれかに記載のアッセイを行う方法。
【請求項１１７】
測定値を較正する方法であって、
前記方法は、
請求項１乃至５４のいずれか１以上に記載の第１のセンサーを提供する工程と、
作用電極で作用電極の電流を測定する工程と、
予め決められた量の較正分析物を反映する較正電流と、分析物を投与した流体サンプル中の既知の量の所望の分析物を反映する作用電極電流とを測定する工程と、
補正因子を測定するために較正電流および作用電極電流を使用する工程とを含むことを特徴とする方法。
【請求項１１８】
第１のセンサーと同一の、請求項１乃至５４のいずれかに記載の第２のセンサーを提供する工程と、
補正された作用電極電流および／または補正された分析物の濃度に到達するように、第２のセンサーからの作用電極電流と較正電流に補正因子を適用する工程を含むことを特徴とする請求項１１７に記載の方法。
【請求項１１９】
請求項１乃至５４の任意の１以上に記載の一群のセンサーを提供する工程と、
前記群からセンサーのサブセットを選択する工程と、
分析物を投与した流体サンプル中の同じおよび／または異なる既知の量の所望の分析物のために、同じ夫々の測定電極で較正電流と作用電極電流を測定する工程と、
センサーのその設計用のその量の較正分析物のための予想される較正電流を測定する工程と、
予想された較正電流を反映する補正因子を提供する工程とを含むことを特徴とする請求項１１８に記載の方法。
【請求項１２０】
前記群からさらなるセンサーを提供する工程と、試験を行うために未知の量の分析物を有する流体サンプルを使用する工程と、
補正された作用電極電流を提供するために、試験からの補正因子と較正電流を使用する工程を含むことを特徴とする請求項１１７乃至１１９のいずれかに記載の方法。
【請求項１２１】
同じセンサーまたは異なるセンサーからの１以上の較正電流を平均化する工程と、同じセンサーまたは異なるセンサーからの一連の較正電流に曲線または直線を合わせる工程と、  ゼロのサンプル分析物濃度で予想される較正電流を測定する工程の１以上によって、第１の量の較正分析物のためのセンサーのこの設計用に予想される較正電流を測定する工程を含むことを特徴とする請求項１１７乃至１２０のいずれかに記載の方法。
【請求項１２２】
請求項１乃至５４のいずれか１つに記載のセンサーに接続するためのコネクターと、
センサーを操作し、そこからの測定信号を測定するための電源および測定回路と、
電源および測定ユニットから測定信号を受け取るための、および、測定結果を送達するために測定信号を分析するための中央処理装置とを含むことを特徴とするメーター。
【請求項１２３】
請求項１２２に記載のメーターと、請求項１乃至５４のいずれか１つに記載のセンサーを含むことを特徴とするキット。
【発明の詳細な説明】
【技術分野】
【０００１】
本発明は、体液（例えば、血液、血漿、尿、間質液、唾液、髄液）などの流体中の所望の分析物の濃度といったレベルを測定するためのセンサーデバイス、センサーデバイスを製造する方法、センサーで使用するための試薬膜、センサーで使用するための試薬膜を製造する方法、センサーを使用してアッセイを行う方法、センサーからの測定値を較正する方法、一群の（ａ  ｂａｔｃｈ  ｏｆ）センサーを較正する方法、センサーとともに使用するためのメーター、本発明に従ってメーターとセンサーを含むキットに関する。
【背景技術】
【０００２】
本出願は、それぞれ２００９年７月２７日と２００９年９月１２日に出願された、英国特許出願第ＧＢ０９１３０１５．４号（ＳＵＲＥＳＥＮＳＯＲＳ）と第ＧＢ０９１６０６７．２号（ＳＵＲＥＳＥＮＳＯＲＳ）からの優先権に関するとともにこの優先権を主張する。
【０００３】
糖尿病は最も広く知られている無感染疾患の１つである。約２億４６００万人が糖尿病に苦しんでおり、毎年、さらに７００万人が糖尿病にかかると推測されている。
糖尿病に関連した合併症は、心臓発作、卒中、血液循環障害、腎障害、失明、および、神経伝導障害を引き起こす危険性を増加させる。
【０００４】
血液中のグルコースの濃度を評価することは、糖尿病を管理する確立された有効な方法である。糖尿病患者、特に、インスリン依存性の糖尿病患者は、処置プランを適応させ、かつ、改善するために、血糖値を１日数回モニターするように助言される。血糖値が測定される回数によって、糖尿病患者は医療管理の必要なく血糖値を自分でモニターすることができるのが非常に望ましい。
【０００５】
血糖を測定するためのような家庭用アッセイシステムは、サンプルの量とアッセイ時間を減らすために、近年著しい進歩を遂げた。しかしながら、依然として、様々な理由によって著しく誤った結果をもたらしかねない。これらの理由は、誤ったストリップの保存、環境要因、サンプル中の妨害因子、および／または、異常に高いまたは低いヘマトクリット値を含む。もしこれらの因子の１以上が試験時に存在したら、その問題は拡大する。製造業者が追求している１つの解決策は、ストリップ反応に影響を与えかねない１以上の因子を別の試験で測定し、その後、測定された因子中の任意の極端なものを補正しようとするものである。この方法は、誤差を誘発する因子の正確な測定と、誤差補正のための普遍的に適用可能なアルゴリズムに依存する。
【０００６】
特許文献１（ＢＡＹＥＲ；ＨＵＡＮ−ＰＩＮＧ）は、出力信号から抽出された１以上の指数関数を形成するように、出力信号から分析物濃度を測定するための相関関係を調節することができるバイオセンサーシステムを開示している。
【０００７】
使い捨ての電気化学的グルコースセンサーは長年利用されており、特許文献２（ＰＯＬＬＭＡＮＮ  ｅｔ  ａｌ）、特許文献３（ＩＮＶＥＲＮＥＳＳ  ＭＥＤＩＣＡＬ；  ＤＡＶＩＥＳ  ｅｔ  ａｌ）、および、特許文献４（ＲＯＣＨＥ；  ＷＩＬＳＥＹ）、特許文献５（ＵＳＦ  ＦＩＬＴＲＡＴＩＯＮ；  ＨＯＤＧＥＳ  ｅｔ  ａｌ）、特許文献６（ＭＥＭＴＥＣ；  ＨＯＤＧＥＳ  ｅｔ  ａｌ）、特許文献７（ＩＮＶＥＲＮＥＳＳ  ＭＥＤＩＣＡＬ；  ＭｃＡＬＥＥＲ  ｅｔ  ａｌ）、および、特許文献８（ＬＩＦＥＳＣＡＮ；  ＯＨＡＲＡ  ｅｔ  ａｌ）を含む多くの特許で記載されている。これらのシステムは、典型的には、例えば、メーターに挿入されるストリップの形態の使い捨ての試験センサーを使用する。ひとたび測定が行われると、試験ストリップは取り除かれて捨てられる。言い換えれば、これは１回限りの使い捨てのセンサーである。しかしながら、現在利用可能システムは、決められた動作範囲の２以上の両極端付近で使用されると（例えば、ヘマトクリット領域の下端にサンプルを伴う、および、異常に高いレベルの干渉物質を備える）、または、何らかの方法で誤用されると、すべて誤った結果を与えがちである。ユーザーによっては納品時の梱包の外側にストリップを保存することもあり、これは結果として不正確な数値を生ずると知られている。このような発生を軽減し、したがって、もっと信頼できる測定法を作り出す１つの方法は、各試験ストリップに含まれる内部標準（ｉｎｔｅｒｎａｌ  ｓｔａｎｄａｒｄ）からの既知の読み取りを捜す内部較正を使用することである。この手法は、特許文献９（ＰＡ  ＣＯＮＳＵＬＴＩＮＧ；  ＮＯＢＬＥ）、特許文献１０（ＳＵＲＥＳＥＮＳＯＲＳ；  ＤＡＶＩＥＳ）、および、特許文献１１と特許文献１２（両方ともＥＧＯＭＥＤＩＣＡＬ；  ＳＴＥＩＮＥ  ｅｔ  ａｌ）に、例えば記載されている。
【０００８】
センサーの設計は、電極表面で試薬を保持するか、または、潜在的な干渉物質（ｉｎｔｅｒｆｅｒｅｎｔｓ）に対する障壁を提供するために（例えば、特許文献１３，ＥＬＩ  ＬＩＬＬＹ；  ＡＬＬＥＮ）、水不溶性の膜を使用することがある。特許文献１３（ＥＬＩ  ＬＩＬＬＹ；  ＡＬＬＥＮ）は、「バイオセンサー用のアクリル共重合体膜」を開示しており、「本発明の膜は水性環境で基質に対する優れた堆積性を示し、非常に優れた湿潤強度を有している」。
【０００９】
特許文献１４（ＡＧＡＭＡＴＲＩＸ；  ＩＹＥＮＧＡＲ  ｅｔ  ａｌ）は、試験ストリップに適用される可変性の潜在的な波形の使用と、グルコース反応に対立するものとしての妨害因子の効果を測定するために使用される信号解析とを開示している。特許文献１５（ＬＩＦＥＳＣＡＮ；ＣＨＡＴＡＬＩＥＲ  Ｅｔ  ａｌ）は、ヘマトクリットのインジケーターとしての抵抗性の使用と、ヘマトクリットの効果を補正しようとするアルゴリズムの使用とを示す。
【００１０】
特許文献１６（ＭＥＲＣＵＲＹ  ＤＩＡＧＮＯＳＩＳ；  ＤＯＵＧＬＡＳ  ｅｔ  ａｌ）は、「赤血球細胞の通路を遮断し、分析物を含む血液を通過させることが可能な水不溶性の重合体層」を含む、グルコース試験ストリップを開示している。
【００１１】
診断デバイスにおける膜の代替的な使用は、固定化した試薬または吸収された試薬を支持するのに利用可能な表面積を増加させるための多孔質膜の使用である。例えば、特許文献１７（ＵＳＦ  ＦＩＬＴＲＡＴＩＯＮ；  ＨＯＤＧＥＳ  ｅｔ  ａｌ）は、免疫センサーのためのマクロ多孔質膜の使用を開示するとともに、「タンパク質または抗体がマトリックス（例えば、ポリビニルアセテート）内に包含される」ことも開示している。サンプル中のマトリックスの溶解性を変えることによって、サンプル中へのタンパク質または抗体の徐放が達成される。記載された支持構造体は、水不溶性か、または、水に非常に溶けにくい。
【００１２】
バイオセンサーで典型的に使用されるような血球細胞または干渉物質除膜の使用は、それらが水性サンプルの存在下で元のままの状態であることを必要とする。
【００１３】
電気化学的なグルコースストリップは、典型的には試薬で検出表面の１以上を覆うことによって構築される。酵素と媒介物質の活性成分に加えて、試薬製剤は、一般的には製造方法に必要な特性を与えるか、または、試験ストリップに望ましい特性を与える非反応性成分も含む。一般的に、センサーは、液体として検出表面上に試薬を置き、その後、試薬層を乾かすことによって作られる。液体試薬の堆積は、スクリーン印刷、一滴の液体投与、または、インクジェット印刷のような様々な方法によって行うことができる。
【００１４】
特許文献１８（ＳＵＲＲＩＤＧＥ  ｅｔ  ａｌ）は、柔軟な基質に配置された互いに組み合わせた（ｉｎｔｅｒｄｉｇｉｔａｔｅｄ）アレイの使用を示し、「センサーチャンバー（ＩＤＡ）に化学マトリックスを適用するための好ましい方法は、１ミリメートル×４ミリメートルのチャンバーに５００ナノリットルのコーティング溶液を分散分注することである」と記載している。
【００１５】
特許文献１９（ＰＯＬＬＭＡＮ  ｅｔ  ａｌ）は、「上記の手順によって作られた６μｌの試薬がカットアウト（８）によって形成されたウェル（９）に加えられる。試薬（１１）のこの量は、両方の電極上の表面積（１０）を十分に覆うほどである」とも開示している。
【００１６】
診断デバイス用の集積不可能な（ｄｉｓｉｎｔｅｇｒａｔａｂｌｅ）膜の使用は、特許文献２０（ＡＤＨＥＳＩＶＥＳ  ＲＥＳＥＡＲＣＨ；  ＭＥＡＴＨＲＥＬ  ｅｔ  ａｌ）で開示されており、この文献で「１以上の試薬を含む集積不可能な膜は、試薬の安定性を改善することができる。さらに、膜は試験デバイス内の特定の領域に限局可能であり、水溶液と比較して容易に扱うことができるため、試薬をより有効かつ効率的に使用することができる。さらに、膜が所望の量の試薬を有する個々の部分に分けられ、希望に応じて、試薬を噴霧し、コーティングし、または、試薬を取り除く必要がなくなるため、膜の形態で試薬を提供することで、効率的な使用を促進して、膜の消耗を最小限化する」と述べられている。
【００１７】
特許文献９（ＰＡ  ＣＯＮＳＵＬＴＩＮＧ；  ＮＯＢＬＥ）は、流路内の検出領域の特異的な配列を備えた概念を開示している。「好ましい配置では、検出手段は少なくとも２つの検出器を含み、前記検出器の第１の検出器は、混じり気のないサンプル中の分析物レベルを検出するように配置され、前記検出器の第２の検出器は、較正サンプル中の分析物レベルを検出するために前記予め決められた量の分析物の下流に配置される。上記配置の１つの実施形態では、前記第１と第２の検出器は流路上に連続して配置され、前記予め決められた量の分析物は前記第１と第２の検出器の間に配される。したがって、流体が、順に、第１の検出器、予め決められた量の分析物、および、第２の検出器を通過する単一の流路が存在する」。該文献はさらに続けて、「センサーストリップ上の較正グルコースは、該グルコースを通る血液サンプルとすばやく均質的に混じることも望ましい」と付け加えている。
【００１８】
特許文献１０（ＳＵＲＥＳＥＮＳＯＲＳ；  ＤＡＶＩＥＳ）は、複数の内部標準の使用を開示しているが、電気化学の試験ストリップを設計する実際の手段を開示していない。
【００１９】
特許文献１２（ＥＧＯＭＥＤＩＣＡＬ；  ＳＴＩＥＮＥ  ｅｔ  ａｌ）は、個別のサンプルチャネル内に多数の内部標準を各々含む診断デバイスについて開示している。標準として使用される予め決められた量の分析物は、活発な試薬に対してサンプルチャンバーの対向面に置かれる。これは、試薬からの内部標準分析物の適切な分離を達成するが、しかしながら、バルクサンプル（ｂｕｌｋ ｓａｍｐｌｅ）の恐らくどこかで試薬と遭遇するまでは反応しない内部標準からの分析物とは対立するように（非常に短い拡散経路を提供する作用電極に非常に接近して反応する）試薬と反応する、サンプルからの分析物のための十分に異なる輸送経路を作成する。
【００２０】
特許文献２１（ＬＩＦＥＳＣＡＮ；  ＭＡＴＺＩＮＧＥＲ）は、不溶性の支持マトリックス上に広がる試薬を使用する光度グルコース測定システムを開示している。これらの不溶性マトリックスは試薬の拡散を遅らせて、結果として４５秒のアッセイ時間を遅らせる。そのようなアッセイ時間は、約５秒という現在の産業標準と比較すると、今では商業的には承諾しがたい。電気化学アッセイ形式で１０秒未満の迅速な試験時間を達成するために、本発明は１つの例示的な実施形態で設計される。
【００２１】
特許文献９（ＰＡ  ＣＯＮＳＵＬＴＩＮＧ：  ＮＯＢＬＥ）、特許文献１０（ＳＵＲＥＳＥＮＳＯＲＳ；  ＤＡＶＩＥＳ）、特許文献１２（ＥＧＯＭＥＤＩＣＡＬ；  ＳＴＩＥＮＥ  ｅｔ  ａｌ）、および、特許文献２１（ＬＩＦＥＳＣＡＮ；  ＭＡＴＺＩＮＧＥＲ）は、診断用の試験ストリップに適用された内部標準の概念の態様を開示している。しかしながら、これらはすべて、部分的な解決策のみ、または、本発明と比較した内部標準法の実施にいくつかの重要な短所を有する解決策を提供する。
【００２２】
先に開示した技術は、本発明の１以上の実施形態によって記載された内部標準の準備に係る問題に対処していない。分析物、一例としてグルコースは、試験サンプル中に既に溶けており、そのため、試験ストリップの反応成分は該分析物をすでに含むサンプルに可溶化する。発明者は、サンプル中の分析物の量と、それに加えて、測定される前にサンプルに溶けなればならない同じ分析物の追加「標準」レベルが存在するという点で、内部標準試験に係る状況が異なることを認識している。むしろ、この余分な工程は標準の測定効率にはなんの効果もない。
【００２３】
典型的に、センサー製造方法は、湿った膜キャスティング、液体投与、または、スクリーン印刷技術によって検出領域上に湿った試薬製剤を置く。この湿った試薬製剤が標準物質に接触すると、試薬層が乾燥する間に、内部標準分析物によっていくつかの初期反応が生じる可能性がある。これは内部標準の使用に有害な変更形態をもたらすために望ましくない。
【００２４】
センサー製造の間、および／または、その後の使用前のセンサー保存の間に行われる意図しない反応のリスクを、任意のかなりの程度まで減らしておそらくは除去する、試薬と内部較正標準を有するセンサーを製造する方法が必要とされる。とりわけ、所望の分析物が較正分析物と同じである場合に、本発明の１以上の態様は、試薬と標準用量の較正分析物との間の意図しない反応の問題に対する解決策を提供しようとする。
【００２５】
本発明の１以上の態様は、測定電極へのそれぞれの輸送経路の違いを導入することなく、内部標準と試薬とを分離する問題に対する解決策を求めるものである。
【００２６】
さらに、本発明の１以上の態様は、所望の分析物と試薬との間の反応のタイミング、および、試薬と較正分析物との間の反応のタイミングの問題に対する解決策を求める。そのような問題は、異なる時間に開始すること、または、持続時間が異なること、および、恐らくは、所望の分析物の測定に悪影響を与えることを含む。
【００２７】
本発明は、少量のサンプル量と短い試験時間を有するセンサーも提供しようとするものである。
【先行技術文献】
【特許文献】
【００２８】
【特許文献１】米国第２００９／０１７７４０６号
【特許文献２】米国第５２８８６３６号
【特許文献３】ＷＯ０１／０７３１２４
【特許文献４】米国第７２７６１４７号
【特許文献５】米国第６２８４１２５号
【特許文献６】ＷＯ９７／１８４６５
【特許文献７】米国第６２４１８６２号
【特許文献８】米国第６１９３８７３号
【特許文献９】ＷＯ２００５／０８０９７０
【特許文献１０】ＷＯ２００８／０２９１１０
【特許文献１１】米国第２００７／０２８７１９１号
【特許文献１２】ＷＯ２００６／０１５６１５
【特許文献１３】ＷＯ９３／１５６５１
【特許文献１４】米国第２００３／０１７８３２２号
【特許文献１５】米国第２００９／０１８４００４号
【特許文献１６】ＷＯ９７／３８１２６
【特許文献１７】ＷＯ０２／０８７６３
【特許文献１８】米国第２００３／１１６４４７号
【特許文献１９】米国第５，２８８，６３６号
【特許文献２０】ＷＯ２００５／０４０２２８
【特許文献２１】米国第２００６／００２４８３５号
【特許文献２２】米国第２００６／００２４８３５号
【発明の概要】
【課題を解決するための手段】
【００２９】
本発明の第１の態様は、流体中の所望の分析物のレベルを測定するためのセンサーデバイスを提供し、該センサーデバイスは、流体用の流路；第１の予め決められた量の第１の較正分析物を含む内部標準に隣接する所望の分析物のための、流路上の試薬を含み、試薬と予め決められた量の第１の較正分析物は、乾燥した形状である。
【００３０】
本発明の第２の態様はデバイスを提供し、該デバイスは、第１の予め決められた量の第１の較正分析物と、その上に配された所望の分析物のための試薬を含む第１の較正電極、所望の分析物のための試薬をその上に含む第１の作用電極を含み、第１の較正電極は第１の作用電極の上流にある。
【００３１】
以下の典型的な実施形態のうちの任意の１以上における１以上の特徴は、本発明の任意の１以上の態様とともに組み合わされる。
【００３２】
典型的な実施形態では、デバイスは、使い捨ての試験ストリップである試験ストリップを含む。典型的な実施形態では、１以上の測定電極が設けられる。
【００３３】
典型的な実施形態では、第１の較正分析物と所望の分析物は同じ分析物である。典型的な実施形態では、試薬は、乾燥した形状であらかじめ形成される。
典型的な実施形態では、試薬は乾燥した膜を含む。典型的な実施形態では、試薬は水溶性の乾燥した膜を含む。典型的な実施形態では、試薬と第１の予め決められた較正分析物は付着していない。
【００３４】
典型的な実施形態では、試薬と第１の予め決められた量の第１の較正分析物は流路の同じ側にある。典型的な実施形態では、試薬と第１の予め決められた量の較正分析物はサンプルチャンバーの同じ側にあり、サンプルチャンバーの同じ表面上にある。典型的な実施形態では、流路上において、試薬に隣接するとともに、予め決められた量の第１の較正分析物に隣接する測定電極が設けられる。典型的な実施形態では、測定電極、試薬および第１の予め決められた量の第１の較正分析物は、流路の同じ側にある。典型的な実施形態では、試薬の少なくとも一部と、予め決められた量の第１の較正分析物の少なくとも一部が、測定電極の少なくとも一部と流路との間にある。したがって、流体が流路に沿って流れる際に、または、サンプルチャンバーがいっぱいになった際に、試薬と較正分析物は、測定電極とサンプル流体のバルクの間にある。
【００３５】
典型的な実施形態では、試薬は予め決められた量の第１の較正分析物に隣接しており、その結果、流路に沿って流れる流体の波面が、所望の分析物のための試薬と、第１の予め決められた量の第１の較正分析物とに、ほぼ同じ時間に到達する。典型的な実施形態では、波面は、所望の分析物のための試薬と、第１の予め決められた量の第１の較正分析物とに、約０．７５秒、約０．５秒、約０．２５秒、約０．２秒、約０．１秒、約０．０５秒、約０．０２５秒、約０．０２秒、および、約０．０１秒の群から選択される時間内に到達する。典型的な実施形態では、試薬膜が提供され、膜の半分以上、膜の７５％以上、または、膜の約９０％以上が所定の領域内で、約２秒、約２秒未満、約１．５秒、約１．５秒未満、約１秒、約１秒未満、約０．５秒、約０．５秒未満、約０．２５秒、約０．２５秒未満、約０．２秒未満、約０．１秒未満の群から選択された時間内に溶けるように、試薬膜は溶解速度を有する。典型的な実施形態では、試薬は、互いに対して、０μｍ（接触する場合）、または、約数μｍまたは約数十μｍ、または、約５乃至１５μｍ内、または、約１０μｍ内、または、約５μｍ内の距離内で、予め決められた量の第１の較正分析物に隣接した位置に配される。典型的な実施形態中では、試薬と予め決められた量の第１の較正分析物の１つまたは両方は、互いに対して、０μｍ（接触する場合）、または、約数μｍまたは約数十μｍ、または、約５乃至１５μｍ内、または、約１０μｍ内、または、約５μｍの距離内で測定電極に隣接した位置に配される。典型的な実施形態では、１つの測定電極は、約１００μｍ乃至約３００μｍ、または、約１００μｍ乃至約２００μｍの距離だけ近隣の測定電極から分離される。典型的な実施形態では、流路は毛細管現象によって流体を引くための毛細管チャネルを含む。
【００３６】
典型的な実施形態では、デバイスは、少なくとも１つの測定電極を含む導電層と、少なくとも第１の予め決められた量の第１の較正分析物を含む較正層とを含み、第１の予め決められた量の第１の較正分析物は、測定電極の少なくとも一部に配され、所望の分析物のための試薬は、較正電極を形成するために第１の予め決められた量の較正分析物を有する測定電極の少なくとも一部に配される。１以上の較正層が提供される。
【００３７】
典型的な実施形態では、所望の分析物のための試薬は、較正電極上の第１の予め決められた量の第１の較正分析物の少なくとも一部を覆う。典型的な実施形態では、試薬は、水溶性の乾燥した膜の形状をしており、水溶性の乾燥した膜は、試薬層を形成するために、較正層および／または導電層の少なくとも一部を覆う。典型的な実施形態では、デバイスは、少なくとも２つの電極を含む導電層と、他方の電極が較正分析物を含まない少なくとも２つの電極のうちの１つに配された、少なくとも第１の予め決められた量の第１の較正分析物を含む較正層と、所望の分析物のための試薬を含む試薬層とを含み、試薬層は、較正分析物が含まれない、試薬を有する作用電極と、第１の予め決められた量の第１の較正分析物および試薬を有する較正電極とを形成する少なくとも２つの電極の各々の少なくとも一部を覆う。典型的な実施形態では、試薬層は、第１の予め決められた量の第１の較正分析物の少なくとも一部を覆う。典型的な実施形態では、較正分析物は測定電極の最上部の表面に配される。典型的な実施形態では、試薬が測定電極に隣接して配される前に、較正分析物は測定電極に隣接して配される。典型的な実施形態では、較正分析物は湿性沈着（ｗｅｔ ｄｅｐｏｓｉｔｉｏｎ）技術によって置かれ、その後、乾かされる。典型的な実施形態では、較正分析物はインクジェット印刷によって置かれる。
【００３８】
典型的な実施形態では、デバイスは、３以上の測定電極を含み、少なくとも１つの電極は、較正電極を形成するために、予め決められた量の第１の較正分析物と所望の分析物のための試薬を有し、少なくとも１つの電極は、作用電極を形成するために、所望の分析物のための試薬を有し、較正分析物を含まず、および、少なくとも１つの電極は、対／参照電極を形成するために、較正分析物を含まず、所望の分析物のための試薬を有する。
典型的な実施形態では、さらなる電極は、背景電極（ｂａｃｋｇｒｏｕｎｄ  ｅｌｅｃｔｒｏｄｅ）を形成するために、較正分析物を含まず、かつ、試薬を含まずに提供される。典型的な実施形態では、いかなる試薬も存在せず、または、活性成分を含まない試薬が存在する。
【００３９】
典型的な実施形態では、単一の流路が提供されるか、または、単一の直線流路が提供される。典型的な実施形態では、すべての測定電極が同じ流路上にある。
【００４０】
典型的な実施形態では、デバイスは、第１の予め決められた量の第１の較正分析物とその上に配された所望の分析物のための試薬とを有する第１の較正電極と、第２の予め決められた量の第１の較正分析物か第１の予め決められた量の第２の較正分析物のいずれかと、その上に配された所望の分析物のための試薬とを含む第２の較正電極を含む。典型的な実施形態では、デバイスは、同じ量のまたは異なる量の同じ較正分析物または異なる較正分析物と、その上に配された所望の分析物のための試薬を含む３以上の較正電極を含む。典型的な実施形態では、較正分析物の少なくとも１つは所望の分析物と同じ分析物である。
典型的な実施形態では、試薬を含む少なくとも２つの作用電極が提供される。
【００４１】
典型的な実施形態では、以下：流路の幾何学的形状、流路の高度、流路の幅、流路の長さ、少なくとも第１の較正電極の流路に沿った場所、少なくとも第１の作用電極の流路に沿った場所、第１の較正電極と第１の作用電極の間の距離、試薬の溶解速度、第１の予め決められた量の第１の較正分析物の溶解速度、試薬の厚み、提供される際の試薬膜の厚みの１以上が選択されることによって、第１の較正電極からの較正分析物または反応生成物が、拡散または別の方法によって第１の較正電極から第１の作用電極まで移動することができる前に、所望の分析物の濃度を示す適切な測定値が第１の作用電極で得られるようになる。
【００４２】
典型的な実施形態では、少なくとも１つの測定電極での測定のためのアッセイ時間は、別の測定電極からの試薬または反応生成物の拡散にかかる時間よりも短い。典型的な実施形態では、少なくとも１つの作用電極でのアッセイ時間は、較正電極上の較正分析物および試薬、および／または、それらからの反応生成物が溶けて、拡散または別の方法によってその作用電極に移動するのにかかる時間よりも短い。
【００４３】
典型的な実施形態では、所望の分析物は、グルコース、コレステロール、トリグリセリド、タンパク質、乳酸、ピルベート、アルコール、尿酸、および、ケトンから選択される。典型的な実施形態では、試薬は、酵素、媒介物質、および、補助因子の群から選択される１以上を含む。典型的な実施形態では、内部標準は、第１の予め決められた量の較正分析物、適切な媒介物質、および／または、補助因子を含み、試薬は酵素を含む。
【００４４】
典型的な実施形態では、試薬は、乾燥した膜の形状であり、この乾燥した膜は、第１の膜形成成分（ｆｉｌｍ  ｆｏｒｍｉｎｇ  ｉｎｇｒｅｄｉｅｎｔ）と、所望の分析物に敏感な第１の活性成分とを含む。典型的な実施形態では、乾燥した膜は、ポリマー、加工澱粉、プルラン（ｐｕｌｌｕａｎ）、ヒドロキシエチルセルロース（ｈｙｄｒｏｘｅｔｈｙｌ）、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第１の膜形成成分を含む。典型的な実施形態では、乾燥した膜は、ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第２の膜形成成分をさらに含む。
【００４５】
典型的な実施形態では、デバイスは、第１の膜形成成分および第２の膜形成成分を含み、第２の膜形成成分は、第１の膜形成成分よりも溶解しやすく、かつ、疎水性が低い。典型的な実施形態では、乾燥した膜はバッファーを含む。
【００４６】
典型的な実施形態では、試薬は所望の分析物に敏感な少なくとも第１と第２の活性成分を含む。典型的な実施形態では、第２の活性成分は、媒介物質またはフェリシアン化カリウムの媒介物質である。典型的な実施形態では、第１の活性成分は、酵素またはグルコースオキシダーゼ酵素またはグルコースデヒドロゲナーゼ酵素である。
【００４７】
典型的な実施形態では、デバイスは、可塑剤、崩壊剤（ｄｉｓｉｎｔｅｇｒａｎｔ）、および、界面活性剤の群から選択される少なくとも１つのさらなる膜形成成分を含む。
【００４８】
典型的な実施形態では、少なくとも１つのさらなる膜形成成分は、可塑剤：キシリトール、ソルビトール、エリスリトール（ｅｒｔｈｒｉｔｏｌ）、ポリエチレングリコールの群から選択される。典型的な実施形態では、少なくとも１つのさらなる膜形成成分は、崩壊剤：微結晶性セルロース、クロスカルメロースナトリウム、ナトリウムデンプン糖化生成物（ｓｏｄｉｕｍ ｓｔａｒｃｈ ｇｌｙｃａｔｅ）、および、Ｐｒｏｓｏｌｖ  ＳＭＣＣ（登録商標）の群から選択される。典型的な実施形態では、少なくとも１つのさらなる膜形成成分は、界面活性剤：フッ素系界面活性剤（ｆｌｕｒｏｓｕｒｆａｃｔａｎｔｓ）、Ｚｏｎｙｌ（登録商標）ＦＳＮ−１０（著作権）、シリコーンポリエーテル共重合体、Ｄｏｗ  Ｃｏｒｎｉｎｇ（登録商標）１９３Ｃ、Ｔｒｉｔｏｎ（登録商標）Ｘ−１００の群から選択される。
【００４９】
典型的な実施形態では、デバイスは、少なくとも１つの壁および／または蓋によって形成される流体チャンバーを含み、流体チャンバーは、流路に沿って流体を引きだすための毛細管として働くように、大きさが決められ、および／または、形状が決められ、および／または、寸法が決められ、および／または、処理される。典型的な実施形態では、デバイスは、２つの長縁部と２つの短縁部を有する一般的には長方形の基板を含み、流路への流体出入口が以下：長縁部にまたは長縁部に隣接して、短縁部にまたは短縁部に隣接して、デバイスのチャンバー蓋内で、のうちの１つに設けられる。典型的な実施形態では、デバイスは基板を含み、基板内で試薬層を形成する試薬膜は、基板の縁部にまで及び、露出した試薬膜のシェルフ領域を形成するように前記縁部までは及ばないチャンバー蓋が提供され、流路への入口は試薬膜の露出した部分のシェルフ領域に隣接する。
【００５０】
さらなる態様では、流体中の所望の分析物のレベルを測定するためのセンサーデバイスが提供され、センサーデバイスは、流体用の流路と、第１の予め決められた量の第１の較正分析物を含む内部標準に隣接する所望の分析物のための、流路上の試薬とを含み、さらに、試薬と予め決められた量の第１の較正分析物は、乾燥した形状であり、試薬は、乾燥した形状であらかじめ形成される。
【００５１】
さらなる態様では、流体中の所望の分析物のレベルを測定するためのセンサーデバイスが提供され、センサーデバイスは、流体用の流路と、第１の予め決められた量の第１の較正分析物を含む内部標準に隣接する所望の分析物のための、流路上の試薬とを含み、試薬と予め決められた量の第１の較正分析物は、乾燥した形状であり、試薬と第１の予め決められた量の第１の較正分析物は流路の同じ側にある。
【００５２】
さらなる態様では、流体中の所望の分析物のレベルを測定するためのセンサーデバイスが提供され、センサーデバイスは、流体用の流路と、第１の予め決められた量の第１の較正分析物を含む内部標準と所望の分析物のための、流路上の試薬とを含み、試薬と予め決められた量の第１の較正分析物は乾燥した形状であり、試薬は水溶性の乾燥した膜を含む。
【００５３】
本発明のさらなる態様では、所望の分析物を検出するためのセンサーデバイスを製造する方法が提供され、該方法は、流路を形成する工程、流路上に置く工程を含み、所望の分析物のための試薬は、第１の予め決められた量の第１の較正分析物に隣接し、試薬と予め決められた量の第１の較正分析物は、乾燥した形状である。
【００５４】
典型的な実施形態では、該方法は、流路に測定電極を置く工程と、試薬と第１の予め決められた量の第１の較正分析物を測定電極に隣接して置く工程とを含む。
【００５５】
典型的な実施形態では、第１の較正分析物と所望の分析物は同じ分析物である。典型的な実施形態では、試薬は、置く工程の前は乾燥した形状である。典型的な実施形態では、試薬は乾燥した試薬膜からなる。典型的な実施形態では、乾燥した膜は水溶性の乾燥した試薬膜を含む。典型的な実施形態では、該方法は、乾燥した試薬膜を予め形成する工程を含む。典型的な実施形態では、前記予め形成する工程は、第１の膜形成成分を提供する工程、混合物を形成するために、分析物に敏感な少なくとも１つの活性成分を第１の膜形成成分に加える工程、膜を形成するために混合物を引き出す工程、膜を乾燥させる工程を含む。典型的な実施形態中では、該方法は、溶液を形成する工程と、膜を形成するために溶液を引き出す工程を含む。
【００５６】
典型的な実施形態では、膜形成成分はポリマーを含む。典型的な実施形態では、該方法は、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第１の膜形成成分を提供する工程を含む。典型的な実施形態では、該方法は、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシプロピルメチルセルロースの群から選択される第１の膜形成成分の群から選択される第２の膜形成成分を提供する工程を含む。典型的な実施形態では、該方法は、第１の膜形成成分と第２の膜形成成分を提供する工程を含み、第２の膜形成成分は、第１の膜形成成分よりも溶解しやすく、かつ、疎水性が低い。
【００５７】
典型的な実施形態では、該方法は、少なくとも第１と第２の活性成分を提供する工程を含む。典型的な実施形態では、該方法は、第１の活性成分として酵素を提供する工程と、もし提供されるのであれば、第２の活性成分として媒介物質を提供する工程と、もし提供されるのであれば、第３の活性成分として補助因子を提供する工程を含む。典型的な実施形態では、酵素はグルコースオキシダーゼまたはグルコースデヒドロゲナーゼであり、もし提供されるのであれば、媒介物質はフェリシアン化カリウムである。
【００５８】
典型的な実施形態では、該方法は、可塑剤、崩壊剤、および、界面活性剤の群から選択される少なくとも１つのさらなる膜形成成分を提供する工程を含む。典型的な実施形態では、該方法は、可塑剤：キシリトール、ソルビトール、エリスリトール、ポリエチレングリコールの群から選択される少なくとも１つのさらなる膜形成成分を提供する工程を含む。典型的な実施形態では、該方法は、崩壊剤：微結晶性セルロース、クロスカルメロースナトリウム、ナトリウムデンプン糖化生成物、および、Ｐｒｏｓｏｌｖ  ＳＭＣＣ（登録商標）の群からの少なくとも１つのさらなる膜形成成分を提供する工程を含む。典型的な実施形態では、該方法は、界面活性剤：フッ素系界面活性剤、Ｚｏｎｙｌ（登録商標）ＦＳＮ−１０（著作権）、シリコーンポリエーテル共重合体、Ｄｏｗ  Ｃｏｒｎｉｎｇ（登録商標）１９３Ｃ、Ｔｒｉｔｏｎ（登録商標）Ｘ−１００の群から選択される少なくとも１つのさらなる膜形成成分を提供する工程を含む。
【００５９】
典型的な実施形態では、該方法は、少なくとも１つの電極を提供する工程と、予め決められた量の第１の較正分析物を電極上に置く工程と、較正電極を形成するために、予め決められた量の第１の較正分析物の上に所望の分析物のための試薬を置く工程とを含む。典型的な実施形態では、試薬は水溶性の乾燥した試薬膜を含む。典型的な実施形態では、該方法は、少なくとも１つの電極を含む導電層を形成する工程と、電極層の少なくとも１つの電極上の少なくとも１つの予め決められた量の第１の較正分析物を含む第１の較正層を形成する工程と、所望の分析物のための試薬膜を予め形成する工程と、較正電極を形成するために、予め決められた量の較正分析物を有する少なくとも１つの電極の少なくとも一部上に試薬膜を置く工程を含む。典型的な実施形態では、該方法は、予め決められた量の較正分析物上に、試薬膜を少なくとも一部または全体にわたって置く工程を含む。典型的な実施形態では、該方法は、少なくとも２つの測定電極を形成する工程と、較正分析物を含まない少なくとも１つの測定電極を残す工程と、作用電極を形成するために、前記少なくとも１つの測定電極の少なくとも一部上に試薬膜を置く工程と、少なくとも較正電極を形成するために、較正分析物を有する電極の少なくとも一部上に試薬膜を置く工程とを含む。
【００６０】
典型的な実施形態では、該方法は、背景電極を形成するために、較正分析物を含まず、試薬を含まない少なくとも１つの電極を残す工程を含む。このことは、いかなる試薬も存在しないか、または、活性成分に敏感な分析物を含まない試薬が存在するということを意味する。
【００６１】
典型的な実施形態では、該方法は、流路上の少なくとも１つの作用電極の上流に位置する少なくとも１つの較正電極を形成する工程を含む。典型的な実施形態では、単一の流路が提供されるか、または、単一の直線流路が提供される。
【００６２】
典型的な実施形態では、該方法は、第１の予め決められた量の第１の較正分析物と、その上に配された所望の分析物のための試薬を有する第１の較正電極を提供する工程と、第２の予め決められた量の第１の較正分析物または第１の予め決められた量の第２の較正分析物のいずれかと、所望の分析物のための試薬を有する第２の較正電極を提供する工程とを含む。典型的な実施形態では、該方法は、同じ量のまたは異なる量の同じ較正分析物または異なる較正分析物と、例えば、その上に配された所望の分析物のための試薬とを含む３以上の較正電極を提供する工程を含む。典型的な実施形態では、較正分析物の少なくとも１つは所望の分析物と同じ分析物である。
【００６３】
典型的な実施形態では、該方法は、下記：流路の幾何学的形状、流路の高度、流路の幅、流路の長さ、少なくとも第１の較正電極の流路に沿った場所、少なくとも第１の作用電極の流路に沿った場所、第１の較正電極と第１の作用電極の間の距離、試薬の溶解速度、第１の予め決められた量の第１の較正分析物の溶解速度、試薬の厚み、もし提供されるのであれば試薬膜の厚み、の１以上を選択する工程を含むことによって、第１の較正電極からの較正分析物または反応生成物が拡散または別の方法によって、第１の較正電極から第１の作用電極まで移動することができる前に、使用時に、所望の分析物の濃度を示す適切な測定値が第１の作用電極で得られるようになる。
【００６４】
典型的な実施形態では、所望の分析物は、グルコース、コレステロール、トリグリセリド、乳酸、ピルベート、アルコール、尿酸、および、ケトンから選択される。典型的な実施形態では、試薬は、酵素、媒介物質、および、補助因子の群から選択される１以上を含む。典型的な実施形態では、内部標準は、第１の予め決められた量の較正分析物、適切な媒介物質、および／または、補助因子を含み、試薬は酵素を含む。典型的な実施形態では、内部標準はバッファーを含む。
【００６５】
本発明の１つの態様によれば、試薬膜が提供され、該試薬膜は、第１の膜形成成分と、所望の分析物に敏感な第１の活性成分を含む試薬とを含む。
【００６６】
典型的な実施形態では、試薬膜は、約３０μｍ乃至９０μｍの範囲で、約４０μｍ乃至８０μｍの範囲で、約１００μｍ未満で、約９０μｍ未満で、約９０μｍで、約８０μｍで、約８０μｍ未満で、約６０μｍで、または、約６０μｍ未満で、の群から選択される湿った厚みを有する。典型的な実施形態では、試薬膜は、膜の半分以上、膜の７５％以上、または、膜の約９０％以上が所定の領域内で、約２秒、約２秒未満、約１．５秒、約１．５秒未満、約１秒、約１秒未満、約０．５秒、約０．５秒未満、約０．２５秒、約０．２５秒未満、約０．２秒未満、約０．１秒未満の群から選択される時間内に溶けるような溶解速度を有する。
【００６７】
典型的な実施形態では、試薬膜は乾燥している。典型的な実施形態では、試薬膜は水溶性である。典型的な実施形態では、試薬膜は、ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第１の膜形成成分を含む。典型的な実施形態では、試薬膜は、ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第２の膜形成成分を含む。典型的な実施形態では、試薬膜は第１の膜形成成分および第２の膜形成成分を含み、第２の膜形成成分は、第１の膜形成成分よりも溶解しやすく、疎水性が低い。
【００６８】
典型的な実施形態では、試薬は所望の分析物に敏感な少なくとも第１と第２の活性成分を含む。典型的な実施形態では、第２の活性成分は媒介物質またはフェリシアン化カリウムの媒介物質である。典型的な実施形態では、第１の活性成分は、酵素またはグルコースオキシダーゼ酵素またはグルコースデヒドロゲナーゼ酵素である。典型的な実施形態では、少なくとも１つのさらなる膜形成成分は、可塑剤、崩壊剤、および、界面活性剤の群から選択される。典型的な実施形態では、少なくとも１つのさらなる膜形成成分は、可塑剤：キシリトール、ソルビトール、エリスリトール、ポリエチレングリコールの群から選択される。典型的な実施形態では、少なくとも１つのさらなる膜形成成分は、崩壊剤：微結晶性セルロース、クロスカルメロースナトリウム、ナトリウムデンプン糖化生成物、および、Ｐｒｏｓｏｌｖ  ＳＭＣＣ（登録商標）の群から選択される。典型的な実施形態では、少なくとも１つのさらなる膜形成成分は界面活性剤：フッ素系界面活性剤、Ｚｏｎｙｌ（登録商標）ＦＳＮ−１０（著作権）、シリコーンポリエーテル共重合体、Ｄｏｗ  Ｃｏｒｎｉｎｇ（登録商標）１９３Ｃ、Ｔｒｉｔｏｎ（登録商標）Ｘ−１００の群から選択される。
【００６９】
本発明のさらなる態様は、試薬膜を製造する方法を含み、該方法は、第１の膜形成成分を提供する工程と、混合物を形成するために、分析物に敏感な少なくとも１つの活性成分を第１の膜形成成分に加える工程と、膜を形成するために混合物を引き出す工程と、膜を乾燥させる工程とを含む。
【００７０】
典型的な実施形態では、該方法は、溶液を形成する工程と、膜を形成するために溶液を引き出す工程とを含む。典型的な実施形態では、該方法は、湿った膜の厚みを制御する工程を含む。典型的な実施形態では、該方法は、予め決められた湿った厚みを有するよう膜を引き出す工程を含む。典型的な実施形態では、該方法は、約３０μｍ乃至９０μｍの範囲で、約４０μｍ乃至８０μｍの範囲で、約１００μｍ未満で、約９０μｍ未満で、約９０μｍで、約８０μｍで、約８０μｍ未満で、約６０μｍで、または、約６０μｍ未満で、の群から選択される湿った厚みを有する試薬膜を提供する工程を含む。
【００７１】
本発明のさらなる態様は、センサーを用いてアッセイを行う方法を含み、該方法は、第１の較正電極からの較正分析物または反応生成物が拡散または別の方法によって、第１の較正電極から第１の作用電極まで移動することができる前に、第１の作用電極での所望の分析物の濃度を示す測定値を得る工程を含む。典型的な実施形態では、少なくとも１つの測定電極での測定のためのアッセイ時間が、別の測定電極からの試薬または反応生成物の拡散にかかる時間よりも短い。典型的な実施形態では、波面は、所望の分析物のための試薬と、第１の予め決められた量の第１の較正分析物との両方に、約０．７５秒、約０．５秒、約０．２５秒、約０．２秒、約０．１秒、約０．０５秒、約０．０２５秒、約０．０２秒、および、約０．０１秒の群から選択される時間内に到達する。典型的な実施形態では、該方法は試薬膜を含み、該試薬膜は、所定の領域内の膜の半分以上、膜の７５％以上、または、膜の約９０％以上が、約２秒、約２秒未満、約１．５秒、約１．５秒未満、約１秒、約１秒未満、約０．５秒、約０．５秒未満、約０．２５秒、約０．２５秒未満、約０．２秒未満、約０．１秒未満の群から選択された時間内に、例えば、血液または血漿などの体液内で溶けたような溶解速度を有する。
【００７２】
典型的な実施形態では、該方法は、反応が約４秒乃至約１２秒の間、約４秒乃至約１０秒の間、約５秒乃至約１０秒の間、約４秒乃至約６秒の間、約５秒で、約６秒で、約８秒で、約１０秒で、約１２秒で、の群から選択される時間で定常状態に到達する前に、分析物の濃度を示す信号を測定する工程を含む。
【００７３】
本発明のさらなる態様は、測定値を較正する方法を提供し、該方法は、本発明の第１と第２の任意の実施形態に従って第１のセンサーを提供する工程と、作用電極で作用電極の電流を測定する工程と、予め決められた量の較正分析物を反映する較正電流と、分析物を投与した流体サンプル中に既知の量の所望の分析物を反映する電流とを測定する工程と、補正因子を測定するために較正電流および作用電極電流を使用する工程とを含む。典型的な実施形態では、該方法は、本発明の第１および／または第２の態様の任意の実施形態に従って第２のセンサーを提供する工程を含み、補正された作用電極電流および／または補正された分析物の濃度に到達するように、第２のセンサーからの作用電極電流と較正電流に補正因子を適用する工程を含む。
【００７４】
典型的な実施形態では、該方法は、一群のセンサーを提供するとともに、該群からセンサーのサブセットを選択する工程と、分析物を投与した流体サンプル中の同じおよび／または異なる既知の量の所望の分析物のために、同じ夫々の測定電極で較正電流と作用電極電流を測定する工程と、センサーのその設計用のその量の較正分析物のための予想される較正電流を測定する工程と、予想された較正電流を反映する補正因子を提供する工程とを含む。典型的な実施形態では、該方法は、該群からさらなるセンサーを提供する工程と、試験を行なうために未知の量の分析物を有する流体サンプルを使用する工程と、補正された作用電極電流を提供するために、試験から作用電極電流と較正電流を補正する補正因子を使用する工程を含む。典型的な実施形態では、該方法は、同じセンサーまたは異なるセンサーからの１以上の較正電流を平均化する工程と、同じセンサーまたは異なるセンサーからの一連の較正電流に曲線または直線を合わせる工程と、ゼロのサンプル分析物濃度で予想される較正電流を測定する工程の１以上によって、第１の量の較正分析物のためのセンサーのこの設計用に予想される較正電流を測定する工程を含む。典型的な実施形態では、図５に関連して記載されたような分析物測定に電流測定を変換するための既知の較正方法の代わりに、または、より好ましくは、該既知の較正方法に加えて、本明細書に記載の内部標準較正方式が使用されてもよい。
【００７５】
本発明の第２の態様はメーターを提供し、該メーターは、本発明の第１および／または第２の任意の態様の実施形態に従ってセンサーに接続するためのコネクターと、センサーを操作し、そこからの測定信号を測定するための電源および測定回路と、電源および測定ユニットから測定信号を受け取るための、および、測定結果を送達するために測定信号を分析するための中央処理装置とを含む。典型的な実施形態では、中央処理装置は本明細書に記載されているように、作用電極電流を補正するために配置される。
【００７６】
本発明の第２の態様はキットを提供し、該キットは、本発明の任意の態様の任意の実施形態に従って、メーターとセンサーを含む。
【図面の簡単な説明】
【００７７】
本発明は、以下の図に関連してほんの一例としてここで記載されており、図面中の類似する参照番号は類似する特徴について言及している。
【００７８】
【図１】本発明の１つの実施形態に応じて電気化学試験ストリップの形状をした試験センサーデバイスの平面図である。
【図２】図１のセンサーの線のＡＡ’に沿った断面図である。
【図３】例となる反応領域の略図としてである。
【図４】３つの例となるセンサーに関して時間に対する電流の例となる図である。
【図５】ＹＳＩ（Ｙｅｌｌｏｗ  Ｓｐｒｉｎｇｓ）ｉｎｓｔｒｕｍｅｎｔまたは類似物上で測定された、１デシリットル当たりのミリグラムの、グルコース濃度に対する測定された電流の概略図である。
【図６】全体試験誤差への様々な寄与を示す概略図である。
【図７Ａ】流体の流れの方向に関して、測定電極の様々な配置の３つの断面図を示す。図７Ａでは、較正電極（１９）は、作用電極（１８Ａ）および対／参照電極（１７）の上流に位置する。
【図７Ｂ】流体の流れの方向に関して、測定電極の様々な配置の３つの断面図を示す。図７Ｂでは、較正電極（１９）は、作用電極（１８Ａ）の上流に、および、対／参照電極（１７）の下流に位置する。
【図７Ｃ】流体の流れの方向に関して、測定電極の様々な配置の３つの断面図を示す。図７Ｃでは、較正電極（１９）は、作用電極（１８Ａ）の上流にそれ自体が位置する対／参照電極（１７）の上流に位置する。
【図８】本発明による試験センサーの典型的な実施形態の断面図を示す。
【図９Ａ】本発明による典型的な実施形態の断面図の試験センサーを示す。
【図９Ｂ】本発明による試験センサーの典型的な実施形態の断面図を示す。
【図９Ｃ】本発明による試験センサーの典型的な実施形態の断面図を示す。
【図１０Ａ】本発明の１以上の態様に従って、５つの測定電極を有する試験センサーの典型的な実施形態の平面図を示す。
【図１０Ｂ】図１０Ａの試験センサーの線ＢＢ’に沿った断面図を示す。
【図１１】本発明の１以上の態様に従って、様々な製造工程における試験センサーの典型的な実施形態の斜視図を示す。
【図１２】線ＣＣ’に沿った図１１の試験センサーの断面図を示す。
【図１３】本発明の１以上の態様による、試験センサーの別の典型的な実施形態の分解斜視図を示す。
【図１４】実験データ、すなわち、本発明の１以上の態様の典型的な実施形態に従って構築された試験センサーのためのバッファーを含むサンプル中の様々なレベルのグルコースの単一の検出領域で、時間に対して測定された電流を示し、ここで、水溶性の乾燥した試薬層はセンサーへの配置前に予め形成される。いかなる較正分析物も測定電極上に投与されない。
【図１５】実験データ、すなわち、４つの異なる検出領域（すなわち、測定電極Ｅ１、Ｅ２、Ｅ３、Ｅ４）で時間に対して測定された電流の図を示す。測定電極Ｅ３のうちの１つは、グルコースの用量をその上でインクジェット印刷して、センサーの組み立ての前に乾燥した。
【図１６】初期のプロトタイプの４つの測定電極システム（そのうちの１つの測定電極）の時間に対する電流の実験データの図を示す。この場合、Ｅ１は予め決められた量のグルコースとともに予め投与され、水溶性の乾燥した試薬膜は、センサーの構築前に予め形成された。
【図１７】Ｅ１およびＥ４が両方とも予め決められた量のグルコースで提供される、本発明による試験センサーの典型的な実施形態での４電極システムに関する時間に対する電流の実験データの図を示す。
【図１８Ａ】対照溶液を用いて１デシリットル当たりのミリグラムのグルコース濃度に対して、１０秒で特定の作用電極（追加投与されたグルコースを含むＥ３と、投与されたグルコースを含まないＥ４）で現れた電流の実験データの図を示す。
【図１８Ｂ】全体的な指先穿刺による血液（各々のグルコースレベルで２度繰り返す）を用いて、１デシリットル当たりのミリグラムのグルコース濃度に対して、１０秒で特定の作用電極（追加投与されたグルコースを含むＥ３と、投与されたグルコースを含まないＥ４）で現れた電流の実験データの図を示す。ここで、投与されたグルコースのレベルは、図１８Ａの実験で使用されるものよりもはるかに高い。
【図１９Ａ】補正因子の一部として予め決められた量のグルコースを有する較正電極で現れた較正電流を用いて、補正されたグルコース結果を提供するために、作用電極で電流を補正する方法を示す。
【図１９Ｂ】個々のセンサー測定を補正する際に使用するための一群のセンサーの予想される標準較正電流を測定する方法を示す。
【図１９Ｃ】同じ設計の複数の試験センサーで、異なるレベルの既知のサンプル分析物の濃度で、較正電極で現れた電流の模範データの図を示し、各々のセンサーは、その上に投与された同じ予め決められた量の較正グルコースを有する。
【図１９Ｄ】図１９Ａと１９Ｂの方法のための随意の工程を示す。
【図２０】流路に沿った流体の導入直後の反応領域の位置、および、測定電極への反応生成物の起こり得る拡散を示すために、３つの異なる時間、Ｔ０、Ｔ１およびＴ２における、４つの例となる構造体のＡ、Ｂ、ＣおよびＤを示す。
【図２１】各々が（製造時に決定された湿った際の厚みに基づいた）異なる厚みの水溶性の乾燥した試薬膜を有する異なるセンサー内の同じそれぞれの測定電極で測定された電流対時間の実験データの図を示す。
【図２２Ａ】本発明の１以上の態様の中で使用することが可能な代替電極構造の平面図を示す。図２２Ａは、５つの電極システム（１つの対／参照電極と４つの測定電極）、および、一般的には長方形のセンサーの１つの長縁部から一般的には長方形のセンサーの他方の長縁部に及ぶサイドフィル（ａ  ｓｉｄｅ  ｆｉｌｌ））流路を示す。
【図２２Ｂ】本発明の１以上の態様の中で使用することが可能な代替電極構造の平面図を示す。図２２Ｂは、トップフィル（ｔｏｐ  ｆｉｌｌ）配置を有する５つの電極システムを示す。この実施例において、水溶性の乾燥した膜試薬の使用が特に望ましい。
【図２２Ｃ】本発明の１以上の態様の中で使用することが可能な代替電極構造の平面図を示す。図２２Ｃは、酵素電極または較正電極として使用するための４つの電極と、１つの一体型の対／参照電極とを有する、５つの測定電極システムの平面図を示す。再度、一般的に長方形のストリップの１つの長手方向の縁部から他方の長手方向の縁部までのサイドフィルが示される。
【図２２Ｄ】本発明の１以上の態様の中で使用することが可能な代替電極構造の平面図を示す。図２２Ｄでは、代替配置での５つの測定電極システムが示される。ここで、流路（２３）への入口（３２）は一般的に長方形のセンサーの短縁部に沿って設けられ、「エンドフィル（ｅｎｄ  ｆｉｌｌ）」と呼ばれる。
【図２３】本発明の１以上の態様による例となるセンサーの概要の断面図を示す。ここで、シェルフフィル、エンドフィル、および、トップフィルの配置が示される。
【発明を実施するための形態】
【００７９】
ここで図１を参照すると、上に導電性トラック（１４）を配した一般的に長方形の基板（１２）を含むセンサー（１０）の平面図が示される。
【００８０】
基板（１２）が一般的に長方形の形状である一方で、正方形、円形、卵形、楕円形などの他の形状センサーは本発明内で使用可能である。基板（１２）はポリエステルまたはポリテンのような任意の適切な材料であってもよい。導電性トラック（１４）は測定電極（１８）につながっている。典型的には、測定電極と導電性トラック（１４）は同じ材料から作られるが、必ずしもその通りである必要はない。金、銀、銀／塩化銀、炭素、白金またはパラジウムを含む、当業者に知られている典型的な材料が使用される。絶縁材料を含む絶縁体層（１６）は、導電性トラック（１４）と測定電極Ｅ１、Ｅ２、Ｅ３に少なくとも一部重なる。絶縁体層（１６）は内部に配された窓部（１５）を有する。窓部（１５）は、測定電極（１８）の特定の部分を露出させることで、流体サンプル内の分析物の検出のために測定電極の露出した領域を形成する。絶縁体層（１６）は、Ｅｒｃｏｎ  Ｉｎｃ．（Ｗａｒｅｈａｍ、ＭＡ、ＵＳＡ）からのＩｎｓｕｌａｙｅｒ（商標）、または、Ｇｗｅｎｔ  Ｅｌｅｃｔｒｏｎｉｃ  Ｍａｔｅｒｉａｌｓ  Ｌｔｄ（Ｐｏｎｔｙｐｏｏｌ，Ｇｗｅｎｔ，英国）からのＤ２０７１１２０Ｄ１ポリマー誘導体などのインクから作られる。そのような材料および材料の使用、および、該材料を置く方法は当該技術では周知である。典型的には、導電層（１４）および／または絶縁体層（１６）は、スクリーン印刷、または、リソグラフ手順、インクジェット、スパッタリング、および／または、エッチングなどの他の方法によって下に置かれる。
【００８１】
測定電極（１８）の露出領域のためのセンサーの最適な性能が十分に定義されることが有益である。したがって、選択された堆積技術が測定電極（１８）の縁部の適切な定義を提供するのに適切であるということが好ましい。したがって、そのことは、測定電極（１８）の縁部「ａ」の優れた縁部の定義を提供する技術によって導電層（１３）が堆積し、かつ、絶縁体層（１６）が測定電極（１８）の縁部「ｂ」（すなわち、絶縁体窓部（１５）によって露出した縁部）の優れた定義を提供する技術によって堆積する場合に望ましい。
【００８２】
水溶性の乾燥した試薬膜（４０）は、測定電極（１８）の２つに重なるように提供される。試薬を含む水溶性の乾燥した試薬膜（４０）の１つの縁部「ｃ」は、図１に示されるような絶縁体窓部（１５）の縁部「ｂ」内にあるか、または、それは、絶縁体層窓部（１５）の縁部「ｂ」を越えて伸張し、それによって、その方角に測定電極（１８）の露出領域すべてを覆う。水溶性の乾燥した試薬膜（４０）は伸張して測定電極Ｅ１、Ｅ２およびＥ３も覆うことで、作用電極（１８）、対／参照電極（１７）、および、較正電極（１９）を形成する。流体の流れ（２２）の方向も図１に示される。
【００８３】
ここで図２に目を向けると、線ＡＡ’に沿った断面図が示される。ここで、３つの測定電極Ｅ１、Ｅ２およびＥ３が示される。第１の電極Ｅ１は、対／参照電極（１７）を形成し、方向（２２）に流れる流体に最初に晒される。第２の電極Ｅ２は、較正電極（１９）を形成するために、その上に置かれた予め決められた量の較正分析物（３８）を有する。較正分析物（３８）は湿ったまま置かれ、その後乾燥し、または、乾燥した形状で置かれる。この較正分析物（３８）は、センサーの所望の分析物と同じか、または、異なる。第３の電極Ｅ３も作用電極（１８）を形成するために設けられる。水溶性の乾燥した試薬膜（４０）は、電極Ｅ１、Ｅ２およびＥ３の最上面に少なくとも部分的に配されるとともに重なる。したがって、試薬膜（４０）は較正分析物（３８）に隣接する。
【００８４】
測定電極Ｅ１は、測定電極Ｅ２が方向（２２）に流れる流体からの波面に遭遇する前に、この流体に遭遇する。同様に、測定電極Ｅ２は、測定電極Ｅ３の前に方向（２２）に沿って流れる流体からの波面に遭遇する。提供される３つの電極は異なる機能を有する。測定電極Ｅ１は、対／参照電極（１８）として機能する。測定電極Ｅ２は、その上に配された予め決められた量の分析物、較正分析物（３８）を有する。加えて、水溶性の乾燥した試薬膜（４０）は測定電極Ｅ２の最上面を超えて伸張する。試薬（ここでは試薬膜（４０）の形状）に隣接する較正分析物（３８）に隣接している測定電極Ｅ２のこの組み合わせが、較正電極（１９）を提供する。測定電極Ｅ３も水溶性の乾燥した試薬膜（４０）によって少なくとも部分的に重ね合わされ、その結果として第１の作用電極（１８Ａ）を形成する。
【００８５】
測定を行うために、＋２００−６００ミリボルト、または、特に＋４００ｍＶのような電圧が、作用電極（１８Ａ）、較正電極（１９）、および、対／参照電極（１７）の間にかけられる。その後、作用電極と較正電極（１９）で現れた電流が、流体中の分析物の濃度の指標として測定される。
【００８６】
図３、４、および、５をざっと見ると、反応の枠組みの概略図、経時的な電流の例となる図、および、例となる較正グラフがそれぞれ示されている。図３では、適切な酵素および随意の媒介物質（ここではグルコースオキシダーゼおよびフェリシアン化カリウム）の存在下における分析物（ここではグルコース）がグルコン酸に酸化可能であることがわかる。順に、グルコースオキシダーゼはその還元形に分解される。同様に、フェリシアン化カリウムは対／参照電極でフェロシアン化カリウムに分解され、その一方で、フェロシアン化カリウムがフェリシアン化カリウムに酸化されるという点で、逆のことが作用電極で生じる。
【００８７】
グルコースの測定については、サンプル中の分析物の量を適切に示すための作用電極で現れた電流を測定するのに適切な時間に関する２つの流派の思想がある。１つの流派の思想は、ひとたび反応が完了すると、または、少なくとも定常状態が達成されると、電流の測定をもたらすものである。このように動作するグルコースセンサーの例は、ＡｂｂｏｔｔＤｉａｂｅｔｅｓ  Ｃａｒｅ  Ｉｎｃ．（Ａｌａｍｅｄａ，ＣＡ，米国）からのＦｒｅｅｓｔｙｌｅ  Ｌｉｔｅ、または、Ａｇａｍａｔｒｉｘ  Ｉｎｃ．（Ｓａｌｅｍ，ＮＨ，米国）からのＷａｖｅｓｅｎｓｅ  Ｊａｚｚを含む。そのようなセンサーのためのアッセイ時間は、固定されるよりもむしろ可変であり、より高いグルコースレベルで増加する傾向がある。
【００８８】
もう１つの別の思想は、反応がまだ進行している間と、測定が可能となるのに十分なほどに変数および様々な条件の数が固まる時間のそのような最初の時間の後にも、測定を行うものである。このように動作するセンサーの例は、Ｌｉｆｅｓｃａｎ（Ｍｉｌｐｉｔａｓ，ＣＡ）からのＯｎｅ  Ｔｏｕｃｈ  Ｕｌｔｒａと、Ｒｏｃｈｅ  Ｄｉａｇｎｏｓｔｉｃｓ  Ｉｎｃ．（Ｉｎｄｉａｎａｐｏｌｉｓ，ＩＮ，米国）からのＡｃｃｕ−Ｃｈｅｋ  Ａｖｉｖａを含む。図４でわかるように、３乃至４秒あたりから、１０乃至１２または１５秒の領域内のどこかに向かって上方に伸張するのが一般的な窓部がある。その１０乃至１２または１５秒の間に選択された時点にある電極で時間内に電流の測定が行われ、これが一貫したやり方で流体サンプル中の分析物の量に関連する。したがって、サンプル中のグルコースの量は、単純な一次方程式（ｙ＝ｍｘ＋ｃ）によって、一定期間（例えば、５秒）後に作用電極で現れた電流に関連付けられることができる。それにもかかわらず、製造プロセス、製造成分などの変動によって、この関係は一群のストリップから次のストリップに、および、一群内の１つのストリップから別のストリップに変わる。それにもかかわらず、同じ開始構成要素とともに製造された一群のストリップ内では、この関係は多かれ少なかれ測定可能である。したがって、図５では、同じ群からのいくつかのセンサーにかけられた異なるレベルのグルコースとともに投与されたサンプル一式からの濃度対マイクロアンペアの電流の図が見て取れる。点（２４）はサンプル内の既知量のグルコースのマイクロアンペアでのセンサー測定値を示す。
【００８９】
ここでのセンサー測定は、一定時間（例えば、５秒または６秒）内に作用電極で現れた電流を表わす。群内においてでさえ、図５の点の分布によって示されるように、特定の量の変動がある。したがって、線（２６）などのデータによる適合は、線（２６’）または線（２６’’）などのような線に関連づけられる標準偏差を有する。したがって、線（２６）の傾斜と切片を測定する際に、傾斜「ｍ」と切片「ｃ」それ自体が、夫々の標準偏差「Δｍ」「Δｃ」に関連付けられる。図５に関して実証されたような較正手順で得られるセンサーの平均サブセットからの傾斜と切片を使用することによって、個々のセンサーは、傾斜と切片が作用電極で測定された電流または測定結果を補正するのに利用可能な場合に、測定することができる。
【００９０】
したがって、メーターは、傾斜および切片の較正情報からなるか、または、該情報を具現化する較正コードとともに設けられることによって、メーターとセンサーのユーザーに補正されたグルコース結果を提供するためにセンサーからの電流を補正可能である。
【００９１】
したがって、図６で分かるように、全体試験誤差は、サンプルによる誤差、外部エラー、および、ユーザーエラーなどの多くのソースに由来することもある。サンプルによる誤差（２７）の例は、酸素値、ヘマトクリット、反応性化学変動血漿粘度、赤血球溶血などを含む。外部エラー（２８）の例は、湿度のストリップ変動を超える高いまたは低い温度湿度の高気流（ｈｉｇｈ ｏｒ ｌｏｗ ｔｅｍｐｅｒａｔｕｒｅ ｈｕｍｉｄｉｔｙ ｈｉｇｈ ａｉｒｆｌｏｗ）を含む。ユーザーエラー（２９）の例は、粗末なストリップの保存、不適切なサンプル量、汚染されたサンプル、損傷を受けたストリップ、期限切れの生成物、誤った較正コードなどを含む。
【００９２】
この発明は、試験センサーを使用する際に、これらの誤差のうちのいくつかの影響に取り組もうとするものである。
【００９３】
図１および図２は、本発明の２つの態様を示す。本発明の第１の態様は、乾燥した較正分析物に隣接する乾燥した試薬の準備である。ここで、これは、水溶性の乾燥した試薬膜（４０）を乾燥した較正分析物（３８）に隣接して位置付けることによって達成される。したがって、試薬と、試薬が感知する較正分析物は、互いに対して非常に近接して配される。これらは互いの数μｍ内に触れるか、または、位置するが、乾燥した形状であるため相互には作用しない。したがって、分析物の２つのソースから測定電極までの反応生成物の輸送経路は非常に類似している。同様に示されている好ましい実施形態は、較正電極（１９）を形成するために、乾燥した試薬と較正分析物を測定電極Ｅ２に隣接するように配している。
【００９４】
別の構成要素に隣接している１つの構成要素は、較正分析物および試薬のような構成要素が物理的に接触して、または、連続して、または、並列して、または、共通の境界を有するように、または、隣接して、または、接して、または、重なって、または、互いの近くにあるように配されることを意味する。１つの実施形態では、このことは同様に、較正分析物と試薬が、付着しないように、および／または、任意の相当の程度、任意の相互作用を有さないように位置付けされるということを意味する。特定の実施形態では、例えば、試薬が予め決められた量の第１の較正分析物に隣接することで、流路に沿って流れる流体の波面は、約０．７５秒、約０．５秒、約０．２５秒、約０．２秒、約０．１秒、約０．０５秒、約０．０２５秒、約０．０２秒、および、約０．０１秒の群から選択される時間内に、所望の分析物のための試薬と、第１の予め決められた量の第１の較正分析物との両方にほぼ同時に到達するようになる。特定の実施形態では、例えば、試薬は、予め決められた量の第１の較正分析物に、互いに０μｍ（触れる場合）、または、約数μｍまたは約数十μｍ、または、約５乃至１５μｍ内、または、約１０μｍ内、または、約５μｍの距離内で隣接する。
【００９５】
２つの湿った組成物が互いに隣接して配されると、これらは、組成物の湿った面を一緒に引き出す組成物内の流体の表面張力によって混じり合う。液体が乾燥によって取り除かれるまで、組成物内の構成要素は互いと混合し互いに相互作用する。その結果は、これらが乾かされる際に、１つの組成物が他方に付着するというものである。
【００９６】
湿った組成物が隣接して配される際には、乾燥した組成物が可溶性であり、かつ、乾燥した組成物の表面が疎水性ではないと仮定して、乾燥した組成物はその表面で溶けて湿った組成物になる。したがって、液体が乾燥によって取り除かれるまで、組成物内の構成要素は互いと混合して互いに相互作用することができる。その結果は、１つの組成物が他方に付着するというものである。
【００９７】
２つの乾燥した組成物が互いに隣接して配される場合、混合は起こり得ず、したがって、組成物は互いに隣接して配されているが、互いに対して付着してはいない。
【００９８】
乾燥した組成物は、例えば、水分または液体を十分には含まない組成物であるため、その構成要素の分子は互いに対して移動するほど自由ではない。第２の態様は、流体の流れに関して作用電極の上流に予め決められた量の較正分析物を有する較正電極が存在するものである。本発明の第３の態様は最初の２つの態様の組み合わせである。本発明のこれらの態様とさらなる態様がより詳細に記載される。
【００９９】
予め決められた量の較正分析物は、非常に正確であると知られており、特定の範囲内で知られているか、または、知られていない。しかしながら、１つのセンサーからに次のセンサーに、予め決められた量の較正分析物は、試験センサー上の実際の絶対的な量の分析物が既知ものであってもなくても、特定許容差内に同じものであると予め決められている。したがって、それぞれのセンサー上に、例えばインクジェット印刷によって配された正確な量の較正分析物は知られていない一方で、製造工程は、それぞれのセンサー内のそれぞれの測定電極上に提供される対応量に十分なように制御される。
【０１００】
同様に、本発明の態様が試験センサーに試薬膜を提供するために適切な試薬膜の製造を可能にするため、本発明の特定の実施形態では、特定の耐性内の同じ量の試薬に同じ各々のセンサーが提供される。特定の実施形態では、試薬膜が単位領域あたりほぼ均等な濃度の分析物を有することが望ましいため、１以上のセンサー内の１以上の測定電極に膜の対応する領域を提供することで、各々に提供される試薬の量は知られていないが、結果として各々の測定電極には同等の量の試薬が提供される。
【０１０１】
その量の較正分析物に必要な耐性は、試薬膜生成での耐性とセンサー構築における耐性に由来する。望ましい耐性か、または、確かに特定の実施形態で必要とされる耐性は、以下の：流路の幾何学的形状、流路の高度、流路の幅、流路の長さ、少なくとも第１の較正電極の流路に沿った場所、少なくとも第１の作用電極の流路に沿った場所、第１の較正電極と第１の作用電極の間の距離、試薬の溶解速度、第１の予め決められた量の第１の較正分析物の溶解速度、試薬の厚み、試薬膜の厚み、の１以上などのセンサーの設計によって決定される。
【０１０２】
したがって、各センサー内で提供される予め決められた量の較正分析物の制御と、センサーからセンサーまでの変動の制御は優れているが、各々で提供される実際の量の較正分析物は知られていない。センサーの設計と製造での変数はセンサーの性能を最適化するように制御されるのが望ましい。例えば、そのような最適化は、変数の制御を含むため、較正電極からの較正分析物または反応生成物が拡散または別の方法によって較正電極から作用電極まで移動することができる前に、所望の分析物の濃度を示す適切な測定値が１つの作用電極で得られるようになる。
【０１０３】
本発明の１以上の任意の態様はウェブ（ｗｅｂ）ベースの生産方法を使用する。とりわけ、本明細書に記載されているような試薬膜は、特にウェブ生産方法によって作られる。好ましくは、試薬膜は、本発明によってセンサーを製造するために、ウェブ生産方法で使用される。使用されるウェブベースの製造技術の例は、ＷＯ２００１／７３１０９およびＷＯ２００４／０４０２９０（両方ともＩＮＶＥＲＮＥＳＳ  ＭＥＤＩＣＡＬ；  ＤＡＶＩＥＳ  ｅｔ  ａｌ）に記載されたものを含む。
【０１０４】
図７Ａ、７Ｂおよび７Ｃは、第１と第２の態様に従って、本発明の例となる実施形態を断面図で示す。基板（１２）には３つの測定電極Ｅ１、Ｅ２、Ｅ３が設けられる。３つの図は、図１、１０Ａ、１０Ｂ、１１、１３、２２Ａ、２２Ｂ、２２Ｃ、および、２２Ｄで見られる試験センサーの断面図を示す。様々な構成要素の断面がほぼ長方形のものとしてここで描かれるか、または、予め決められた量の分析物（３８）の場合にはほぼ平面または不定形の点として描かれる一方で、断面は堆積技術に依存して変化するということが当業者によって理解されるであろう。実際に、正確な断面形状、または、実際に正確な厚みの制御は、デバイスの性能を最適化するために変化可能である。
【０１０５】
以下、特段の定めのない限り、当然のことながら、測定電極Ｅ１、Ｅ２、Ｅ３などは、Ｅ１からＥ２、Ｅ３、Ｅ４の方向に流路上のデバイス（センサー）を通って流れる流体に遭遇する。図７Ａ、７Ｂ、および、７Ｃにおいて、流体は流路（２３）に沿った方向（２２）に右から左に流れる。現在の目的のために、特に断面の正確な寸法または流路の長さを１つの面に残すことが可能である。しかしながら、当然のことながら、流路の寸法は（血液または間質液などの体液にとって重要である）必要とされる流体の量を決定する上で、および、サンプルチャンバー内の流体の流速に関して重要である。したがって、これは後でより詳細に議論される反応のタイミングに影響を与えかねない。
【０１０６】
図７Ａでは、サンプル流体は第１の測定電極Ｅ１に遭遇し、ここで、較正電極（１９）は、予め決められた量の較正分析物（３８）と乾燥した試薬膜（２０）によって少なくとも部分的に重なった導電性の測定電極Ｅ１を含む。したがって、乾燥した予め決められた量の較正分析物（３８）と乾燥した試薬（２０）は互いに隣接しており、この例となる実施形態では、少なくとも部分的に互いに重なり合い、したがって、測定電極Ｅ１にも隣接するとともに少なくとも部分的に重なっている。
【０１０７】
測定電極Ｅ２は、その表面の少なくとも一部上に乾燥した試薬膜（２０）が提供される。したがって、測定電極Ｅ２と試薬膜（２０）は作用電極（１８Ａ）を形成する。測定電極Ｅ２の下流は、試薬膜（２０）にも提供されるとともに測定の間に対／参照電極として機能する測定電極Ｅ３である。
【０１０８】
図７Ｂでは、測定電極Ｅ１は、最初に方向（２２）に流路（２３）に沿って最初に流れる波面に晒される。次に、測定電極Ｅ２、予め決められた量の較正分析物（３８）、および、試薬膜（２０）を含む較正電極（１９）は、流体の波面に遭遇する。較正電極（１９）の下流は、測定電極Ｅ３と試薬膜（２０）を含む作用電極（１８Ａ）である。
【０１０９】
図７Ｃでは、較正電極（１９）が、方向（２２）に流路（２３）に沿って流れる流体に最初に遭遇する。次に、測定電極Ｅ２は流体に遭遇し、その後、測定電極Ｅ２と試薬膜（２０）を含む対／参照電極（１７）を形成する。下流には、再度、測定電極Ｅ３と試薬膜（２０）を含む作用電極（１８Ａ）がある。
【０１１０】
測定電極Ｅ１、Ｅ２、Ｅ３とそのそれぞれの層の大きさおよび形状は、当業者によって理解されるように変更可能である。したがって、対／参照電極Ｅ２は作用電極の２倍の大きさであってもよい。電極の形状および／または領域は同じでも異なってもよい。これらの１つまたは両方が同じである場合、これによって、１つの電極からの電流を別の電極の電流と比較する際に可能性のある誤差の原因を減らすことができる。または、１つの電極で現れた電流は、領域の任意の差を調節するために、領域の比率を乗じることができる。典型的には、測定電極Ｅ１、Ｅ２、Ｅ３を形成する導電性電極層（１３）（図１を参照）は、一度に置かれ、したがって、これらは基板（１２）上に同じ厚みを有する。
【０１１１】
１つの実施形態では、作用および／または較正電極として役立つすべての測定電極Ｅ１、Ｅ２、および、Ｅ３は、各々に近い類似の反応と拡散をもたらすように、同じ大きさおよび形状である。さらに、電極の構築、大きさ、および、形状は制御される。これは、１以上の電極が提供される場合に、１つの電極から次の電極までの、特に較正電極と作用電極、および、随意に較正電極との間の変動を減らすことが望ましいためである。
【０１１２】
試薬と乾燥した形状の較正分析物は任意の状態で水を含まない（言い換えれば、無水である）必要はないが、むしろ、それらは、活性成分の運搬が行われない液体または水分をほとんど含まない。このことによって、較正分析物の形状の分析物を試薬の非常に近くに置くことができるため、較正分析物と試薬間に、または、試薬とサンプル分析物の間に生じる任意の反応が、ほぼ同時に始まるようになる。同時ということによって、特定の時点（例えば、５または６秒）で較正電極で現れた電流の測定が、較正分析物と試薬との間の、および、サンプル分析物のサンプルと試薬との間の反応の異なる開始時刻によっては変更しないような十分に短い時間内であることを意味する。４乃至１２秒または約５乃至１０秒の電極で現れた電流に関する測定時間を有するセンサーに関して、較正分析物と試薬の間の、および、サンプル分析物と試薬との間の反応の開始時刻の差は、好ましくは、０．５秒未満、０．２５秒、０．２秒、０．１秒、０．０５秒、０．０２５秒、０．０２秒、０．０１秒である。
【０１１３】
さらに、この例となる実施形態では、測定電極の最上部の露出した層に直接隣接する較正分析物と試薬層の場所によって、分析物の２つのソースからの反応生成物は、非常に短く、かつ、測定電極で電流を進行させるために移動するのとほとんど同じ距離を有することがわかる。
【０１１４】
流体運搬の１つの例が図８で示され、該図では、流体の滴（２１）の波面（３１）が毛細管現象によって流路（２３）に沿って引き出されるべくチャンバー（３６）の少なくとも１つの表面に触れるように、流体の滴（２１）は流体出入口（３２）に非常に接近して置かれる。
【０１１５】
ここで、基板（１２）には３つの測定電極Ｅ１、Ｅ２およびＥ３が提供されている。測定電極Ｅ１は、予め決められた量の乾いた較正分析物（３８）の準備によって（この場合、グルコースおよび乾燥した試薬膜（２０））、較正電極を提供する。測定電極Ｅ２は作用電極（１８Ａ）を提供し、測定電極Ｅ３は対の参照電極（１７）を提供する。スペーサー（３４）は、基板（１２）とサンプルチャンバー蓋（３０）の間の間隔を提供する。サンプルチャンバー蓋（３０）には空気口（３３）が提供され、該空気口は毛細管流体停止部（ａ ｃａｐｉｌｌａｒｙ ｆｌｕｉｄ ｓｔｏｐ）として機能し、空気がサンプルチャンバー（３６）から出るのを可能にする。スペーサー（３４）とサンプルチャンバー（３６）は、流体が方向（２２）に流れることが可能な毛細管チャネルを提供するための大きさと形状である。したがって、チャンバー（３６）は流体出入口（３２）から空気口（３３）まで流路（２３）を提供する。血滴（２１）の波面（３１）は、まず較正電極（１９）に接触し、その後、作用電極（１８Ａ）、そして、次に対参照電極（１７）に接触する。試薬膜（２０）を備えた較正分析物（３８）に近接しているため、流体が所望の分析物を含んだまま通過するにつれ、反応の成分はすべて溶けて、一緒に相互に作用することができる。後で示されるように、試薬膜（２０）によって形成された試薬層の溶解速度は、その厚みに依存する（図２１を参照）。チャンバー（３６）は毛細管現象によって流路（２３）に沿って流体を引き出すために毛細管チャネルを提供する。
【０１１６】
図８で分かるように、較正分析物（３８）と試薬膜（２０）は、チャンバー（３６）の１つの面で互いに対して隣接しており、したがって、流路（２３）に沿って流れる流体サンプルバルクに対して１つの面に隣接している。同様に、較正分析物（３８）と試薬（２０）、この実施形態における測定電極は、チャンバー（３６）の１つの面に、したがって、流路（２３）に沿って流体が流れる流体サンプルの大部分に対する１つの面に置かれる。さらに、較正分析物（３８）と試薬（２０）は、流路（従って、流体が存在する際の流体の束）と測定電極Ｅ１との間にある。これは特に望ましい配置である。
【０１１７】
ここで図９Ａ、９Ｂおよび９Ｃに目を向けると、本発明の代替的な実施形態が示されており、該実施形態では、試薬層は、２または３の測定電極を超えて伸張する、横の寸法が非常に大きな乾燥した膜の形状で提供される。この例となる実施形態では、試薬は、センサーの構築前に、２つの露出した、対向する、一般的には並列の平面を有する乾燥した膜の形状であった。したがって、膜が別の表面上に重なることで、その露出面の少なくとも１つが露出したままとなるように、膜は試薬層を形成すべく前記の膜になることができる。
【０１１８】
図７Ａ、７Ｂ、７Ｃおよび図８では、較正電極は作用電極の上流に位置する。このことによって、電極配置の設計における柔軟性が可能となるとともに、センサーが全体的に迅速な測定時間と少量のサンプル量という必要性を満たすことが可能になる。１以上の較正電極と１以上の作用電極が提供される場合、本発明の第２の態様に応じて作用電極の少なくとも１つの流体の流れという観点から、較正電極の少なくとも１つが上流にあることで十分である。
【０１１９】
本発明の第１の態様（すなわち、乾燥した較正分析物に隣接した乾燥した試薬の準備）と組み合わせて、本発明のこの態様によるセンサーでの測定のタイミングは、上流（すなわち、較正電極）での反応による反応生成物が作用電極に対して下流で漂ったり緩やかになったりする時間を持たないように設計される。このことは、作用電極で現れた電流が作用電極に直接隣接するサンプル分析物の濃度を直ちに反映するものであり、較正電極に直接隣接するサンプルおよび較正分析物の濃度を反映するものではないということを意味している。測定電極の上流のどこに較正電極を置くべきかという制限が存在しない場合には、センサーを設計する際にさらに多くの柔軟性がある。それにもかかわらず、上流からの測定信号と下流の電極信号との間のクロストークを含まずに適切に機能する電極を構築することによって、改善されたストリップ上の較正によって測定結果の精度が高い、現在使用されるものと同じくらい優れた、少量のサンプルと迅速な試験時間を有するセンサーが開発可能である。
【０１２０】
図９Ａ、９Ｂおよび９Ｃでは、試薬層は水溶性の乾燥した試薬膜（２０）および（４０）の形状で提供される。図９Ａでは、乾燥した試薬膜の一部は、測定電極Ｅ３に似た大きさおよび形状の乾燥した試薬膜（２０）を形成する。
【０１２１】
乾燥した試薬膜（４０）は、測定電極Ｅ１、Ｅ２およびＥ３の形成後と較正分析物（３８）のその上への配置後に、基板（１２）上に予め形成されて置かれた。乾燥した試薬膜（４０）は、近隣の測定電極の間の距離（例えば、約数ミリメートル）、または、約０．５ミリメートル乃至約５ミリメートルの距離の順の大きさを拡張した側部を有する。試薬膜（４０）の真下のＥ１とＥ２などの測定電極間に間隙（５６）がある。試薬膜（４０）は、図９Ｂと９Ｃで示される実施形態の３つの測定電極を覆う。
【０１２２】
作用電極および／または対／参照電極および／または較正電極を形成するために、試薬膜（４０）が１、２、３または４、またはそれ以上の測定電極を覆うのは、本発明の範囲内のことである。試薬膜（４０）が部分的に設けられるため、例えば、第１の膜が１以上の測定電極の第１のセットを覆い、第２の膜が１以上の測定電極の第２のセットを覆うことも、同様に本発明の範囲内のことである。あるいは、または、さらに、試薬膜が一部提供されることで、該一部が互いに重なり、試薬膜（４０）は、それを覆う第２の試薬膜によって補われるようになる。試薬膜（２０）（４０）は、正方形、長方形、卵形、円形であり、正方形、長方形、卵形、または、円形、または、任意の他の適切な形状の膜を通って設けられる１以上の開口部を有する。例えば、試薬をその上に全く含まない背景電極は、その間を通る開口部を有する試薬膜によって提供され、該開口部は開口部の領域内の測定電極に重なる。
【０１２３】
図９Ａのこの例となる実施形態では、流体は方向（２２）に流れ、較正電極（１９）、その後にまず、作用電極（１８Ａ）、その後、対／参照電極（１７）の形状をした測定電極Ｅ１に遭遇する。流体が方向（１２２）に流れるようにセンサーの幾何学的形状が配置される代替的な実施形態が提供される。
【０１２４】
図９Ｂでは、測定電極Ｅ１は、それ自体が作用電極（１８Ａ）の上流にある較正電極（１９）の上流に対／参照電極（１７）を提供する。ここで、試薬膜（４０）は、センサー内に配された３つの電極、すなわち、測定電極Ｅ１、Ｅ２、および、Ｅ３を完全に覆う。
【０１２５】
図９Ｃでは、試薬膜（４０）の代替的な設計は、較正電極と作用電極の間に配された対／参照電極（１７）内に示される。測定電極Ｅ１には、予め決められた用量の較正分析物（３８）も提供される。試薬膜（４０）は乾燥した試薬膜である。この場合、このことは、ほとんど液体または水分を含まないため（好適な実施形態では、水を含まないため）、任意の相当な相互作用がなくとも、較正分析物の隣りに膜を置くことができるということを意味する。したがって、試薬膜（４０）を較正分析物（３８）に隣接して配することができる。
【０１２６】
本発明の１つの好ましい実施形態では、例えば、試薬膜（４０）の形状の試薬があらかじめ形成される。このことは、センサー（１０）の形成の前に試薬を予め形成することを意味する。あるいは、このことは、センサー（１０）の構築中に、乾燥した試薬がセンサー（１０）に加えられる前に形成されることを意味する。そうであるため、センサー（１０）の構築中に、試薬と較正分析物が乾燥した形状である際に、互いに隣接するよう一緒になって集められる。１つの実施形態では、試薬膜が提供される場合、試薬膜（４０）は十分に強い、例えば、製造中に別々に扱われるほど十分に厚いのが望ましい。それにもかかわらず、試薬膜（４０）が測定の時間枠内に急速に溶けるほど十分に薄いことも望ましい。
【０１２７】
例となる実施形態では、較正分析物（３８）が測定電極Ｅ１のような測定電極の露出面すべてを覆うが、これは必ずしもそうである必要がない。同様に、試薬膜（２０）または拡張した乾燥した試薬膜（４０）が測定電極のすべてを覆い、および／または、較正分析物（３８）のすべてを覆うが、これは必ずしもそうである必要がない。
【０１２８】
図１０Ａは、導電性トラック（１４）とその上に配された測定電極Ｅ０、Ｅ１、Ｅ２、Ｅ３、および、Ｅ４、およびＥ５を含む導電層（１３）（標識されず）を有するセンサー（１０）の平面図を示す。絶縁体層（１６）は、測定電極Ｅ０、Ｅ１、Ｅ２などの幅を順に定義する絶縁体窓部（１５）を定義する。図１０Ｂは、線ＢＢ’に沿ったセンサー（１０）の側断面図を示す。スペーサー（３４）はチャンバー蓋（３０）を支持し、これらは共にサンプルチャンバー（３６）を提供する。サンプルチャンバー（３６）は、毛細管現象によってセンサーフィルを提供するように（例えば、親水性の表面の準備によって）、大きさが決められ、および／または、形状が決められ、および／または、構築される。例えば、サンプルチャンバー（３６）は、流体出入口（３２）から空気口（３３）に及ぶ流路（２３）を定義する一つの線状の毛細管チャネルを提供する。したがって、流路（２３）は流体出入口（３２）と空気口（３３）の間に設けられる。測定電極Ｅ０とＥ５は同じ導電性トラックから形成され、対／参照測定電極を提供する。予め決められた量の較正分析物（例えばグルコース）（３８）は、重なっている試薬膜（４０）に沿って、較正電極（１９）を形成するために、測定電極Ｅ１上に提供される。試薬膜（４０）は水溶性の乾燥した膜である。水溶性の乾燥した試薬膜（４０）は、測定電極Ｅ０から測定電極Ｅ５までに及ぶとともに、センサー（１０）の細長い縁部とその上の基板（１２）までずっと及んでいる。
測定電極Ｅ２、Ｅ３またはＥ４の１以上に重なる水溶性の乾燥した試薬膜（４０）の一部は、試薬を不活性化するとともに、作用電極に構造が似た背景電極を提供するために、当業者に知られている工程、例えば、熱や放射能によって非活性化される。あるいは、背景電極は、関連する試薬膜を含むことなく提供される。したがって、測定電極に重ならない大きさおよび／または形状の試薬膜が提供されることで、背景電極が提供可能となる。
【０１２９】
同様に、１つの実施形態では、測定電極Ｅ２、Ｅ３、Ｅ４は、較正分析物を含まない近隣の較正電極と同様の構造をした作用電極を形成するため、該電極のうちの１つには緩衝液中の較正分析物が提供されないということを除けば、電極上に堆積する同一の緩衝液を有する。
【０１３０】
したがって、背景電極および／または較正電極および／または作用電極を、可能な限り互いにほぼ同一の構造で作ることで、個々の構造の変動によって生じるこれらの電極からの測定値の変動を減らすことができる。
【０１３１】
乾燥した膜は、膜の構成要素が互いに対して、および、膜の最外表面に対して適所で固定して保持されるように、液体または水分、例えば、水をほとんど含まないことを意味する。このことは、膜成分が、膜に隣接する他の有効成分、例えば、較正電極（１９）上の較正分析物（３８）と相互に作用することができないことを意味する。
【０１３２】
測定電極Ｅ２、Ｅ３、および、Ｅ４は、作用電極（１８Ａ）、（１８Ｂ）、および、（１８Ｃ）を形成するために水溶性の乾燥した試薬膜（４０）によって覆われる。したがって、測定の間、これら３つの作用電極に由来した３つのサンプル分析物の電流は集められ、適切な場合、平均化されるか、または、さもなければ組み合わされることで、予想されるサンプル分析物の電流を提供することができる。これはサンプル分析物の電流における誤差の減少につながる。
【０１３３】
流路（２３）の方向と同じ方向での各々の測定電極の長さは、測定電極Ｅ０、Ｅ１、Ｅ２などの領域における導電性トラック（１６）の幅によって定義される。流路（２３）の方向にほぼ垂直な方向での測定電極の幅は、絶縁体層（１６）の絶縁体窓部によって定義される。測定電極の寸法および／または形状が、絶縁体窓部の幅および／または形状、および／または、導電性トラックの幅および／または形状を変えることによって、変更可能であるということは当業者に理解されるであろう。
【０１３４】
図１１は構築のいくつかの段階におけるセンサー（１０）を示す。第１に、基板（１２）には、電極トラック（１４）と測定電極Ｅ０、Ｅ１、Ｅ２などを含む導電層（１３）が提供される。基板（１２）は、プラスチック、ポリテンなどの当業者に知られている任意の適切な材料である。導電性トラック（１４）は測定電極Ｅ０、Ｅ１、Ｅ２と同じ材料を含むが、これは必ずしもそうである必要はない。これらは、スパッタリング、スクリーン印刷、リソグラフ技術、輪転式グラビア印刷のような当業者に知られている技術によって置かれる。次に、絶縁体層（１６）は、電極トラック（１４）上に適切に位置合わせして（ｉｎ  ａｐｐｒｏｐｒｉａｔｅ  ｒｅｇｉｓｔｒａｔｉｏｎ）置かれる。典型的には、絶縁体層（１６）は圧力接着剤によって基板（１２）に固定される。次に、予め決められた量の較正分析物（３８）は、絶縁体層（１６）の絶縁体窓部（１５）によって定義された測定電極の１つに置かれる。次に、随意に、マスクは図１２に関連して見られるように、絶縁体層（１６）上の圧力接着剤パターンの堆積を可能にするために使用される。この圧力接着剤は、予め形成される水溶性の乾燥した試薬層（４０）を絶縁体層に固定して置くことができるように随意に提供される。固定する他の方法が想定され、この発明に含まれる。
【０１３５】
チャンバー（３６）は、毛細管現象によって流体を沿って引き出すための流路を定義する毛細管チャネルを提供する。試薬層は、センサーデバイスの構築前に、２つの露出した、対向する、一般的には並行の平面を有する乾燥した膜の形状をしている。乾燥した試薬膜（４０）はセンサー（１０）の絶縁体層（１６）に置かれ、それは１つの露出した、一般的には平面を有する。典型的には、水溶性の乾燥した膜は、水、血漿、血液、尿、唾液または他の水性液に溶け、好ましくはほとんど溶け、より好ましくは、ほとんど完全に溶ける。スペーサー（３４）の形状のチャンバー壁（３４）は、流体出入口（３２）から空気口（３３）までチャンバー（３６）と流路（２３）を定義するために提供される。チャンバー蓋（３０）もスペーサー（３４）の上に提供される。図１１でセンサー（１０）の最上部の写真で見られるように、スペーサー（３４）とチャンバー蓋（３０）は、基板（１０）、試薬層膜（４０）、および、絶縁体層（１６）の幅より多少短い。したがって、シェルフ（５０）は、センサー（１０）の長縁部の１つの領域に随意に提供される。
【０１３６】
図１２は、図１１のセンサーの線Ｃ−Ｃ’による断面を示す。ここで、基板（１２）には、絶縁体窓部（１５）を定義する絶縁体層（１６）が提供されている。予め決められた量の較正分析物（３８）は、測定電極Ｅ２の形状をした導電性トラック（１４）の露出面上に提供される。スペーサー（３４）には、流体が通るサンプルチャンバー（３６）を提供するチャンバー蓋（３０）が被せられている。水溶性の乾燥した試薬膜（４０）は、絶縁体層（１６）と較正分析物（３８）の上に位置する。
【０１３７】
水溶性の乾燥した試薬膜（４０）は、１つの例となる実施形態では、ポリマーのような第１の膜形成成分と、所望の分析物に敏感な第１の活性成分とを含む。該試薬膜は、同様に第２の膜形成成分を含む。第１のおよび／または第２の膜形成成分のいずれかは、提供される場合には、下記：ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの１以上から形成される。典型的には、一方が溶解しやすくかつ親水性が少なく、もう一方が溶解しにくくかつより疎水性が高い膜形成成分の組み合わせが提供される。このように、乾燥した試薬膜（４０）の相対的な強度と溶解特性が制御可能である。本明細書の他の個所でも議論されているように、水溶性の乾燥した試薬膜の溶解速度および構造強度は、適切な時間枠内に分析物信号を提供するために、膜と任意の反応成分の優れた溶解を同時に提供しつつ、優れた堅調な製造を保証するという点で重要である。
【０１３８】
したがって、波面は、ほぼ同時に較正分析物とそれに隣接する乾燥した試薬の両方に到着する。したがって、波面は、０．７５秒、０．５秒、０．２５秒、０．２秒、０．１秒、０．０５秒、０．０２５秒、０．０２秒、０．０１秒の群から選択される時間内にこれらの構成要素に到着する。
【０１３９】
さらに、１つの例となる実施形態では、波面は、較正分析物とそれに隣接する乾燥した試薬に、および、これらに隣接する測定電極にほぼ同時に到着する。したがって、波面は、０．７５秒、０．５秒、０．２５秒、０．２秒、０．１秒、０．０５秒、０．０２５秒、０．０２秒、０．０１秒の群から選択された時間内にこれらの構成要素に到着する。
【０１４０】
したがって、成分と水溶性の乾燥した試薬膜と較正分析物の適切な選択によって、および、乾燥した形状のこれらを互いに非常に近接して置くことによって、各種機能が提供される。第一に、流体が到着してこれらの構成要素を溶かすまでは、試薬内の較正分析物と活性成分の間には認識できる反応はない。第二に、これらは非常に近接しているため、波面は同じ時間に到着し、これらの構成要素の相互作用は実際には即座に始まる。第三に、これらが測定電極に隣接して配されるので、これらの２つのソースからの反応生成物の輸送経路は、非常に類似した長さであり、これらの２つの反応からの電流はほぼ同時に進行する。
【０１４１】
図１３は、本発明によるセンサーの代替的な実施形態の分解斜視図を示す。接着剤（３９）のパターンは絶縁体層（１６）に重ね合わせて示される。図１０、１１、および、１２で示される実施形態とは対照的に、この実施例センサー（１０）には３つの予め決められた量の較正分析物が提供されている。これらは４ａ、４ｂ、および、４ｃである。４ｄは、予め決められた量の較正分析物の準備で使用されるのと同一の、バッファーなどの予め決められた量のベースである。例えば、較正分析物はグルコースのような分析物を有するバッファーを用いて準備される。任意の分析物を含まない、同様の量のバッファーが測定電極Ｅ４の上の４ｄに提供される。したがって、測定電極Ｅ４は、試薬膜（４０）、作用電極（１８Ａ）とともに形成される。
【０１４２】
ここでさらに詳細に、図１３では、分析物試験ストリップが平面基板（１２）を含む本発明の１つの実施形態が示される。基板（１２）はポリエステルのような任意の適切な材料で作られる。基板の１つの端部がメーターへの適切な接続を形成し、もう一方の端部が複数の測定電極Ｅ１、Ｅ２、Ｅ３などに形成されるように、導電性トラック（１４）は基板（１２）に配置される。トラックは適切なカーボングラファイトペーストをスクリーン印刷することによって基板に配置される。導電材料の露出領域を制御することは重要であり、露出領域の優れた制御によって、電極を作成する他の方法が想定される。基板上の表面に被膜されてエキシマーレーザーによって所望の電極パターンに分けられるか、または、所望の形状を形成するためにマスクを介して被膜される、金またはパラジウムのような代替的な導電材料が使用されてもよい。絶縁体層（１６）が導電性トラックの上に堆積することで、ストリップがメーター（図示せず）のストリップポートコネクタに挿入される際に、十分なトラックが、電気接触を形成するためにストリップの一方の端部で露出するようになり、かつ、各トラックの定義された領域が複数の測定電極Ｅ１、Ｅ２、Ｅ３およびＥ４を形成するためにストリップのもう１つの端部で露出するようになる。
【０１４３】
内部標準を形成するために、制御された量のグルコース溶液４ａ、４ｂ、４ｃを、その後、Ｅ１、Ｅ２およびＥ３の１以上に加える。グルコースを加える溶液は、１％のＢｌａｎｏｓｅ  ７ＬＦと、Ｚｏｎｙｌ（登録商標）  ＦＳＮ−１００（ＤｕＰｏｎｔ）のような界面活性剤を包含する。グルコース溶液の添加は、インクジェット印刷またはドロップオンデマンド技術のような既知の堆積技術によって行われる。その後、グルコース用量は、周囲の温度で乾燥させるか、または、オーブンまたは強制空気乾燥機を用いて乾燥させる。検出領域の１以上に添加されるグルコースの量は、他の添加領域と同じかまたは異なる。Ｂｌａｎｏｓｅと界面活性剤を含むがグルコースを含まない「ブランク」溶液４ｄは、グルコースを添加していない検出領域上にも添加されてもよい。
【０１４４】
検出領域のうちの１つは、この領域一帯の膜で酵素を非活性化することによって、または、この特定の領域一帯に試薬膜を置かないことによって、または、この領域一帯の試薬膜を取り除くことによって、背景測定電極にも変えられる。
【０１４５】
この実施例におけるフェリシアン化物は、グルコース添加溶液にも含まれ、標準的なグルコース用量と共に測定電極に堆積する。
【０１４６】
膜を含む試薬を作る際に使用するのに適した他の随意のポリマーは、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレートである。
以下の随意の追加成分が試薬膜にも含まれる：
・可塑剤（例えば、キシリトール、ソルビトール、エリトリトール、ポリエチレングリコール）
・崩壊剤（例えば、微結晶性セルロース、ナトリウムデンプン糖化生成物、ナトリウムデンプングリコレート）
・界面活性剤（例えば、ＺＯＮＹＬ（登録商標）ＦＳＮ−１００などのフッ素系界面活性剤、または、Ｄｏｗ  Ｃｏｒｎｉｎｇ（登録商標）１９３Ｃなどのシリコーンポリエーテル共重合体）
【０１４７】
図１４は、検出領域表面上へのグルコースの追加用量を含まない、単一の検出領域で測定された電流の図を示す。図はバッファーサンプル中の様々なレベルのグルコースで示される。
【０１４８】
図１４は、データ、特に、時間に対して一つの検出領域で測定された特定の電流、すなわち、グルコースの追加用量を含まない単一の作用測定電極で経時的に現れた電流を示す。グルコースは適切なバッファー中のサンプル分析物として使用された。サンプルグルコースによる電流レベルの変動が見られる。曲線（６０）は、グルコースがサンプル中に存在しなかった際の電流測定を示す。曲線（６２）は、１デシリットル当たり１４０ｍｇ濃度がサンプルに存在した際の電流測定を示す。曲線（６４）は、１デシリットル当たり３１０ｍｇのグルコース濃度に関して現れた電流を示す。曲線（６６）および（６８）は、１デシリットル当たり６５０ｍｇおよび１デシリットル当たり１０００ｍｇのグルコース濃度に関して現れた電流をそれぞれ示す。
【０１４９】
図１５は、異なる検出領域（Ｅ１−Ｅ４）で測定された電流の図を示す。Ｅ３は、Ｅ３上でグルコース用量をインクジェット印刷し、ストリップの組み立て前にグルコースを乾燥させた。サンプル溶液はグルコースを含まないバッファーであった。図１５は、図１１に示されるようなセンサーを用いて、異なる検出領域測定電極Ｅ１、Ｅ２、Ｅ３およびＥ４上で測定された電流の図を示す。Ｅ３はＥ３上で予め決められた量のグルコースをインクジェット印刷し、センサーの組み立て前に乾燥させた。試験に使用されたサンプル溶液はバッファーであり、グルコースを含んでおらず、ゆえに、サンプル分析物を含んでいない。予想されるように、曲線（７０）および（７２）で示される測定電極Ｅ１およびＥ２で現れた電流は非常に低かった。なぜなら、測定電極Ｅ３上のグルコース用量はこれらの２つの測定電極の下流にあったためである。測定電極Ｅ３で現れた電流は、その電極上のグルコースの存在を示すものである。多少の驚きではあったが、測定電極Ｅ４で現れた電流は、曲線（７６）で示されるように、アッセイの時間枠内にグルコースがこの電極に到達しなかったことを示す。作用測定電極Ｅ４がグルコースを添加した測定電極Ｅ３の下流にあり、較正電極として機能しているなかで、これは予期しないことである。したがって、これらの結果によって、サンプル分析物を備えた流体サンプルが用いられた場合に、較正分析物または関連する反応生成物を含む流体が較正電極（Ｅ３）から作用電極（Ｅ４）に移動できるようになる前に、サンプル分析物の濃度を示す適切な測定が作用電極（Ｅ４）で完了するように、流路の幾何学的形状、較正電極の場所、下流の作用電極の場所、添加されたグルコース分析物、測定電極Ｅ３およびＥ４の間隔などを選択可能であることが実証される。  
【０１５０】
ひとたび毛細管チャネルが充填されると、較正電極Ｅ３から作用電極Ｅ４までの反応生成物の伝達は、出発成分の溶解から反応生成物および／または反応出発成分の拡散に依存する。したがって、測定値が得られるアッセイ時間は、較正分析物または反応生成物の他の測定電極への拡散にかかる時間よりも少ない。
【０１５１】
図１６は、流路Ｅ１内の第１の電極に較正分析物としてグルコースの用量が提供される同様の実験の時間に対する電流の図を示す。曲線（８０）は、この測定電極上のグルコースの存在を示す。しかしながら、測定曲線（８２）、（８４）、および、（８６）で示される、下流の電極Ｅ２、Ｅ３およびＥ４は、アッセイの時間枠内にこれらの電極で検出された分析物がまったく汚れていなかったことを示す。
【０１５２】
図１７は、いくつかの初期のプロトタイプの試験センサーにおける時間に対する電流の実際のデータの図を示す。ここで、電極Ｅ１は、特定の用量の較正分析物、例えば、グルコースを有する。これは曲線（９０）に見られる。電極４は、異なる用量の較正分析物をその上に有している。これは曲線（９６）で見られる電流測定値によって実証される。有意な電流が測定されなかったため、流路Ｅ２とＥ３に沿った中間電極は、その上にはグルコースが存在しないことを示す。したがって、曲線（９０）によって実証されるような電極Ｅ１から、曲線（９２）と（９４）で見られるような電極Ｅ２およびＥ３までのクロストークはなく、ゆえに、電極Ｅ４までのクロストークはない。なぜなら、この曲線には突発的な増加や他の変化がないためである。
【０１５３】
図１８Ａは、３つの異なるレベルの対照溶液で、グルコースが添加されていない検出領域（Ｅ４）と、追加のグルコースが添加された検出領域（Ｅ３）で測定されたような、１０秒時点での電流を示す図を示している。図１８Ａは、３つの異なるレベルの対照溶液（異なるグルコース濃度を提供する異なるレベルのグルコースを含むバッファー）において、グルコースが添加されていない同じ検出領域（Ｅ４）と、追加のグルコースが添加された検出領域（Ｅ３）についてのグルコース濃度に対する１０秒の測定時間での測定電極で現れた電流を示す。したがって、この実験では、試験センサーには、夫々の電極Ｅ３の上の較正分析物として、等しい量のグルコースが与えられた。対照溶液の３つのサンプルは流体サンプルとして使用され、電流はセンサーの各々において、測定電極Ｅ３またはＥ４で測定された。グラフ（１００）は、異なるグルコース濃度の対照溶液を使用して、較正電極Ｅ３における電流とグルコース濃度の関係を示す。グラフ（１０２）は、再度異なるグルコース濃度の対照溶液を使用して、作用電極Ｅ４の電流対グルコース濃度の関係を示す。
【０１５４】
作用電極Ｅ４で現れた電流は、追加用量のグルコースが与えられた較正電極Ｅ３で現れた電流よりも少ない。これは、較正電極Ｅ３に提供された追加グルコースが、センサーにおいて異なるグルコース濃度の電流の大きさに、一定の段階的な変化を与えることを示し、このことは、センサーが、同じ量のグルコース較正分析物に同様の方法で反応することを実証している。この一定の段階的な変化は、Ｓ．ｉｓと等しく、このとき、ｉｓは較正電流であり、Ｓは傾斜補正因子である。
【０１５５】
図１８Ｂは、指先穿刺全体による血液（各々のグルコースレベルで２度繰り返す）を用いて、１デシリットル当たりのミリグラムのグルコース濃度に対して、１０秒で特定の作用電極（追加添加されたグルコースを含むＥ３と、グルコースが添加されないＥ４）で現れた電流の実験データの図を示す。ここで使用される標準用量の較正グルコースは、図１８Ａに関連して実験で使用されるものよりも多かった。図１８Ｂは、較正電極Ｅ３上に与えられた追加の較正グルコースが、センサーにおける血液中の異なるグルコース濃度での電流の大きさの一定の段階的な変化を与えることを示し、このことは、センサーが同じ量のグルコース較正分析物に同様の方法で反応することを実証している。データ点に適合する最小二乗によって適合したライン間の０グルコース濃度での切片の差は、Ｓ．ｉｓの優れた見積もりをもたらす。
【０１５６】
（グルコース測定の内標準補正）
３つの電流測定電極を備えた測定システムを考慮すると、このとき、
較正測定電極Ｅ１は、その上に添加された予め決められた量のグルコースを有し、それゆえ、サンプル中のグルコース＋予め決められた較正用量によって、合計の較正電流を測定する；
作用測定電極Ｅ２は、サンプル中のグルコースによって、合計の作用電極電流を測定する；
背景測定電極Ｅ３は酵素を有しておらず、したがって、非グルコース依存性の電流、例えば、干渉物質や他のノイズ効果による電流のみを測定する。
【０１５７】
較正測定電極Ｅ１および作用測定電極Ｅ２で測定された電流は、グルコース依存性電流と、非グルコース依存性遮断または背景電流の和である。したがって、各々の電極上で測定される電流は、以下のように記載される。
Ｅ１反応＝ｉｍ＋ｉｓ＋ｉｂ
Ｅ２反応＝ｉｍ＋ｉｂ
Ｅ３反応＝ｉｂ
このとき、ｉｍ＝サンプルグルコースからの電流＝誤差のない作用電極電流。
（これらが同じ領域であり、同じ設計に、および、同じ方法によって構築された場合、この電流がＥ１とＥ２でほとんど同一であると考えることができる）
ｉｓ＝内部標準較正用量からの電流
ｉｂ＝非グルコース背景電流
【０１５８】
しかしながら、干渉物質、サンプルヘマトクリット、試験条件などによって、これらのすべての電流に対する誤差寄与がある。背景応答における誤差は加法的であるが、グルコース依存性電流における誤差は倍に増えていく。すなわち、背景誤差は、グルコースレベルに関係ない特定の電流であるが、グルコース依存性誤差はグルコース電流（サンプルと内部標準の両方）の割合になる。したがって、測定された実際の電流は、以下のように各電極での誤差貢献を有する：
実際のＥ１応答ｉｃ＝Ｓ．ｉｍ＋Ｓ．ｉｓ＋（ｉｂ＋Ｉ）
実際のＥ２応答ｉｗ＝Ｓ．ｉｍ＋（ｉｂ＋Ｉ）
実際のＥ３応答＝ｉｂ＋Ｉ
Ｓが傾斜誤差要因（ｓｌｏｐｅ ｅｒｒｏｒ ｆａｃｔｏｒ）で、Ｉが遮断誤差電流（ｉｎｔｅｒｃｅｐｔ ｅｒｒｏｒ ｃｕｒｒｅｎｔ）である場合、ｉｃは測定された較正電極電流であり、ｉｗは測定された作用電極電流である。
【０１５９】
ｉｓとｉｂは両方とも「正常な」条件下の既知の予想される値を有する。
【０１６０】
内部標準の目的は、サンプルグルコースによる誤差のない作用電極電流ｉｍを導き出して用いることで、正確なサンプルグルコース測定値を返すことができるように、Ｓの決定を可能にすることである。
【０１６１】
したがって、Ｅ１、Ｅ２およびＥ３から３つの測定された電流応答を仮定すると、Ｅ３で測定された背景応答を、Ｅ１とＥ２の両方の応答から引くことができる。その後、背景補正したＥ１（Ｅ１ｃ）応答から、背景補正したＥ２（Ｅ２ｃ）応答を引くことは、傾斜誤差要因（Ｓ．ｉｓ）を掛けた内部標準によって生成された電流をもたらす。
【０１６２】
実際に、Ｅ１からＥ２を単に引くことで、背景電流がこの引き算で除去されるのと同じ値を与える。Ｅ２ｃの値は後で必要とされる。したがって、
Ｅ１−Ｅ２＝Ｅ１ｃ−Ｅ２ｃ＝Ｓ．ｉｓ
【０１６３】
ｉｓが、例えば、図１９Ａ、１９Ｂ、および、１９Ｃに関連して記載される一組のセンサーのサブセット、または、別のセンサーから測定される、既知の予想値を有しているため、我々は、Ｓの値を測定することができる。
Ｓ＝（Ｅ１−Ｅ２）／ｉｓ＝（Ｅ１ｃ−Ｅ２ｃ）／ｉｓ        方程式１
【０１６４】
ここで測定されたＳの値を用いて、Ｅ２の背景補正した応答からｉｍの正確な値を導き出すことができる。
Ｅ２ｃ＝Ｅ２−Ｅ３＝Ｓ．ｉｍ
したがって、ｉｍ＝ｉｓ（Ｅ２−Ｅ３）／（Ｅ１ｃ−Ｅ２ｃ）    方程式２
【０１６５】
あるいは、背景電極が存在しないか、または、背景が試験の範囲内で無視できると考えられる場合、Ｅ２の応答からｉｍの正確な値を導き出すことができる（したがって、ｉｍ＝ｉｓ（Ｅ２）／（Ｅ１−Ｅ２））。
【０１６６】
誤差のない作用電極電流ｉｍの値は、例えば、図５の較正グラフ（２６）を用いることによって、または、そのようなグラフを介した適合からのｍとｃの値を用いることによって、または、ｍとｃの値を示すコードを用いることによって、誤差を補正したグルコース値を戻すために使用される。
【０１６７】
誤差のない作用測定電極電流の測定の一例が、実施例４に示される。
【０１６８】
図１９Ａは、本発明の１つの態様によるセンサーを較正する方法（１００）を示す。工程（１１０）は、予め決められた量の較正分析物を有する較正電極と、サンプル測定電極とを有する第１のセンサー（センサー（１））を提供している。随意に、較正電極と予め決められた量の較正分析物は、同じ流路上にある（工程１１５）。工程（１２０）は、既知の分析物濃度を随意に有する較正サンプルを提供している。工程（１３０）は、随意に、ある時点で、または、エンドポイントで、または、較正電極ｉｃ１＝ｉｓ１＋ｉｍ１（センサー１の総較正電流）の定常状態で、電流を測定している。工程（１４０）は、ある時点で、または、エンドポイントで、または、定常状態で、サンプル測定電極で現れた電流を測定している。工程（１５０）は、様々な電極領域を考慮するために、較正電流とサンプル測定電流の相対値を随意に標準化している。工程（１６０）は、ｉｃとｉｍからの標準的な較正電流ｉｓ、ゆえに、ｉｓ１＝ｉｃ１−ｉｍ１を測定している。
【０１６９】
工程（１７０）は、第１のセンサーに対する製作公差内で好ましくは同一の第２のセンサー（センサー２）を提供している。工程（１７０）は、同様に、第２のセンサー上の対応する時点において対応する作用電極で現れた電流、ｉｃ２およびｉｍ２（および、対応する較正電極で現れた較正電流）を測定する工程と、ｉｃ２とｉｓ１に基づいてｉｍ２を調節する工程とを含む。
【０１７０】
図１９Ｂは、本発明のさらなる態様による一組のセンサーを較正する方法を提供する。方法（２００）は、一組のセンサーを提供する第一の工程（２１０）を含む。工程（２２０）は、該組からセンサーのサブセットを選択する工程を含む。工程（２３０）は、予め決められた濃度の分析物を有する少なくとも１つのサンプルを提供する工程と、異なる予め決められた濃度の分析物の２以上のサンプルを随意に提供する工程を含む。工程（２４０）は、ある時点の較正電極ｉｃｎでの電流を測定する工程を含む。随意に、該地点は、反応がサンプルと較正分析物の濃度の合計に関連する電流測定値を提供するほど十分に収まった特定の時点であるか、または、該時点は、反応が完了または定常状態まで進むような時点である。
【０１７１】
工程（２５０）は、ｎ個のセンサー内のある時点におけるサンプル測定電極と、１以上のセンサー内のｎ個の電極の作用電極電流ｉｍｎを測定する工程を含む。随意に、該時点は、作用電極で現れた電流と較正分析物との相関関係があるほどに反応が十分に収まる間の特定の時点であるか、または、該時点は、反応がエンドポイントまたは定常状態まで進むような時点である。
【０１７２】
随意に、工程（２６０）は、各々の分析物濃度について、較正電流ｉｓｎ、および／または、実際に測定された較正電流ｉｃｎ、および、作用電極電流ｉｗｎを平均化する工程と、下式からの平均予想標準較正電流を測定するためにｎ個のセンサーにわたってこれら合計する工程を含む。
ｉｓｅ＝ａｖ  ｉｓｎ＝１／ｎ（Σｉｃｎ−Σｉｗｎ）
【０１７３】
随意に、代替的な工程（２７０）は、分析物濃度の２つ以上の値で１以上のセンサーのための較正電流を示す工程と、ゼロの分析物で適合した予想される標準較正電流を測定するために、データにグラフを適合させる工程を含むように提供される。
【０１７４】
図１９Ｃは、３つの異なるレベルの分析物濃度（３１０）、（３２０）、および、（３３０）で、一組のセンサーから選択されたセンサーのサブセットに関して、１デシリットル当たりの分析物濃度ミリグラムに対するマイクロアンペア内の較正電極の電流の図を示す。グラフ（３３５）は、データ（３１０）、（３２０）、（３３０）に適合し、かつ、ゼロ分析物濃度で予想される標準電流をもたらすために、Ｙ軸に再度当てはめられる。これは、実際には、サンプル分析物が存在しない場合に、予め決められた量（ｉｓｅ）の較正電極上の較正分析物の存在から予想される電流である。
【０１７５】
図１９Ｄは、方法（１００）または（２００）のための３つのさらなる随意の工程を示す。工程（３５０）は、（１つの較正電極以上の場合）センサー内で各々の較正電極について繰り返す工程を含む。工程（３６０）は、補正されたサンプル測定電流を提供するために、さらなるセンサーからのサンプル測定電流を調節するように、測定された予想標準電流ｉｓｅと測定された較正電流を使用する工程を含む。
【０１７６】
ここで、図２０を参照すると、４つの異なるストリップ設計構造が示される。
Ａ  サンプルチャンバーの一方の側で互いに対して隣接する、検出電極、試薬膜、および、標準用量
Ｂ  サンプルチャンバーの他方の側の検出電極と試薬膜上の標準グルコース用量
Ｃ  サンプルチャンバーの他方の側の検出電極と標準グルコース用量の次の試薬膜
Ｄ  検出電極に対するサンプルチャンバーの反対側にある試薬膜と標準グルコース用量
【０１７７】
この図は、短時間のアッセイと少量のサンプルを達成する際に、試薬、標準グルコース用量、および、検出電極を非常に近接して維持する重要性を示す。サンプルがストリップに入る場合、試薬とグルコース用量は可溶化され、サンプルに拡散し始める。グルコースとフェリシアン化物は、同じ速度で、かつ、酵素グルコースオキシダーゼよりも１０倍速く拡散する。したがって、アッセイの最初の数秒で、酵素反応のほとんどは、酵素がサンプルチャンバー内で位置していた場所の近くで行われる。主要な反応領域（４６）は各々のアッセイ形態に関して上記の図で示される。その後、反応（４８）の生成物は検出電極の表面で検出される必要がある。これらの反応生成物がさらに移動しなければならない場合、該反応生成物はサンプルチャンバー内でもさらに広がり、異なる検出電極は電極間の「クロストーク」を回避するためにさらに間隙を配して置かれなければならない。あるいは、検出電極は、別のサンプルチャンバー内で物理的に分離される。いずれかの選択肢が試験ストリップにサンプル量および／または複雑さを加える。
【０１７８】
短いアッセイ時間は、アッセイ試薬による移動距離を最小限にし、試薬が初めは互いに対してかつ検出電極に対して近接して置かれることを必要とする。形態Ａのみがこれを達成するが、新規なストリップ設計は、ストリップ製造の間に生じる任意の反応を防ぐ必要がある。
【０１７９】
したがって、図２０は、３つの異なる時点Ｔ０、Ｔ１およびＴ２でのセンサーＡ、Ｂ、ＣおよびＤのための４つの構造の準備を示す。センサーは較正電極を介して断面で示される。センサーＡは本発明の１つの態様に従って較正電極（１９）を含む。ここで、較正分析物（３８）は試薬膜（４０）に隣接しており、両方は、流体サンプルに関連してサンプルチャンバーの同じ側にある測定電極Ｅ１に隣接する。基板（１２）には３つの近隣の測定電極Ｅ１、Ｅ２およびＥ３が提供される。予め決められた量の較正分析物は（ここでは、所望の分析物と同じ分析物）は（３８）で提供される。水溶性の乾燥した試薬膜（４０）は、測定電極Ｅ１、Ｅ２およびＥ３を測るように提供される。測定電極Ｅ１とＥ３の一部だけが示されているが、それにもかかわらず、これらの測定電極にも各々、予め決められた量の較正分析物（１３８）が提供されていることがわかる。水溶性の乾燥した試薬膜（４０）は、測定電極Ｅ１、Ｅ２およびＥ３に予め決められた量の較正分析物を重ね合わせる。別記のように、較正分析物（３８）および（１３８）は、形態Ａで表示された方法だけでなく、多くの方法のうちの任意の１つで水溶性の乾燥した試薬層（４０）に近接して位置付けられる。チャンバー蓋（３０）も示される。
【０１８０】
形態Ｂは形態Ａとは多少異なる。ここで、水溶性の乾燥した試薬層（４０）は較正分析物（３８）および（１３８）には隣接していない。形態Ｃは水溶性の乾燥した試薬層（４０）を重ね合わせた測定電極Ｅ１、Ｅ２およびＥ３を示す。較正分析物（３８）および（１３８）は、少し離れてチャンバー蓋の最下の表面に置かれている。したがって、水溶性の乾いた試薬膜（４０）は較正分析物（３８）および（１３８）には再度隣接していない。したがって、形態ＢもＣも較正分析物（３８）および（１３８）の近接に、乾燥した試薬膜（４０）の形状をした試薬を有していない。
【０１８１】
形態Ｄでは、較正分析物（３８）、（１３８）、および、水溶性の乾燥した試薬膜（４０）の両方は、チャンバー蓋（３０）の下部にともに配される。したがって、試薬（４０）は、較正分析物（３８）、（１３８）と近接しており、したがって、形態Ｄは本発明の１つの態様の１つの例となる実施形態である。それにもかかわらず、これらが測定電極Ｅ１、Ｅ２およびＥ３から離れているため、この実施形態は最適ではない。
【０１８２】
形態Ａ、Ｂ、Ｃ、およびＤでは、時間Ｔ０の最初の形態は、方向（２２）に接近する流体で示される。時間Ｔ１では、流体の波面は左から右に走っており、試薬（４０）と較正分析物（３８）および（１３８）が反応領域（４６）を形成するために流体中で溶けるかまたは溶け始める反応領域が示されている。形態Ｂの反応領域は、試薬層（４０）に直接隣接する、すなわち、チャンバー蓋（３）の近くである。これは、較正分析物（３８）が流体中に溶けることができる一方で、溶けて反応領域（４６）に拡散する試薬が較正分析物（３８）に到達するまで、かつ、究極的には、測定電極Ｅ２に到達するまでは、いかなる反応も行うことができないからである。
【０１８３】
ここで、形態Ａに目を向けると、乾燥した試薬膜（４０）が測定電極Ｅ２に隣接する流体中で溶け始めるにつれ、反応領域（４６）が流体波面の通路に従って形成される。さらに、較正分析物（３８）は、ほぼ同じ時間に流体中で溶け始め、反応領域（４６）内で検出された分析物に寄与する。較正分析物（この場合は所望の分析物に等しい）は、反応領域（４６）の部分のサンプルに溶け、サンプル分析物と共に、隣接した測定電極Ｅ２で現れた信号に寄与する。形態Ａでは、時間Ｔ２で見られるように、反応生成物（４８）は、測定電流を進行させるために測定電極Ｅ２に移動する距離が非常に短い。較正分析物による反応、および、サンプル分析物による反応からの反応生成物は、測定電極Ｅ２に非常に接近している。なぜなら、試薬（４０）と較正分析物（３８）が互いに隣接して、かつ、測定電極Ｅ２に隣接して配されるためである。
【０１８４】
これは形態Ｂではみられない。ここで、さらに詳細な形態Ｂでは、試薬膜（４０）がサンプル流体に溶けるにつれ、反応領域（４６）は試薬膜（４０）の次にチャンバー蓋（３０）に隣接して形成される。同様に、較正分析物（３８）は、測定電極Ｅ２に非常に接近して反応流体中で溶ける。較正分析物が電流に寄与するためには、試薬と較正分析物は同じ位置に拡散しなければならない。さらに、反応生成物（４８）は、測定電極Ｅ２で電流を測定することができるよりも前に、試薬層の近くのチャンバーから測定電極Ｅ２まで移動しなければならない。実際、較正分析物（３８）が試薬で反応することができるよりも前に、較正分析物（３８）は、試薬が溶けている領域（４６）に向かって上方に拡散する必要があると考えられる。したがって、システムは、システムの変動性に対する寄与がすべて収まる前に、もっと多くの時間を必要とする。したがって、システムは、反応の開始後すぐの時点の測定の状態にはなりにくい。
【０１８５】
形態Ｃで、時間Ｔ１では、試薬層からの試薬がサンプル流体に溶けて、所望の分析物と相互作用するにつれて、反応領域は試薬膜に隣接して形成される。これは、測定電極Ｅ２のすぐ上に配される。しかしながら、較正分析物はチャンバーの上部に配されるため、較正分析物が溶けて、試薬との反応のための反応領域に到達するのにはある程度の時間がかかる。したがって、時間Ｔ２では、測定電極Ｅ２で現れた電流に対する反応生成物の寄与は、サンプル流体からでは圧倒的であり、較正分析物からではそれほど圧倒的なわけでもない。これはさらにもっと動的な変動システムをもたらす。該システムでは、測定電極で現れた電流は、較正分析物とサンプル分析物濃度の組み合わせを反映しておらず、むしろ、サンプル分析物濃度に最初は依存し、ひとたびこれが測定電極Ｅ２のすぐ上の反応領域の部分に拡散すると、較正分析物濃度に依存する。形態Ｄでは、較正分析物とサンプル分析物が一緒に並べられるので、これには当たらない。
【０１８６】
さらに、形態Ｄでは、較正分析物と試薬膜（４０）は、チャンバー（３０）の天盤上にともに配される。ここで、較正分析物とサンプル分析物の濃度からの寄与を有する反応領域（４６）が、一緒に形成される。しかしながら、この反応領域（４６）はチャンバーの天盤の方に配される。したがって、電流が進行可能となる前に、時間Ｔ２における反応生成物（４８）は測定電極Ｅ２の方に拡散しなければならない。したがって、反応の開始時間は、測定電極Ｅ２で現れた電流の開始時刻とは異なる。これは最適であるとは言い難い。
【０１８７】
図２１は、第１と第２のアッセイでの電流の上昇の傾きによって示されるように、活性試薬の溶解速度に対する膜厚の効果を示す図を示している。サンプルは３１０ｍｇ／ｄＬのグルコースを含むバッファーであった。示された膜厚は湿った膜厚である。図２１は、様々な試薬の膜厚を用いて、４つの異なるセンサーで同じ対応する電極についての時間に対する電流を示す。アッセイ時間の選択（例えば、５秒）は、適切な膜厚に対する制約を課す。したがって、厚膜１００μｍ（１１６）は、曲線（１１４、１１２、および、１１０）で示される８０μｍ、６０μｍ、および、４０μｍの厚みよりも、ピークも低く、上昇も緩やかで、長いものに関しては変動が大きい。水溶性の乾燥した試薬膜の好ましい厚みは、約９０μｍ、９０μｍ以下、約８０または８０μｍ以下、６０μｍまたは６０μｍ以下、４０μｍと９０μｍの間、または、４０μｍと８０μｍの間の湿った膜厚を有している。膜の厚みが、膜そのものとセンサーの両方を製造している間の取り扱いのための膜強度を与えるのに十分なものであることが望ましい。したがって、利用可能な選択のうちの最も厚い膜を選択してもよく、湿った膜厚８０μｍの膜を選択してもよい。しかしながら、発明者は、さらに薄い膜が適切な取り扱い強度を有しており、単位面積当たりの十分な試薬を依然として運び、したがって、好ましい典型的な実施形態では、６０μｍの湿った厚みの膜が使用されることを評価している。この膜は、測定を可能にするための、十分に迅速な溶解と、約５−６秒の電流の変動の減少を示す。
【０１８８】
試薬膜は、当該技術分野で知られているように、手動で操作型のまたは自動的なバーコーター（ｂａｒ  ｃｏａｔｅｒ）を用いることによって製造される。結線バーコーターとしては、ＲＫＰｒｉｎｔ Ｉｎｓｔｒｕｍｅｎｔｓ Ｌｔｄ （Ｒｏｙｓｔｏｎ，Ｈｅｒｔｓ，英国）から入手可能なＫ手動型コーターなどは用いられる。図２１のバーの数は、特定の寸法の湿った膜厚をもたらすバーのまわりの結線の厚みであるとバーコーターのメーカーによってみなされた任意の値を指す。
【０１８９】
膜の溶解速度は試験ストリップの正確な機能にとって重要である。その溶解は、部分的には膜形成とさらに膜厚の機能である。図２１は、バッファー中の３１０ｍｇ／ｄＬグルコースにおける一時的な形状に対する膜の厚みの効果を示す。膜が薄ければ薄いほど、初期電流の上昇は急なものとなり、電流は早くピークに達する。したがって、膜が薄すぎると脆過ぎて取り扱うことができず、存在する低量の試薬は高いグルコースレベルでストリップ反応を制限し始めるが、膜が薄いと総アッセイ時間を短くすることができる。
【０１９０】
図２２Ａは、流体出入口（３２）と空気口（３３）の間の流路と連動して測定電極を提供する導電性トラック（１４）と一般的に長方形の基板（１２）とを有する一般的に長方形のセンサー（１０）を示す。空気口はセンサーの１つの長辺からセンサーの別の長辺に及ぶ。ここで、２つの較正電極（１９Ａ）と（１９Ｂ）は、２つの作用電極（１８Ａ）と（１８Ｂ）の上流に設けられる。較正電極と作用電極の数と性質の変動は、本明細書に開示された情報から予想することができる。例えば、作用電極（１８Ａ）と（１８Ｂ）は、同じ大きさで、または、異なる大きさでもよい。さらに、これらは流路上で互いに隣り合って配されてもよく、または、１以上の較正電極によって分離されてもよい。較正電極（１９Ａ）（１９Ｂ）は、所望の分析物と同じ分析物を有するか、または、異なる分析物を有するか、または両方を有する。較正電極は流路上で互いに隣りに合うか、または、１以上の対および／または作用電極によって間隔を置いて配されてもよい。
【０１９１】
本発明の１つの実施形態では、１以上の較正電極は１以上の作用電極の上流に配される。１つの典型的な実施形態では、提供される較正電極はすべて、少なくとも１つの作用電極の上流にある。あるいは、または、加えて、提供されるすべての作用電極は１以上の較正電極の下流にある。あるいは、または、加えて、提供される較正電極はすべて、提供される作用電極すべての上流に位置する。１以上の設けられる較正電極のすべてに同じ較正分析物があるか、または、異なる較正分析物がある。提供される較正電極の各々の上には異なる量の較正分析物があるか、または、較正電極上には異なる量の較正分析物がある。
【０１９２】
図２２Ｂは、流体出入口（３２）が、４つの周辺に配置された測定電極の中心にある対参照電極（１７）上に設けられた代替的な配置を示す。４つの周辺に配置された測定電極は、作用電極（１８Ａ）と（１８Ｂ）に対向しており、較正電極（１９Ａ）と（１９Ｂ）に対向している。円形スペーサーは、サンプルチャンバーを提供するために内壁（３４）を有する。空気口も設けられる（図示せず）。この実施形態では、乾燥した試薬層または膜は、較正電極（１９Ａ）と（１９Ｂ）の上の較正分析物のすぐ近くで隣接して提供される。この実施例は、流路較正電極が流路上の少なくとも１つの作用電極の上流にあるような本発明の態様を含まない。
【０１９３】
図２２Ｃでは、４つの測定電極が提供され、ここで、３つの較正電極（１９Ａ）、（１９Ｂ）、および、（１９Ｃ）は単一の作用電極（１８Ａ）の上流にある。対の参照電極（１７）は、測定電極（１９Ａ）、（１９Ｂ）、（１９Ｃ）、および（１８Ａ）の各々の間で伸張するフィンガー（ｆｉｎｇｅｒ）を有する一体型の電極である。流路は流体出入口（３２）と空気口（３３）の間に設けられる。
【０１９４】
図２２Ｄは、図２２Ａと２２Ｃのサイドフィルの配置と図２２Ｂのトップフィルの配置の代わりとなるものを示す。図２２Ｄのセンサーは、センサー（１０）の短縁部に沿って流体出入口（３２）を有するエンドフィルである。ここで、較正電極（１９Ａ）は、第２の作用電極（１８Ｂ）の上流に位置する第２の較正電極（１９Ｂ）の上流に位置する作用電極（１８Ａ）の上流に位置する。これらの電極はすべて対参照電極（１７）の上流に位置する。空気口はチャンバー蓋（３０）に設けられるだろう（図示せず）。
【０１９５】
信号が較正電極で進行するのにかかる時間は、波面が較正電極に達する時間、さらに試薬の溶解にかかる時間、さらに較正分析物の溶解にかかる時間、さらに反応生成物の反応と較正電極の表面への拡散にかかる時間を加えた時間と等しい。第１の作用電極で信号が進行するのに係る時間は、波面が第１の作用電極に達する時間、さらに試薬の溶解にかかる時間、さらに反応にかかる時間、さらに反応生成物の電極表面への拡散にかかる時間を加えた時間と等しい。
【０１９６】
信号が較正電極での反応により作用電極で進行するのにかかる時間は、波面が較正電極に達する時間、さらに試薬の溶解にかかる時間、さらに較正分析物の溶解にかかる時間、さらに反応の時間、さらに反応生成物の較正電極から作用電極の表面への拡散にかかる時間を加えた時間と等しい。
【０１９７】
したがって、アッセイの時間、すなわち、分析物濃度を示す電流の測定が得られる時点は、信号が作用電極または較正電極で進行するのにかかる時間よりも長く、反応生成物が較正電極から最も近い測定電極まで拡散するのにかかる時間よりも短い。したがって、アッセイの時間は、反応生成物が較正電極から近くの下流にある作用電極まで拡散するのにかかる時間によって制約される。したがって、較正電極から次の作用電極までの拡散にかかる時間は、アッセイの時間よりも大きくなければならない。本発明に従って試験ストリップの幾何学的設計に制約を課すことによって、４〜１０秒、おそらく４〜６秒、恐らくは５秒あたりでアッセイ時間を選択することが可能になる。
【０１９８】
ここで図２３を参照すると、「シェルフフィル」：「エンドフィル」：（サンプルが膜の下に入るのを防ぐために膜を留める必要がある）：「トップフィル」などの様々なサンプル入口形態が可能である。多くの代替的な電極構造がこの発明に使用可能である。図２３は、例となる３つのサンプル入口形態の断面図を示す。まず、試薬膜（４０）が基板（１２）のほぼ最も外側の縁にまで及び、かつ、血液の液滴（５２）がその上に、流体出入口（３２）に隣接して配されるシェルフフィルが示される。流体は毛細管現象によって流路（２３）に沿って毛細管チャネル（３６）を通って引き出される。流体は電極（１７）に遭遇し、その後、第１の測定電極Ｅ１（ここでは作用電極（１８Ａ））に遭遇する。流体は次に測定電極Ｅ２（ここでは、予め決められた量の較正分析物（３８）を有する較正電極（１９Ａ））に遭遇する。次に、流体は第２の較正電極（１９Ｂ）に遭遇する。次に、流体は、測定電極Ｅ５上の対参照電極（１７）に最後に到達する前に第２の作用電極（１８Ｂ）に遭遇する。本発明の随意の１つの変更形態は、血液が試薬膜（４０）の真下に入り込まないように、基板（１２）と試薬膜（４０）の間隙を満たすために、閉塞物（ｂｌｏｃｋ）、ストッパ（ｓｔｏｐｐｅｒ）、またはそれ以外の物を提供するものである。
【０１９９】
エンドフィルの実施形態では、チャンバー蓋（３０）は基板（１２）のまさに端部にまで及ぶ。ここで、試薬膜（４０）と基板（１２）の間にストッパを提供するために、導電層（１３）には基板（１２）の縁部までずっと追加の形状（ｅｘｔｒａ  ｐａｔｔｅｒｎ）が提供される。あるいは、縁部で基板（１２）に試薬膜（４０）を固定するために、つまり、血液が試薬層（４０）の真下に入り込むのを防ぐために、接着剤（５４）が提供される。このことは、このようなエンドフィルデバイスにおいて特に重要である。血液は、流路（２３）に沿って流体出入口（３２）から空気口（３３）までの方向に、チャンバー（３６）を通って入り込む。流体は第１の作用電極（１８Ａ）と第２の作用電極（１８Ｂ）に遭遇する。
【０２００】
流体は作用電極（１８Ａ）にまず遭遇し、その後、２つの較正電極（１９Ａ）と（１９Ｂ）に遭遇し、それから第２の作用電極（１８Ｂ）に遭遇する。
【０２０１】
血滴（５２）がチャンバー蓋（３０）内の流体出入口（３２）を通って入るトップフィル設計が同様に示される。空気口（３３）はチャンバー蓋（３０）の外部縁に設けられる。ここで、流体が、線形センサー内で左右に広がるか、または、円形センサー内で急速に広がるうちに、最初に較正電極（１９Ａ）と（１９Ａ’）に遭遇する。流体はその後、対参照電極（１７）に到達する前に作用電極（１８Ａ）と（１８Ａ’）に遭遇する。
【０２０２】
様々な実施例が以下に記載される。
【０２０３】
＜実施例１＞
１つの実施形態では、水溶性膜を形成可能な試薬溶液は以下の成分を含むように作られた。
【０２０４】
【表１】
2013500492.tif 000003
【０２０５】
多数の製剤が急速に溶解する水溶性膜を作るために記載されており、いずれかがこの発明に適切なものであってもよく、この１つの実施例に本発明を限定するよう意図されていない。
【０２０６】
滑らかなプラスチック基板に薄層を広げ、１５分間５０°Ｃでそれを乾燥させることにより、試薬溶液から膜を形成する。結果として生じる膜はストリップへとカットされ、試験ストリップを作るために用いられるまで乾燥したまま保管される。
【０２０７】
上記の製剤を使用するデバイスは以下のように製造可能であり、図１０Ａと図１０Ｂに関連して記載される。複数の電極Ｅ１乃至Ｅ５はベース基板（１２）上で形成される。基板材料は任意の適切な絶縁材料であってもよい。これらの導電性電極は同じまたは異なる適切な材料であってもよい。典型的には、それらはグラファイト、金、パラジウムまたは白金である。その後、絶縁層（１６）は、接触領域と電極面積以外の導体素子をすべて覆うように加えられる。バッファー中のグルコース（３８）の内部較正用量は、電極の１以上に適用される。活性成分を含む乾燥した膜（４０）は、電極をすべて覆うために適用される。この実施例において、サンプルチャンバーは、チャンバーの「壁」を形成する２つのスペーサー（３４）の適用と、チャンバーの天井を完成する親水性の膜（３０）の適用とによって形成される。サンプルチャンバーは試験ストリップへの適用前に「予め形成され」てもよい。
【０２０８】
上記のように緩衝液で作られた試験ストリップの結果が、図１６と図１７に示される。デバイスがサンプルで満たされていたため、各々の測定領域から測定された電流は、時間に対して表示される。図１６は、上流の電極Ｅ１がグルコースを与えられた際の結果を示す。アッセイの速度と、測定電極への標準グルコース用量の接近とによって、上流のグルコースを与えた電極からのキャリーオーバーは見られない。上流の領域から任意のキャリーオーバーを観察することなく、他の検出領域から上流に内部標準の位置を決める能力により、試験ストリップ設計で柔軟性を持たせることが可能となり、測定領域をすべて一つのサンプルチャンバー内に位置付け可能であることは、複数のチャネル設計と比較して、単純でコスト効率が良い少量のサンプル設計を使用することができるということを意味する。図１７は、２つの電極Ｅ１およびＥ４に異なる量のグルコースが与えられた際の結果を示す。
【０２０９】
記載された実施例は、５秒（すなわち、典型的な市販のアッセイシステムと同じ時間）以内での分析物と多数の内部標準の測定を可能にする。
【０２１０】
＜実施例２＞
例となる実施形態は、以下の組成物の試薬製剤を含む。多数の製剤が溶解する水溶性の膜を作るために記載されており、いずれもこの発明には適切であり、そのことは、この１つの実施例に本発明を制限することを意図したものではない。
【０２１１】
【表２】
2013500492.tif 000004
【０２１２】
上記の製剤を使用するデバイスを以下のように製造することができる。電極は底基板（ｂａｓｅ  ｓｕｂｓｔｒａｔｅ）上で形成される。基板材料は任意の適切な絶縁材料であってもよい。これらの導電性電極は同じまたは異なる適切な材料であってもよい。それらは典型的には、グラファイト、金、パラジウムまたは白金である。その後、絶縁層は、接触領域と電極面積以外の導体素子をすべて覆うように加えられる。その後、試薬膜は露出した電極表面上に適用される。試薬膜の製剤および／または製造工程はスクリーン印刷に適する。この製剤は、剥離紙のような放出膜の上に印刷され、次に、試薬膜を形成するために持ち上げられる。この実施例において、サンプルチャンバーは、チャンバーの「壁」を形成する２枚の粘着パッドの塗布によって形成され、親水性皮膜の塗布が、チャンバーの天井を完成する。別の方法は、大量生産でサンプルチャンバーの量の制御を達成するために「あらかじめ形成されたチャンバー」を使用することである。
【０２１３】
本明細書に記載の試薬膜は非伝導性であり、米国第６２４１８６２号（ＭＣＡＬＥＥＲ  ｅｔ  ａｌ）とは対照的であり、これが分析反応に関与する種の拡散を妨害することができるため、開口部または気孔を備えるいかなる膜もサンプル導入時には電極表面で保存されない。同じように、迅速な溶解により、赤血球の除去はほとんどまたはまったく起こらない。赤血球の除去は米国第６２４１８６２号（ＭＣＡＬＥＥＲ  ｅｔ  ａｌ）号に記載されている。１つの例となる実施形態では、本発明は、サンプル中への試薬膜の非常に迅速な溶解を達成することに関連している。
【０２１４】
＜実施例３＞
この実施例は、本発明による水溶性の乾燥した試薬膜の準備と、本発明による試験センサーの構築について記載する。
【０２１５】
まず、以下に述べられるように、溶液Ａを準備する。
（溶液Ａ−成分および方法）
５ｇのナトリウムカルボキシメチルセルロース（Ｂｌａｎｏｓｅ  ７ＬＦ，Ａｓｈｌａｎｄ  Ａｑｕａｌｏｎ  Ｆｕｎｃｔｉｏｎａｌ  Ｉｎｇｒｅｄｉｅｎｔｓ）を、６ｇのヒドロキシプロピルメチルセルロース（Ｍｅｔｈｏｃｅｌ  Ｅ５  ＰｒｅｍｉｕｍＬＶ，  Ｃｏｌｏｒｃｏｎ  Ｌｔｄ）と混合し、１００ｇの２０ｍＭクエン酸緩衝液ｐＨ  ５．８に加える。その後、その溶液を真空下で脱気する。
【０２１６】
（膜の準備）
その後、試薬膜を作るために、３ｇのフェリシアン化カリウムと０．４ｇのグルコースオキシダーゼを１７ｇの溶液Ａに加え、溶けるまで混合する。
【０２１７】
およそ２ｍｌの試薬溶液を、シリコンマットと、６０μｍの湿った膜厚の膜を引き延ばすために使用される６番Ｋバー（ＲＫ  Ｐｒｉｎｔ  Ｃｏａｔ  Ｉｎｓｔｒｕｍｅｎｔｓ  Ｌｔｄ）上に置いた。その後、膜を１０分間５０°Ｃで乾燥させた。その後、膜をシリコンマットから剥がして、試験ストリップの構築のための所望の形状に切断することができる。随意に乾燥剤の存在下で、将来使用するために膜を保存してもよい。
【０２１８】
（センサー構築）
Ｓｐｒａｙ−Ｍｏｕｎｔ（商標）（３μＭ）などの適切なスプレー式接着剤をマスクを介して噴霧することによって、接着剤の薄層における図１３の領域（３９）を覆う。その後、試薬膜（４０）を接着剤で覆った領域上で滑らかにすることによって、ストリップ上に付着させる。
【０２１９】
次に、サンプルチャンバー（３６）の壁を定義するために、スペーサー層（３４）を塗布する。スペーサー層（３４）は両面テープを用いて形成することができ、５０μｍから２００μｍの間の厚さである。最後に、サンプルチャンバーの天盤を形成するために、親水性膜（３０）の上層を塗布する。
【０２２０】
（測定）
試験ストリップを使用するために、携帯型の試験メーターのような携帯型の器具（図示せず）は、対参照電極Ｅ５と４つの作用電極Ｅ１乃至のＥ４の各々の間に、約４００ｍＶの定電位をかける。この電位は作用電極表面で任意に減らした媒介物質を酸化させるのに十分なものである。各作用電極で流れる電流は、アッセイの開始後の所定の時間に独立的に測定される。アッセイ時間はサンプルが作用電極のうちの１つで、または、各作用電極で独立して検出されてから開始される。アッセイの時間は、好ましくは１０秒未満であり、最も好ましくは５秒以下である。
【０２２１】
本発明のストリップで表面上にグルコースの追加用量を有していない１つの作用電極で測定された過渡電流が図１４に示される。過渡電流はバッファーサンプル中の様々なレベルのグルコースで示される。
【０２２２】
グルコースを含まないバッファーがサンプルとして使用される場合に、Ｅ１、Ｅ２、Ｅ３およびＥ４の過渡応答が図１５で示され、Ｅ１、Ｅ２およびＥ４はグルコース用量を含んでいないが、Ｅ３は、ストリップの組み立て前に、Ｅ３上に乾燥したグルコース溶液の堆積物を有する。下流の電極（この場合、Ｅ４）上で任意の追加グルコースが測定されるという証拠はない。
【０２２３】
内部標準電極は、純粋なサンプルを測定するために用いられる電極の上流にあってもよい。これは、予め決められた用量からの任意のグルコース（または酵素反応の生成物）が溶解し、および、グルコースが堆積した検出領域以外の任意の検出領域に拡散するのに十分ではないほど、アッセイ時間が早いためである。
【０２２４】
＜実施例４＞
グルコース測定の内部標準補正
誤差のない作用電極電流を、上記のように、方程式１と２から得ることができる。
Ｓ＝（Ｅ１−Ｅ２）／ｉｓ＝（Ｅ１ｃ−Ｅ２ｃ）／ｉｓ    方程式１
ｉｍ＝ｉｓ（Ｅ２−Ｅ３）／（Ｅ１ｃ−Ｅ２ｃ）          方程式２
【０２２５】
この実施例において、２０％の傾斜誤差（Ｓ＝１．２）と３μＡの背景電流は、１２μＡの電流測定値であるべきだったものにかけられると仮定する。内部標準は１０μＡの予想される応答を有すると仮定した。この実施例において、上に記載された３つの電極からの応答は次のとおりである：
Ｅ１＝２９．４μＡ
Ｅ２＝１７．４μＡ
Ｅ３＝３μＡ
【０２２６】
上記の補正工程に続いて、
Ｅ２ｃ＝１７．４−３＝１４．４μＡ
Ｅ１−Ｅ２＝１２μＡ  したがって、
Ｓ＝（Ｅ１−Ｅ２）／ｉｓ＝１２／１０＝１．２  したがって、周知のように、
ｉｍ＝（Ｅ２−Ｅ３）／Ｓ＝Ｅ２ｃ／Ｓ  
ｉｍ＝Ｅ２ｃ／１．２＝１４．４／１．２＝１２μＡ
【０２２７】
典型的な実施形態では、その後、この補正した作用電極電流を、図５に示すような較正グラフで用いることで、サンプル中の分析物の量を示す補正された測定結果を導くことができる（工程３７０）。あるいは、図５は、対応するグルコース結果と、サンプル中の分析物の量を示す補正された測定結果を導くために上記の方法に対応する方法で補正されたグルコース結果とを導くために測定された電流で当初は用いられる。
【０２２８】
本発明は、臨床的に関連する分析物の測定のためのセンサーデバイスと、随意に使い捨てのセンサーデバイスに関する。本発明は、血糖レベルの測定のためのデバイスを介して例となる実施形態で示され、特に、較正分析物を含む、内部標準のグルコース試験ストリップの記載のなかで示され、該ストリップは高水溶性の乾燥した膜の試薬を含む。これに対する変更および修正は当業者には明らかとなり、これらの変更と修正は、本発明によって包含されるように意図されている。例えば、ストリップは本発明の１つの実施形態であるが、本発明はストリップ以外の試験センサーの形態にも適用可能である。同様に、用いられる例となる流体は血液であるが、本発明は、他の流体、特に、血液、血漿、尿、間質液、唾液、髄液、などの体液にも利用可能である。
【０２２９】
２つの対向する、一般的に平面の、一般的に並行した側面を有する膜が記載されている場合、膜は測定電極と同じ面積の大きさであってもよく、または数倍の面積であってもよく、または、かなり大きくてもよい。したがって、小さな試薬膜、測定電極とほぼ同じ面積の大きさをした任意の適切な形状の試薬の円盤状のもの（ｄｉｓｃ）または点（ｄｏｔ）を含む。試薬膜は一般的に長方形であってもよい。試薬膜は、２以上の、または、すべての測定電極を覆うような大きさである。あまり好ましくない１つの随意の実施形態では、膜の形態でない乾燥した試薬が使用されるが、試薬は、互いにほぼ同じ順番の、および、随意に測定電極と幅または長さがほぼ同じ順番のｘ、ｙおよびｚ方向での次元を有する、３次元の液滴の形状であってもよい。
【０２３０】
本発明はグルコース電気化学試験ストリップに関して記載されているが、酵素と媒介物質のような適切な試薬の使用によって、他の分析物のための内部標準試験センサーもこの発明によって作成することができる。他の可能な分析物の例は次のものを含んでいる：コレステロール、トリグリセリド、乳酸、タンパク質、ピルベート、アルコール、尿酸、または、ケトン。可能な分析物と、酵素および媒介物質のような可能な試薬と、可能な補助因子の例は、当業者には知られているとともに本明細書に列挙される特許文献から既知のものであり、これらは本発明に対する態様として含まれる。
【０２３１】
したがって、試薬濃度の制御が決定的な１つの適用は、内部標準測定の使用であり、このとき、内部標準は１以上の電極の試薬のなかにあるか、または、該試薬と緊密に接触している。内部標準と試薬の溶解を上手く制御できなければ、信頼できる制御測定を達成することは不可能である。サンプルへの試薬の迅速な溶解は、優れた溶解制御を達成するための１つの方法である。最初の試薬の溶解が十分に速い場合、サンプルは、再水和して溶けるのが最初は遅い試薬製剤を用いるよりも早く均質になる。これは、アッセイの間に水和した膜として残るように設計された試薬層を用いる場合に可能性が最も高い。
【０２３２】
そのような内部標準は、好ましくは、同じサンプル中で測定されるまさにその分析物の既知の量の測定値であるべきである。内部標準の詳細なアッセイは、できるだけ分析物のそれに似ていなければならない。標準を「集める」とともに混合するためにサンプルの流れをあてにするようなシステムでは、この溶解と流れが正確な標準測定値を提供するほどには十分に一貫していない危険性が高い。好ましくは、それ自体がグルコースである較正分析物を含む内部標準が、信号測定領域にできるだけ近く、すなわち、測定電極に近い。
【０２３３】
乾燥した膜を含む水溶性の試薬の使用が１つの例となる実施形態で述べられている。内部較正物（ｃａｌｉｂｒａｎｔ）と共に使用されると、乾燥した膜は、内部較正物を、互いに隣接して、かつ、試験ストリップの測定領域に隣接して配される分析物および試薬層と同一のものとすることができる。これによって、内部較正物の測定が迅速に行われるとともに、任意の信号が同じサンプル流路内の近くの測定領域に繰り越されるのを見ることなく行われる。
【０２３４】
本発明の１つの態様の１つの典型的な実施形態では、したがって、試験ストリップのための活性成分を含む、急速に水に溶ける予め作られた乾燥した膜の使用について記載することがこの発明の目的である。この膜は、内部較正物を与えられたストリップの測定電極の上部に塗布可能である。そのような膜は、同じサンプルチャンバーの複数の電極上に塗布可能である。複数のレベルの内部較正を作成するために、異なるレベルの較正物が異なるレベルの電極に塗布可能である。
【０２３５】
本発明の１つの態様の１つの典型的な実施形態では、液状サンプル中のグルコースなどの分析物の検出用の使い捨ての電気化学センサーが提供され、ここで、試薬は、薬剤または口臭予防化合物の経口投与のためにしばしば利用されるような水溶性の乾燥した膜の形態で塗布される（例えば、米国第５９４８４３０号）。本発明の見本になる１つの実施形態は、サンプルチャンバー内の複数の測定領域、および、乾燥した試薬膜の塗布前に加えられた内部標準用量のグルコースを有する。
【０２３６】
したがって、サンプルへの迅速な水和と溶解を表示するために、設計された水溶性の乾燥した試薬膜について記載することが、この発明の１つの実施形態の１つの目的である。迅速な溶解は、サンプル導入後の非常に短い時間に、所望の分析物とそれに近接する較正分析物への感受性を結果としてもたらす。本発明の１つの実施形態では、１以上の内部標準を含む電気化学診断用の試験ストリップが提供される。１つの実施形態では、本発明は、本質的には乾燥した構成要素から組み立て可能なセンサーデバイス内に内部標準を提供する。構成要素が互いに隣接して配される際に、感知できるような反応が何も起こり得ないように、該構成要素は十分に乾燥しているか、または、液体あるいは水分をほとんど含まない。本発明の１以上の実施形態には下記の１以上が提供される：
・単一のサンプル流路内の多数の測定電極
・サンプルチャンバー内に位置付けられるアッセイ試薬を含む高水溶性の膜
・測定電極と同じチャンバーの側にあるアッセイ試薬を含む膜
・検出電極の１以上の表面に配された既知の用量の分析物
・分析物を与えられた電極は他の与えられていない電極の上流にある。
・膜溶解は１０秒未満の試験時間を可能にするほど速い。
・各々の検出電極からのグルコース応答に影響を与える程度に、サンプルチャンバーの１つの端部に試薬を洗い流すことなくストリップを満たすほどに膜溶解は遅い。
・膜を含む試薬は、本質的に乾燥状態で膜を製造している間に所定の位置に置かれる。
【０２３７】
したがって、アッセイ試薬の放出と反応が所望の総試験時間および／またはセンサーの充填時間と一致する時間で生じるように、本発明の１つの実施形態で記載される膜は、サンプルの存在下ですぐに溶ける。
【０２３８】
本発明は、同じ試験ストリップ上の、および、試験される同じサンプル中の、すべての誤差を測定するために、内部標準を使用しようとするものである。この方法は、誤差の原因がどこからくるものなのかについて知る必要はなく、または、特定のサンプルが典型的な方法で反応を示すかどうかについて仮説を立てる必要もない。内部標準法は内部標準測定の正確さに依存する。内部標準における誤差は、同じ量のまたは異なる量の分析物とともに複数の標準を使用することによって減少する。同様に、内部標準用量の分析物の測定は、好ましくは、サンプル分析物の測定をできるだけよく模倣したものでなければならない。したがって、異なる内部標準よりもむしろ予め決められた用量の試験分析物を使用するほうがよい。同様に、アッセイが、サンプル中の分析物よりも、内部標準用量の分析物を検出のために大幅に移動させなければならないことを強いるのは望ましくない。また、サンプル量や試験時間といった試験ストリップ設計の他の重要な特徴のいずれもが、内部標準を含む試験ストリップの設計で損なわれないということが望ましい。本発明の１つの実施形態では、内部標準を形成する較正分析物は、最良の可能な較正情報を提供するために、サンプル分析物とできるだけ同じ方法で試薬に反応しなければならない。
【０２３９】
先行技術とは対照的に、この発明の１以上の実施形態は、試薬の乾燥した膜の組成に依存し、それは随意で電極表面の上にその後塗布され、その少なくとも１つには乾燥した形状の較正分析物が提供される。乾燥した膜のこの使用は、試薬と、電極表面の１以上の上に塗布された標準用量の分析物との間の反応を減らすのに役立つ。さらに、このその後の乾燥した膜の配置は、試薬と、電極表面の１以上の上に塗布される標準用量の分析物との間の反応を減らすのに役立つ。
【０２４０】
本発明の１つの実施形態では、複数の標準を使用する際に、各々の次の測定電極は、その前の標準分析物の量の和を測定してはいない。このことは、各々の各較正電極から実際の較正電流を測定するのに使用される数学を単純化することができる。各々の内部標準は他の内部標準から独立している。なぜなら、予め決められた用量からの任意のグルコースが溶解し、および、グルコースが堆積した検出領域以外の任意の検出領域に拡散するのに十分でないほど、アッセイ時間が早いためである。このように、純粋なサンプル検出器と内部標準測定電極の最適な配置は、センサー設計によって決定される配置よりもむしろ実験的に決定される。
【０２４１】
本発明の１以上の実施形態の重要な利点のいくつかは、下記を含む。センサーに存在する予め決められた量の較正分析物は、本発明において、センサー製造中および／または検知できる程度に保存中に、実質的にセンサー試薬と反応しないようにされる。グルコース用量が試薬膜に隣接して接近しているということは、投与された分析物とサンプル分析物との反応の生成物に関する運搬距離が非常に短く、同一であることを意味する。このことは、測定電極間でのクロスオーバーが減少するかまたは効果的に除去されることを意味する短時間のアッセイを使用する能力をもたらし、アッセイを単一のサンプルチャネルで実行することができる。このことは、複数のチャネル選択肢と比較して単純化した設計をもたらし、かつ、複数のチャネルを満たすために必要とされるよりもサンプル量を少なく保つことができる。
【０２４２】
したがって、内部標準に基づいた自己較正の利益を備えた試験ストリップは、試験時間とサンプル量という主な特長を損なうことなく生産可能である。
【０２４３】
グルコースセンサーに特に関連付けて記載されてきたが、本発明は内部較正を必要とする他の診断試験にも適用可能である。本発明の特定の実施形態が上に記載されている一方、当業者には当然のことながら、記載された実施形態からの逸脱も、特許請求の範囲によって与えられる本発明の範囲内に含まれる。
【図１】
2013500492.tif 000005
【図２】
2013500492.tif 000006
【図３】
2013500492.tif 000007
【図４】
2013500492.tif 000008
【図５】
2013500492.tif 000009
【図６】
2013500492.tif 000010
【図７Ａ】
2013500492.tif 000011
【図７Ｂ】
2013500492.tif 000012
【図７Ｃ】
2013500492.tif 000013
【図８】
2013500492.tif 000014
【図９Ａ】
2013500492.tif 000015
【図９Ｂ】
2013500492.tif 000016
【図９Ｃ】
2013500492.tif 000017
【図１０Ａ】
2013500492.tif 000018
【図１０Ｂ】
2013500492.tif 000019
【図１１】
2013500492.tif 000020
【図１２】
2013500492.tif 000021
【図１３】
2013500492.tif 000022
【図１４】
2013500492.tif 000023
【図１６】
2013500492.tif 000024
【図１７】
2013500492.tif 000025
【図１８Ａ】
2013500492.tif 000026
【図１８Ｂ】
2013500492.tif 000027
【図１９Ａ】
2013500492.tif 000028
【図１９Ｂ】
2013500492.tif 000029
【図１９Ｃ】
2013500492.tif 000030
【図１９Ｄ】
2013500492.tif 000031
【図２１】
2013500492.tif 000032
【図２２Ａ】
2013500492.tif 000033
【図２２Ｂ】
2013500492.tif 000034
【図２２Ｃ】
2013500492.tif 000035
【図２２Ｄ】
2013500492.tif 000036
【図２３】
2013500492.tif 000037
【図１５】
2013500492.tif 000038
【図２０】
2013500492.tif 000039
【手続補正書】
【提出日】平成23年6月11日(2011.6.11)
【手続補正１】
【補正対象書類名】特許請求の範囲
【補正対象項目名】全文
【補正方法】変更
【補正の内容】
【特許請求の範囲】
【請求項１】
流体中の所望の分析物のレベルを測定するためのセンサーデバイスであって、
前記センサーデバイスは、
流体用の流路と、
第１の予め決められた量の第１の較正分析物を含む内部標準に隣接する所望の分析物のための、前記流路上の試薬を含み、
試薬と予め決められた量の第１の較正分析物は、互いに隣接して配置する前は、乾燥した形状であり、
試薬と第１の較正分析物が互いに隣接して配される際には、試薬と第１の較正分析物との間にはいかなる認識できる反応も起こり得ない、ことを特徴とするセンサーデバイス。
【請求項２】
第１の較正分析物と所望の分析物は同じ分析物であることを特徴とする請求項１に記載のデバイス。
【請求項３】
試薬は乾燥した形状で予め形成されることを特徴とする請求項１または２に記載のデバイス。
【請求項４】
試薬は乾燥した膜を含むことを特徴とする請求項１乃至３のいずれかに記載のデバイス。
【請求項５】
試薬が水溶性の乾燥した膜を含むことを特徴とする請求項３または４に記載のデバイス。
【請求項６】
試薬と第１の予め決められた較正分析物は付着していないことを特徴とする請求項１乃至５のいずれかに記載のデバイス。
【請求項７】
試薬と第１の予め決められた量の第１の較正分析物が、流路の同じ側にあることを特徴とする請求項１乃至６のいずれかに記載のデバイス。
【請求項８】
流路上において、試薬に隣接するとともに予め決められた量の第１の較正分析物に隣接する測定電極が設けられることを特徴とする請求項１乃至７のいずれかに記載のデバイス。
【請求項９】
測定電極、試薬および第１の予め決められた量の第１の較正分析物が、流路の同じ側にあることを特徴とする請求項８に記載のデバイス。
【請求項１０】
試薬の少なくとも一部と、予め決められた量の第１の較正分析物の少なくとも一部が、測定電極の少なくとも一部と流路との間にあることを特徴とする請求項８または９に記載のデバイス。
【請求項１１】
流路に沿って流れる流体の波面が、所望の分析物のための試薬と、第１の予め決められた量の第１の較正分析物とにほぼ同じ時間に到達するように、試薬が予め決められた量の第１の較正分析物に隣接していることを特徴とする請求項１乃至１０のいずれかに記載のデバイス。
【請求項１２】
流路に沿って流れる流体の波面は、所望の分析物のための試薬と、第１の予め決められた量の第１の較正分析物とに、約０．７５秒、約０．５秒、約０．２５秒、約０．２秒、約０．１秒、約０．０５秒、約０．０２５秒、約０．０２秒、および、約０．０１秒の群から選択される時間内に到達し、および／または、
試薬膜が提供され、膜の半分以上、膜の７５％以上、または、膜の約９０％以上が、決められた領域内で、約２秒、約２秒未満、約１．５秒、約１．５秒未満、約１秒、約１秒未満、約０．５秒、約０．５秒未満、約０．２５秒、約０．２５秒未満、約０．２秒未満、約０．１秒未満の群から選択された時間内に溶けるように、該試薬膜が溶解速度を有することを特徴とする請求項１乃至１１のいずれかに記載のデバイス。
【請求項１３】
試薬は、互いに対して、０μｍ（接触する場合）、または、約数μｍまたは約数十μｍ、または、約５乃至１５μｍ内、または、約１０μｍ内、または、約５μｍ内の距離内で、予め決められた量の第１の較正分析物に隣接した位置に配されることを特徴とする請求項１乃至１２のいずれかに記載のデバイス。
【請求項１４】
流路は毛細管現象によって流体を引くための毛細管チャネルを含むことを特徴とする請求項１乃至１３のいずれかに記載のデバイス。
【請求項１５】
少なくとも１つの測定電極を含む導電層と、
少なくとも第１の予め決められた量の第１の較正分析物を含む較正層とを含み、
第１の予め決められた量の第１の較正分析物は、測定電極の少なくとも一部に配され、
測定電極の少なくとも一部に配された所望の分析物のための試薬は、較正電極を形成するために第１の予め決められた量の較正分析物を有することを特徴とする請求項１乃至１４のいずれかに記載のデバイス。
【請求項１６】
所望の分析物のための試薬は、較正電極上の第１の予め決められた量の第１の較正分析物の少なくとも一部を覆うことを特徴とする請求項１５に記載のデバイス。
【請求項１７】
試薬は水溶性の乾燥した膜の形状をしており、水溶性の乾燥した膜は、試薬層を形成するために、較正層および／または導電層の少なくとも一部を覆うことを特徴とする請求項１５または１６に記載のデバイス。
【請求項１８】
少なくとも２つの電極を含む導電層と、
他方の電極が較正分析物を含まない少なくとも２つの電極のうちの１つに配された、少なくとも第１の予め決められた量の第１の較正分析物を含む較正層と、
所望の分析物のための試薬を含む試薬層とを含み、
試薬層は、試薬を有する較正分析物が含まれない作用電極と、第１の予め決められた量の第１の較正分析物および試薬を有する較正電極とを形成する少なくとも２つの電極の各々の少なくとも一部を覆うことを特徴とする請求項１乃至１７のいずれかに記載のデバイス。
【請求項１９】
試薬層は、第１の予め決められた量の第１の較正分析物の少なくとも一部を覆うことを特徴とする請求項１８に記載のデバイス。
【請求項２０】
３以上の測定電極と、
較正電極を形成するために、予め決められた量の第１の較正分析物と所望の分析物のための試薬を有する少なくとも１つの電極と、
作用電極を形成するために、所望の分析物のための試薬を有する、較正分析物を含まない少なくとも１つの電極と、
対／参照電極を形成するために、所望の分析物のための試薬を有する、較正分析物を含まない少なくとも１つの電極と、を含むことを特徴とする請求項１乃至１９のいずれかに記載のデバイス。
【請求項２１】
さらなる電極は、背景電極を形成するために、較正分析物を含まず、かつ、試薬を含まずに提供されることを特徴とする請求項２０に記載のデバイス。
【請求項２２】
いかなる試薬も存在せず、または、活性成分を含まない試薬が存在することを特徴とする請求項２１に記載のデバイス。
【請求項２３】
第１の予め決められた量の第１の較正分析物とその上に配された所望の分析物のための試薬とを有する第１の較正電極と、
所望の分析物のための試薬を有する第１の作用電極とを含み、
第１の較正電極が第１の作用電極の上流にあることを特徴とする請求項１乃至２２のいずれかに記載のデバイス。
【請求項２４】
単一の流路が提供されるか、または、単一の直線流路が提供されることを特徴とする請求項１乃至２３のいずれかに記載のデバイス。
【請求項２５】
すべての測定電極が同じ流路上にあることを特徴とする請求項１乃至２４のいずれかに記載のデバイス。
【請求項２６】
第１の予め決められた量の第１の較正分析物とその上に配された所望の分析物のための試薬を有する第１の較正電極と、
第２の予め決められた量の第１の較正分析物か、または、第１の予め決められた量の第２の較正分析物のいずれかと、その上に配された所望の分析物のための試薬とを含む第２の較正電極を含むことを特徴とする請求項１乃至２５のいずれかに記載のデバイス。
【請求項２７】
同じ量のまたは異なる量の同じ較正分析物または異なる較正分析物と、その上に配された所望の分析物のための試薬を含む３以上の較正電極を含むことを特徴とする請求項２６に記載のデバイス。
【請求項２８】
較正分析物の少なくとも１つは所望の分析物と同じ分析物であることを特徴とする請求項２６または２７に記載のデバイス。
【請求項２９】
試薬を含む少なくとも２つの作用電極が提供されることを特徴とする請求項１５乃至２８のいずれかに記載のデバイス。
【請求項３０】
以下の、流路の幾何学的形状、流路の高度、流路の幅、流路の長さ、少なくとも第１の較正電極の流路に沿った場所、少なくとも第１の作用電極の流路に沿った場所、第１の較正電極と第１の作用電極の間の距離、試薬の溶解速度、第１の予め決められた量の第１の較正分析物の溶解速度、試薬の厚み、提供される際の試薬膜の厚みの１以上が選択されることによって、第１の較正電極からの較正分析物または反応生成物が、拡散または別の方法によって第１の較正電極から第１の作用電極まで移動することができる前に、所望の分析物の濃度を示す適切な測定値が第１の作用電極で得られるようになることを特徴とする請求項１乃至２９のいずれかに記載のデバイス。
【請求項３１】
少なくとも１つの測定電極での測定のためのアッセイ時間は、別の測定電極からの試薬または反応生成物の拡散にかかる時間よりも短いことを特徴とする請求項１５乃至３０のいずれかに記載のデバイス。
【請求項３２】
少なくとも１つの作用電極でのアッセイ時間は、較正電極上の較正分析物および試薬、または、それらからの反応生成物が、溶けて、拡散または別の方法によってその作用電極に移動するのにかかる時間よりも短いことを特徴とする請求項１５乃至３１のいずれかに記載のデバイス。
【請求項３３】
所望の分析物は、グルコース、コレステロール、トリグリセリド、タンパク質、乳酸、ピルベート、アルコール、尿酸、および、ケトンから選択されることを特徴とする請求項１乃至３２のいずれかに記載のデバイス。
【請求項３４】
試薬は、酵素、媒介物質、および、補助因子の群から選択される１以上を含むことを特徴とする請求項１乃至３３のいずれかに記載のデバイス。
【請求項３５】
内部標準は、第１の予め決められた量の較正分析物、適切な媒介物質、および／または、補助因子を含み、試薬は酵素を含むことを特徴とする請求項１乃至３４のいずれかに記載のデバイス。
【請求項３６】
試薬は乾燥した膜の形状であり、
乾燥した膜は、
第１の膜形成成分と、
所望の分析物に敏感な第１の活性成分とを含むことを特徴とする請求項１乃至３５のいずれかに記載のデバイス。
【請求項３７】
乾燥した膜は、ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第１の膜形成成分を含むことを特徴とする請求項３６に記載のデバイス。
【請求項３８】
乾燥した膜は、ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースから選択される第２の膜形成成分をさらに含むことを特徴とする請求項３７に記載のデバイス。
【請求項３９】
第１の膜形成成分および第２の膜形成成分を含み、
第２の膜形成成分は、第１の膜形成成分よりも溶解しやすく、かつ、疎水性が低いことを特徴とする請求項３６乃至３８のいずれかに記載のデバイス。
【請求項４０】
乾燥した膜はバッファーを含むことを特徴とする請求項１乃至３９のいずれかに記載のデバイス。
【請求項４１】
試薬は所望の分析物に敏感な少なくとも第１と第２の活性成分を含むことを特徴とする請求項１乃至４０のいずれかに記載のデバイス。
【請求項４２】
第２の活性成分は、媒介物質またはフェリシアン化カリウムの媒介物質であることを特徴とする請求項４１に記載のデバイス。
【請求項４３】
第１の活性成分は、酵素またはグルコースオキシダーゼ酵素またはグルコースデヒドロゲナーゼ酵素であることを特徴とする請求項３６乃至４２のいずれかに記載のデバイス。
【請求項４４】
可塑剤、崩壊剤、および、界面活性剤の群から選択される少なくとも１つのさらなる膜形成成分を含むことを特徴とする請求項３６乃至４３のいずれかに記載のデバイス。
【請求項４５】
少なくとも１つのさらなる膜形成成分は、可塑剤：キシリトール、ソルビトール、エリスリトール、ポリエチレングリコールの群から選択されることを特徴とする請求項４４に記載のデバイス。
【請求項４６】
少なくとも１つのさらなる膜形成成分は、崩壊剤：微結晶性セルロース、クロスカルメロースナトリウム、ナトリウムデンプン糖化生成物、および、Ｐｒｏｓｏｌｖ  ＳＭＣＣ（登録商標）の群から選択されることを特徴とする請求項４５に記載のデバイス。
【請求項４７】
少なくとも１つのさらなる膜形成成分は、界面活性剤：フッ素系界面活性剤、Ｚｏｎｙｌ（登録商標）ＦＳＮ−１０（著作権）、シリコーンポリエーテル共重合体、Ｄｏｗ  Ｃｏｒｎｉｎｇ（登録商標）１９３Ｃ、Ｔｒｉｔｏｎ（登録商標）Ｘ−１００の群から選択されることを特徴とする請求項４４乃至４６のいずれかに記載のデバイス。
【請求項４８】
少なくとも１つの壁および／または蓋によって形成される流体チャンバーを含み、流体チャンバーは、流路に沿って流体を引きだすための毛細管として働くように、大きさが決められ、および／または、形状が決められ、および／または、寸法が決められ、および／または、処理されることを特徴とする請求項１乃至４７のいずれかに記載のデバイス。
【請求項４９】
２つの長縁部と２つの短縁部を有する一般的には長方形の基板を含み、流路への流体出入口が以下：長縁部にまたは長縁部に隣接して、短縁部にまたは短縁部に隣接して、デバイスのチャンバー蓋内で、のうちの１つに設けられることを特徴とする請求項４８に記載のデバイス。
【請求項５０】
基板を含み、
基板内で試薬層を形成する試薬膜は基板の縁部にまで及び、露出した試薬膜のシェルフ領域を形成するように前記縁部までは及ばないチャンバー蓋が提供され、流路への入口は試薬膜の露出した部分のシェルフ領域に隣接することを特徴とする請求項１乃至４９のいずれかに記載のデバイス。
【請求項５１】
流体中の所望の分析物のレベルを測定するためのセンサーデバイスであって、
前記センサーデバイスは、
流体用の流路と、
第１の予め決められた量の第１の較正分析物を含む内部標準に隣接する所望の分析物のための、流路上の試薬とを含み、
試薬と予め決められた量の第１の較正分析物は、乾燥した形状であり、
試薬は、乾燥した形状で予め形成されることを特徴とするセンサーデバイス。
【請求項５２】
流体中の所望の分析物のレベルを測定するためのセンサーデバイスであって、
前記センサーデバイスは、
流体用の流路と、
第１の予め決められた量の第１の較正分析物を含む内部標準に隣接する所望の分析物のための、流路上の試薬とを含み、
試薬と予め決められた量の第１の較正分析物は、乾燥した形状であり、
試薬と第１の予め決められた量の第１の較正分析物は、流路の同じ側にあることを特徴とするセンサーデバイス。
【請求項５３】
流体中の所望の分析物のレベルを測定するためのセンサーデバイスであって、
前記センサーデバイスは、
流体用の流路と、
第１の予め決められた量の第１の較正分析物を含む内部標準と所望の分析物のための、流路上の試薬とを含み、
試薬と予め決められた量の第１の較正分析物は乾燥した形状であり、
試薬は水溶性の乾燥した膜を含むことを特徴とするセンサーデバイス。
【請求項５４】
請求項２乃至５０の特徴の任意の１以上を含むことを特徴とする請求項５１乃至５３のいずれかに記載のデバイス。
【請求項５５】
所望の分析物を検出するための請求項１乃至５４のいずれかに記載のセンサーデバイスを製造する方法であって、
前記方法は、
流路を形成する工程、
第１の予め決められた量の第１の較正分析物に隣接する所望の分析物のための試薬を、流路上に置く工程を含み、
試薬と予め決められた量の第１の較正分析物は、乾燥した形状であり、
試薬と第１の較正分析物は、前記試薬を置く工程の前は乾燥した形状であり、
試薬と第１の較正分析物が互いに隣接して配される際には、試薬と第１の較正分析物との間にはいかなる認識できる反応も起こり得ない、ことを特徴とする方法。
【請求項５６】
流路に測定電極を置く工程と、
試薬と第１の予め決められた量の第１の較正分析物を測定電極に隣接して置く工程とを含むことを特徴とする請求項５５に記載の方法。
【請求項５７】
第１の較正分析物と所望の分析物は同じ分析物であることを特徴とする請求項５５または５６に記載の方法。
【請求項５８】
試薬は乾燥した試薬膜からなることを特徴とする請求項５５乃至５７のいずれかに記載の方法。
【請求項５９】
乾燥した膜は水溶性の乾燥した試薬膜を含むことを特徴とする請求項５８に記載の方法。
【請求項６０】
乾燥した試薬膜を予め形成する工程を含むことを特徴とする請求項５８または５９に記載の方法。
【請求項６１】
前記予め形成する工程は、
第１の膜形成成分を提供する工程、
混合物を形成するために、分析物に敏感な少なくとも１つの活性成分を第１の膜形成成分に加える工程、
膜を形成するために混合物を引き出す工程、
膜を乾燥させる工程を含むことを特徴とする請求項６０に記載の方法。
【請求項６２】
溶液を形成する工程と、膜を形成するために溶液を引き出す工程を含むことを特徴とする請求項６１に記載の方法。
【請求項６３】
膜形成成分はポリマーを含むことを特徴とする請求項６１または６２に記載の方法。
【請求項６４】
加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第１の膜形成成分を提供する工程を含むことを特徴とする請求項６１乃至６３のいずれかに記載の方法。
【請求項６５】
加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシプロピルメチルセルロースの群から選択される第２の膜形成成分を提供する工程を含むことを特徴とする請求項６１乃至６４のいずれかに記載の方法。
【請求項６６】
第１の膜形成成分と第２の膜形成成分を提供する工程を含み、
第２の膜形成成分は、第１の膜形成成分よりも溶解しやすく、かつ、疎水性が低いことを特徴とする請求項５５乃至６５のいずれかに記載の方法。
【請求項６７】
少なくとも第１と第２の活性成分を提供する工程を含むことを特徴とする請求項６１乃至６６のいずれかに記載の方法。
【請求項６８】
第１の活性成分として酵素を提供する工程と、もし提供されるのであれば、第２の活性成分として媒介物質を提供する工程と、もし提供されるのであれば、第３の活性成分として補助因子を提供する工程を含むことを特徴とする請求項６１乃至６７のいずれかに記載の方法。
【請求項６９】
酵素はグルコースオキシダーゼまたはグルコースデヒドロゲナーゼであり、もし提供されるのであれば、媒介物質はフェリシアン化カリウムであることを特徴とする請求項６８に記載の方法。
【請求項７０】
可塑剤、崩壊剤、および、界面活性剤の群から選択される少なくとも１つのさらなる膜形成成分を提供する工程を含むことを特徴とする請求項６１乃至６９のいずれかに記載の方法。
【請求項７１】
可塑剤：キシリトール、ソルビトール、エリスリトール、ポリエチレングリコールの群から選択される少なくとも１つのさらなる膜形成成分を提供する工程を含むことを特徴とする請求項７０に記載の方法。
【請求項７２】
崩壊剤：微結晶性セルロース、クロスカルメロースナトリウム、ナトリウムデンプン糖化生成物、および、Ｐｒｏｓｏｌｖ  ＳＭＣＣ（登録商標）の群からの少なくとも１つのさらなる膜形成成分を選択する工程を含むことを特徴とする請求項７０または７１に記載の方法。
【請求項７３】
界面活性剤：フッ素系界面活性剤、Ｚｏｎｙｌ（登録商標）ＦＳＮ−１０（著作権）、シリコーンポリエーテル共重合体、Ｄｏｗ  Ｃｏｒｎｉｎｇ（登録商標）１９３Ｃ、Ｔｒｉｔｏｎ（登録商標）Ｘ−１００の群から選択される少なくとも１つのさらなる膜形成成分を選択する工程を含むことを特徴とする請求項７０、７１、または、７２に記載の方法。
【請求項７４】
少なくとも１つの測定電極を提供する工程と、
予め決められた量の第１の較正分析物を測定電極上に置く工程と、
較正電極を形成するために、予め決められた量の第１の較正分析物の上に所望の分析物のための試薬を置く工程とを含むことを特徴とする請求項５５乃至７３のいずれかに記載の方法。
【請求項７５】
試薬は水溶性の乾燥した試薬膜を含むことを特徴とする請求項７４に記載の方法。
【請求項７６】
少なくとも１つの測定電極を含む導電層を形成する工程と、
電極層の少なくとも１つの測定電極上の少なくとも１つの予め決められた量の第１の較正分析物を含む第１の較正層を形成する工程と、
所望の分析物のための試薬膜を予め形成する工程と、
較正電極を形成するために、予め決められた量の較正分析物を有する少なくとも１つの電極の少なくとも一部上に試薬膜を置く工程を含むことを特徴とする請求項５５乃至７５のいずれかに記載の方法。
【請求項７７】
予め決められた量の較正分析物上に、試薬膜を少なくとも一部または全体にわたって置く工程を含むことを特徴とする請求項７５または７６に記載の方法。
【請求項７８】
少なくとも２つの測定電極を形成する工程と、
較正分析物を含まない少なくとも１つの測定電極を残す工程と、
作用電極を形成するために、前記少なくとも１つの測定電極の少なくとも一部上に試薬膜を置く工程と、
較正電極を形成するために、較正分析物を有する電極の少なくとも一部上に試薬膜を置く工程とを含むことを特徴とする請求項５５乃至７７のいずれかに記載の方法。
【請求項７９】
背景電極を形成するために、較正分析物を含まず、試薬を含まない少なくとも１つの電極を残す工程を含むことを特徴とする請求項７８に記載の方法。
【請求項８０】
少なくとも１つの較正電極が、流路上の少なくとも１つの作用電極の上流に位置することを特徴とする請求項５５乃至７９のいずれかに記載の方法。
【請求項８１】
単一の流路が提供されるか、または、単一の直線流路が提供されることを特徴とする請求項５５乃至８０のいずれかに記載の方法。
【請求項８２】
第１の予め決められた量の第１の較正分析物と、その上に配された所望の分析物のための試薬を有する第１の較正電極を提供する工程と、
第２の予め決められた量の第１の較正分析物または第１の予め決められた量の第２の較正分析物のいずれかと、その上に配された所望の分析物のための試薬を有する第２の較正電極を提供する工程とを含むことを特徴とする請求項５５乃至８１のいずれかに記載の方法。
【請求項８３】
同じ量のまたは異なる量の同じ較正分析物または異なる較正分析物と、その上に配された所望の分析物のための試薬とを含む３以上の較正電極を提供する工程を含むことを特徴とする請求項５５乃至８２のいずれかに記載の方法。
【請求項８４】
較正分析物の少なくとも１つは所望の分析物と同じ分析物であることを特徴とする請求項８２または８３に記載の方法。
【請求項８５】
下記：流路の幾何学的形状、流路の高度、流路の幅、流路の長さ、少なくとも第１の較正電極の流路に沿った場所、少なくとも第１の作用電極の流路に沿った場所、第１の較正電極と第１の作用電極の間の距離、試薬の溶解速度、第１の予め決められた量の第１の較正分析物の溶解速度、試薬の厚み、もし提供されるのであれば試薬膜の厚み、の１以上が選択されることによって、第１の較正電極からの較正分析物または反応生成物が拡散または別の方法によって、第１の較正電極から第１の作用電極まで移動することができる前に、使用時に、所望の分析物の濃度を示す適切な測定値が第１の作用電極で得られるようになることを特徴とする請求項５５乃至８４のいずれかに記載の方法。
【請求項８６】
所望の分析物は、グルコース、コレステロール、トリグリセリド、乳酸、タンパク質、ピルベート、アルコール、尿酸、および、ケトンから選択されることを特徴とする請求項５５乃至８５のいずれかに記載の方法。
【請求項８７】
試薬は、酵素、媒介物質、および、補助因子の群から選択される１以上を含むことを特徴とする請求項５５乃至８６のいずれかに記載の方法。
【請求項８８】
内部標準は、第１の予め決められた量の較正分析物、適切な媒介物質、および／または、補助因子を含み、試薬は酵素を含むことを特徴とする請求項５５乃至８７のいずれかに記載の方法。
【請求項８９】
内部標準はバッファーを含むことを特徴とする請求項５５乃至８８のいずれかに記載の方法。
【請求項９０】
請求項１乃至５４の任意の１以上の特徴を提供する工程を含むことを特徴とする請求項５５乃至８９のいずれかに記載の方法。
【請求項９１】
第１の膜形成成分と、
所望の分析物に敏感な第１の活性成分を含む試薬とを含む試薬膜。
【請求項９２】
約３０μｍ乃至９０μｍの範囲で、約４０μｍ乃至８０μｍの範囲で、約１００μｍ未満で、約９０μｍ未満で、約９０μｍで、約８０μｍで、約８０μｍ未満で、約６０μｍで、または、約６０μｍ未満で、の群から選択される湿った厚みを有することを特徴とする請求項９１に記載の試薬膜。
【請求項９３】
膜の半分以上、膜の７５％以上、または、膜の約９０％以上が決められた領域内で、約２秒、約２秒未満、約１．５秒、約１．５秒未満、約１秒、約１秒未満、約０．５秒、約０．５秒未満、約０．２５秒、約０．２５秒未満、約０．２秒未満、約０．１秒未満の群から選択された時間内に溶けるような溶解速度を有することを特徴とする請求項９１または９２に記載の試薬膜。
【請求項９４】
乾燥していることを特徴とする請求項９１乃至９３のいずれかに記載の試薬膜。
【請求項９５】
水溶性であることを特徴とする請求項９１乃至９４のいずれかに記載の試薬膜。
【請求項９６】
ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第１の膜形成成分を含むことを特徴とする請求項９１乃至９５のいずれかに記載の試薬膜。
【請求項９７】
ポリマー、加工澱粉、プルラン、ヒドロキシエチルセルロース、ヒドロキシプロピルセルロース、ポリビニルピロリドン、ポリビニルピロリドン酢酸ビニル、ポリビニルアルコール、アルギン酸ナトリウム、天然ゴム、水分散性ポリアクリレート、カルボキシルメチルセルロースナトリウム、および、ヒドロキシルプロピルメチルセルロースの群から選択される第２の膜形成成分を含むことを特徴とする請求項９１乃至９６のいずれかに記載の試薬膜。
【請求項９８】
第１の膜形成成分および第２の膜形成成分を含み、
第２の膜形成成分は、第１の膜形成成分よりも溶解しやすく、疎水性が低いことを特徴とする請求項９１乃至９７のいずれかに記載の試薬膜。
【請求項９９】
所望の分析物に敏感な少なくとも第１と第２の活性成分を含むことを特徴とする請求項９１乃至９８のいずれかに記載の試薬膜。
【請求項１００】
第２の活性成分は媒介物質またはフェリシアン化カリウムの媒介物質であることを特徴とする請求項９１乃至９９のいずれかに記載の試薬膜。
【請求項１０１】
第１の活性成分は、酵素またはグルコースオキシダーゼ酵素またはグルコースデヒドロゲナーゼ酵素であることを特徴とする請求項９１乃至１００のいずれかに記載の試薬膜。
【請求項１０２】
少なくとも１つのさらなる膜形成成分は、可塑剤、崩壊剤、および、界面活性剤の群から選択されることを特徴とする請求項９１乃至１０１のいずれかに記載の試薬膜。
【請求項１０３】
少なくとも１つのさらなる膜形成成分は、可塑剤：キシリトール、ソルビトール、エリスリトール、ポリエチレングリコールの群から選択されることを特徴とする請求項９１乃至１０２のいずれかに記載の試薬膜。
【請求項１０４】
少なくとも１つのさらなる膜形成成分は、崩壊剤：微結晶性セルロース、クロスカルメロースナトリウム、ナトリウムデンプン糖化生成物、および、Ｐｒｏｓｏｌｖ  ＳＭＣＣ（登録商標）の群から選択されることを特徴とする請求項９１乃至１０３のいずれかに記載の試薬膜。
【請求項１０５】
少なくとも１つのさらなる膜形成成分は界面活性剤：フッ素系界面活性剤、Ｚｏｎｙｌ（登録商標）ＦＳＮ−１０（著作権）、シリコーンポリエーテル共重合体、Ｄｏｗ  Ｃｏｒｎｉｎｇ（登録商標）１９３Ｃ、Ｔｒｉｔｏｎ（登録商標）Ｘ−１００の群から選択されることを特徴とする請求項９１乃至１０４のいずれかに記載の試薬膜。
【請求項１０６】
第１の膜形成成分を提供する工程と、
混合物を形成するために、分析物に敏感な少なくとも１つの活性成分を第１の膜形成成分に加える工程と、
膜を形成するために混合物を引き出す工程と、
膜を乾燥させる工程とを含むことを特徴とする請求項９１乃至１０５のいずれかに記載の試薬膜を製造する方法。
【請求項１０７】
溶液を形成する工程と、膜を形成するために溶液を引き出す工程とを含むことを特徴とする請求項１０６に記載の方法。
【請求項１０８】
湿った膜の厚みを制御する工程を含むことを特徴とする請求項１０６または１０７に記載の方法。
【請求項１０９】
予め決められた湿った厚みを有するよう膜を引き出す工程を含むことを特徴とする請求項１０６、１０７、または、１０８に記載の方法。
【請求項１１０】
約３０μｍ乃至９０μｍの範囲で、約４０μｍ乃至８０μｍの範囲で、約１００μｍ未満で、約９０μｍ未満で、約９０μｍで、約８０μｍで、約８０μｍ未満で、約６０μｍで、または、約６０μｍ未満で、の群から選択される湿った厚みを有する試薬膜を提供する工程を含むことを特徴とする請求項１０６乃至１０９のいずれかに記載の方法。
【請求項１１１】
請求項９１乃至１０５の任意の１以上の特徴を有する膜を提供する工程を含むことを特徴とする請求項１０６乃至１１０のいずれかに記載の方法。
【請求項１１２】
第１の較正電極からの較正分析物または反応生成物が拡散または別の方法によって、第１の較正電極から第１の作用電極まで移動することができる前に、第１の作用電極での所望の分析物の濃度を示す測定値を得る工程を含むことを特徴とする、請求項１乃至５４のいずれか１つに記載のセンサーを用いてアッセイを行う方法。
【請求項１１３】
少なくとも１つの測定電極での測定のためのアッセイ時間が、少なくとも１つの測定電極での測定に対して、別の測定電極からの試薬または反応生成物の拡散にかかる時間よりも短いことを特徴とする請求項１１２に記載のアッセイを行う方法。
【請求項１１４】
波面は、所望の分析物のための試薬と、第１の予め決められた量の第１の較正分析物とに、約０．７５秒、約０．５秒、約０．２５秒、約０．２秒、約０．１秒、約０．０５秒、約０．０２５秒、約０．０２秒、および、約０．０１秒の群から選択される時間内に到達し、および／または、
試薬膜が提供され、前記試薬膜は、所定の領域内の膜の半分以上、膜の７５％以上、または、膜の約９０％以上が、約２秒、約２秒未満、約１．５秒、約１．５秒未満、約１秒、約１秒未満、約０．５秒、約０．５秒未満、約０．２５秒、約０．２５秒未満、約０．２秒未満、約０．１秒未満の群から選択された時間内に溶けるような溶解速度を有する、ことを特徴とする請求項１１２または１１３に記載のアッセイを行う方法。
【請求項１１５】
反応が約４秒乃至約１２秒の間、約４秒乃至約１０秒の間、約５秒乃至約１０秒の間、約４秒乃至約６秒の間、約５秒で、約６秒で、約８秒で、約１０秒で、約１２秒で、の群から選択される時間で定常状態に到達する前に、分析物の濃度を示す信号を測定する工程を含むことを特徴とする請求項１１２乃至１１４のいずれかに記載のアッセイを行う方法。
【請求項１１６】
測定値を較正する方法であって、
前記方法は、
請求項１乃至５４のいずれか１以上に記載の第１のセンサーを提供する工程と、
作用電極で作用電極の電流を測定する工程と、
予め決められた量の較正分析物を反映する較正電流と、分析物を投与した流体サンプル中の既知の量の所望の分析物を反映する作用電極電流とを測定する工程と、
補正因子を測定するために較正電流および作用電極電流を使用する工程とを含むことを特徴とする方法。
【請求項１１７】
第１のセンサーと同一の、請求項１乃至５４のいずれかに記載の第２のセンサーを提供する工程と、
補正された作用電極電流および／または補正された分析物の濃度に到達するように、第２のセンサーからの作用電極電流と較正電流に補正因子を適用する工程を含むことを特徴とする請求項１１６に記載の方法。
【請求項１１８】
請求項１乃至５４の任意の１以上に記載の一群のセンサーを提供する工程と、
前記群からセンサーのサブセットを選択する工程と、
分析物を投与した流体サンプル中の同じおよび／または異なる既知の量の所望の分析物のために、同じ夫々の測定電極で較正電流と作用電極電流を測定する工程と、
センサーのその設計用のその量の較正分析物のための予想される較正電流を測定する工程と、
予想された較正電流を反映する補正因子を提供する工程とを含むことを特徴とする請求項１１７に記載の方法。
【請求項１１９】
前記群からさらなるセンサーを提供する工程と、試験を行うために未知の量の分析物を有する流体サンプルを使用する工程と、
補正された作用電極電流を提供するために、試験からの補正因子と較正電流を使用する工程を含むことを特徴とする請求項１１６乃至１１８のいずれかに記載の方法。
【請求項１２０】
同じセンサーまたは異なるセンサーからの１以上の較正電流を平均化する工程と、同じセンサーまたは異なるセンサーからの一連の較正電流に曲線または直線を合わせる工程と、  ゼロのサンプル分析物濃度で予想される較正電流を測定する工程の１以上によって、第１の量の較正分析物のためのセンサーのこの設計用に予想される較正電流を測定する工程を含むことを特徴とする請求項１１６乃至１１９のいずれかに記載の方法。
【請求項１２１】
請求項１乃至５４のいずれか１つに記載のセンサーに接続するためのコネクターと、
センサーを操作し、そこからの測定信号を測定するための電源および測定回路と、
電源および測定ユニットから測定信号を受け取るための、および、測定結果を送達するために測定信号を分析するための中央処理装置とを含むことを特徴とするメーター。
【請求項１２２】
請求項１２１に記載のメーターと、請求項１乃至５４のいずれか１つに記載のセンサーを含むことを特徴とするキット。
【国際調査報告】
2013500492.tif 000040
2013500492.tif 000041
2013500492.tif 000042
2013500492.tif 000043
2013500492.tif 000044